(57)【要約】【課題】本発明は、不連続チャネルを利用した無線通信方法及び無線通信端末に関する。【解決手段】そのために本発明は、プロセッサ及び送受信部を含む無線通信端末であって、前記プロセッサは、前記通信部を介して無線パケットを受信し、前記受信されたパケットの不連続チャネル割当情報を獲得し、獲得した不連続チャネル割当情報に基づいて前記受信したパケットをデコーディングする無線通信端末及びそれを利用した無線通信方法を提供する。【選択図】図３３
2020014250.tif 000002
【特許請求の範囲】
【請求項１】
無線通信端末であって、
プロセッサと、
通信部と、を含み、
前記プロセッサは、
前記通信部を介して無線パケットを受信し、前記受信されたパケットのＨＥ−ＳＩＧ−Ａの帯域幅フィールドを介して指示された総帯域幅情報を獲得し、前記受信されたパケットのＨＥ−ＳＩＧ−Ａの帯域幅フィールド、及びＨＥ−ＳＩＧ−Ｂのサブフィールドのうちの少なくとも一つを介して非割当リソースユニットの情報を獲得し、前記総帯域幅情報及び前記非割当リソースユニットの情報に基づいて前記受信したパケットをデコーディングし、
前記非割当リソースユニットの情報は、前記ＨＥ−ＳＩＧ−Ｂのリソースユニット割当フィールドが指示するリソースユニット配列の情報、及び前記リソースユニット配列から特定のリソースユニットに対応するユーザフィールドに挿入されたヌル（Ｎｕｌｌ）ＳＴＡ  ＩＤを介して獲得される無線通信端末。
【請求項２】
非割当リソースユニットの情報は、前記ＨＥ−ＳＩＧ−Ｂのリソースユニット割当フィールドを介して指示され、前記リソースユニット割当フィールドは、ユーザに割り当てられない特定のリソースユニットを予め設定されたインデックスを介して指示する請求項１に記載の無線通信端末。
【請求項３】
前記ユーザに割り当てられない特定のリソースユニットは、２４２トーン（ｔｏｎｅ)リソースユニット、４８４トーンリソースユニット、及び９９６トーンリソースユニットのうちの少なくとも一つである請求項２に記載の無線通信端末。
【請求項４】
前記特定のリソースユニットは、２６トーンリソースユニット、５２トーンリソースユニット、及び１０６トーンリソースユニットのうちの少なくとも一つである請求項１に記載の無線通信端末。
【請求項５】
前記非割当リソースユニットの情報は、前記ＨＥ−ＳＩＧ−Ａの前記帯域幅フィールド、及び前記ＨＥ−ＳＩＧ−Ｂのリソースユニット割当フィールドの組み合わせを介して指示される請求項１に記載の無線通信端末。
【請求項６】
前記帯域幅フィールドは、総帯域幅内でパンクチャリングされるチャネル情報を指示し、前記リソースユニット割当フィールドは、前記総帯域幅内での追加のパンクチャリング情報を指示する請求項５に記載の無線通信端末。
【請求項７】
前記帯域幅フィールドが８０ＭＨｚの総帯域幅で４０ＭＨｚ副チャネルの２つの２０ＭＨｚチャネルのうちの一つのパンクチャリングまたは１６０ＭＨｚ若しくは８０＋８０ＭＨｚの総帯域幅で４０ＭＨｚ副チャネルの２つの２０ＭＨｚチャネルのうちの少なくとも一つのパンクチャリングを指示する場合、前記リソースユニット割当フィールドは、前記４０ＭＨｚ副チャネルのうちどの２０ＭＨｚチャネルがパンクチャリングされるのかを指示する請求項６に記載の無線通信端末。
【請求項８】
前記帯域幅フィールドが１６０ＭＨｚまたは８０＋８０ＭＨｚの総帯域幅で２０ＭＨｚ副チャネルのパンクチャリングまたは１６０ＭＨｚ若しくは８０＋８０ＭＨｚの総帯域幅で４０ＭＨｚ副チャネルの２つの２０ＭＨｚチャネルのうちの少なくとも一つのパンクチャリングを指示する場合、前記リソースユニット割当フィールドは、８０ＭＨｚ副チャネルでの追加のパンクチャリングを指示する請求項６に記載の無線通信端末。
【請求項９】
無線通信端末の無線通信方法であって、
無線パケットを受信するステップと、
前記受信されたパケットのＨＥ−ＳＩＧ−Ａの帯域幅フィールドを介して指示された総帯域幅情報を獲得するステップと、
前記受信されたパケットのＨＥ−ＳＩＧ−Ａの帯域幅フィールド、及びＨＥ−ＳＩＧ−Ｂのサブフィールドのうちの少なくとも一つを介して非割当リソースユニットの情報を獲得するステップと、
前記総帯域幅情報及び前記非割当リソースユニットの情報に基づいて前記受信したパケットをデコーディングするステップと、
を含み、
前記非割当リソースユニットの情報は、前記ＨＥ−ＳＩＧ−Ｂのリソースユニット割当フィールドが指示するリソースユニット配列の情報、及び前記リソースユニット配列から特定のリソースユニットに対応するユーザフィールドに挿入されたヌル（Ｎｕｌｌ）ＳＴＡ  ＩＤを介して獲得される無線通信方法。
【請求項１０】
非割当リソースユニットの情報は、前記ＨＥ−ＳＩＧ−Ｂのリソースユニット割当フィールドを介して指示され、前記リソースユニット割当フィールドは、ユーザに割り当てられない特定のリソースユニットを予め設定されたインデックスを介して指示する請求項９に記載の無線通信方法。
【請求項１１】
前記ユーザに割り当てられない特定のリソースユニットは、２４２トーン（ｔｏｎｅ)リソースユニット、４８４トーンリソースユニット、及び９９６トーンリソースユニットのうちの少なくとも一つである請求項１０に記載の無線通信方法。
【請求項１２】
前記特定のリソースユニットは、２６トーンリソースユニット、５２トーンリソースユニット、及び１０６トーンリソースユニットのうちの少なくとも一つである請求項９に記載の無線通信方法。
【請求項１３】
前記非割当リソースユニットの情報は、前記ＨＥ−ＳＩＧ−Ａの前記帯域幅フィールド、及び前記ＨＥ−ＳＩＧ−Ｂのリソースユニット割当フィールドの組み合わせを介して指示される請求項９に記載の無線通信方法。
【請求項１４】
前記帯域幅フィールドは、総帯域幅内でパンクチャリングされるチャネル情報を指示し、前記リソースユニット割当フィールドは、前記総帯域幅内での追加のパンクチャリング情報を指示する請求項１３に記載の無線通信方法。
【請求項１５】
前記帯域幅フィールドが８０ＭＨｚの総帯域幅で４０ＭＨｚ副チャネルの２つの２０ＭＨｚチャネルのうちの一つのパンクチャリングまたは１６０ＭＨｚ若しくは８０＋８０ＭＨｚの総帯域幅で４０ＭＨｚ副チャネルの２つの２０ＭＨｚチャネルのうちの少なくとも一つのパンクチャリングを指示する場合、前記リソースユニット割当フィールドは、前記４０ＭＨｚ副チャネルのうちどの２０ＭＨｚチャネルがパンクチャリングされるのかを指示する請求項１４に記載の無線通信方法。
【請求項１６】
前記帯域幅フィールドが１６０ＭＨｚまたは８０＋８０ＭＨｚの総帯域幅で２０ＭＨｚ副チャネルのパンクチャリングまたは１６０ＭＨｚ若しくは８０＋８０ＭＨｚの総帯域幅で４０ＭＨｚ副チャネルの２つの２０ＭＨｚチャネルのうちの少なくとも一つのパンクチャリングを指示する場合、前記リソースユニット割当フィールドは、８０ＭＨｚ副チャネルでの追加のパンクチャリングを指示する請求項１４に記載の無線通信方法。
【発明の詳細な説明】
【技術分野】
【０００１】
本発明は不連続チャネルを利用した無線通信方法及び無線通信端末に関し、不連続チャネル割当情報を効率的にシグナリングするための無線通信方法及び無線通信端末に関する。
【背景技術】
【０００２】
最近、モバイル機器の普及が拡大されるにつれ、それらに速い無線インターネットサービスを提供し得る無線ＬＡＮ（Ｗｉｒｅｌｅｓｓ  ＬＡＮ）技術が脚光を浴びている。無線ＬＡＮ技術は、近距離で無線通信技術に基づいてスマートフォン、スマートパッド、ラップトップＰＣ、携帯型マルチメディアプレーヤー、インベデッド機器などのようなモバイル機器を家庭や企業、または特定サービス提供地域において、無線でインターネットに接続し得るようにする技術である。
【０００３】
ＩＥＥＥ（Ｉｓｔｉｔｕｔｅ  ｏｆ  Ｅｌｅｃｔｒｏｎｉｃｓ  Ｅｎｇｉｎｅｅｒｓ）  ８０２．１１は、２．４ＧＨのｚ周波数を利用した初期の無線ＬＡＮ技術を支援した以来、多様な技術の標準を実用化または開発中である。まず、ＩＥＥＥ  ８０２．１１ｂは２．４ＧＨｚバンドの周波数を使用し、最高１１Ｍｂｐｓの通信速度を支援する。ＩＥＥＥ  ８０２．１１ｂの後に商用化されたＩＥＥＥ  ８０２．１１ａは２．４ＧＨｚバンドではなく５ＧＨｚバンドの周波数を使用することで、相当混雑した２．４ＧＨｚバンドの周波数に比べ干渉への影響を減らしており、ＯＦＤＭ技術を使用して通信速度を最大５４Ｍｂｐｓまで向上させている。しかし、ＩＥＥＥ  ８０２．１１ａはＩＥＥＥ  ８０２．１１ｂに比べ通信距離が短い短所がある。そして、ＩＥＥＥ  ８０２．１１ｇはＩＥＥＥ  ８０２．１１ｂと同じく２．４ＧＨｚバンドの週は酢を使用して最大５４Ｍｐｂｓの通真相度を具現し、下位互換性（ｂａｃｋｗａｒｄ  ｃｏｍｐａｔｉｂｉｌｉｔｙ)を満足していて相当な注目を浴びたが、通信距離においてもＩＥＥＥ  ８０２．１１ａより優位にある。
【０００４】
そして、無線ＬＡＮで脆弱点として指摘されていた通信速度に関する限界を克服するために制定された技術規格として、ＩＥＥＥ  ８０２．１１ｎがある。ＩＥＥＥ  ８０２．１１ｎはネットワークの速度と信頼性を増加させ、無線ネットワークの運営距離を拡張するのにその目的がある。詳しくは、ＩＥＥＥ  ８０２．１１ｎではデータ処理速度が最大５４０Ｍｂｐｓ以上の高処理率（Ｈｉｇｈ  Ｔｈｒｏｕｇｈｐｕｔ、ＨＴ）を支援し、また、伝送エラーを最小化しデータの速度を最適化するために送信部と受信部の両端共に多重アンテナを使用するＭＩＭＯ（Ｍｕｌｔｉｐｌｅ  Ｉｎｐｕｔｓ  ａｎｄ  Ｍｕｌｔｉｐｌｅ  Ｏｕｔｐｕｔｓ）技術に基盤している。また、この規格はデータの信頼性を上げるために重複する写本を複数個伝送するコーディング方式を使用している。
【０００５】
無線ＬＡＮの普及が活性化され、また、それを使用したアプリケーションが多様化するにつれ、ＩＥＥＥ  ８０２．１１ｎが支援するデータの処理速度より高い処理率（Ｖｅｒｙ  Ｈｉｇｈ  Ｔｈｒｏｕｇｈｐｕｔ、ＶＨＴ）を支援するための新たな無線ＬＡＮシステムに対する必要性が台頭している。そのうち、ＩＥＥＥ  ８０２．１１ａｃは５ＧＨｚ周波数で広い帯域幅（８０ＭＨｚ〜１６０ＭＨｚ）を支援する。ＩＥＥＥ  ８０２．１１ａｃ標準は５ＧＨｚ帯域でのみ定義されているが、従来の２．４ＧＨｚ帯域の製品との下位互換性のために、初期１１ａｃチップセットは２．４ＧＨｚ帯域での動作も支援すると考えられる。理論的に、この規格によると多重ステーションの無線ＬＡＮの速度は最小１Ｇｂｐｓ、最大単一リンク速度は最小５００Ｍｂｐｓまで可能になる。これはより広い無線周波数帯域幅（最大１６０ＭＨｚ）、より多いＭＩＭＯ空間的ストリーム（最大８個）、マルチユーザＭＩＭＯ、そして、高い密度の変調（最大２５６ＱＡＭ）など、８０２．１１ｎで受け入れられた無線インタフェースの概念を拡張して行われる。また、従来の２４ＧＨｚ／５ＧＨｚに代わって６０ＧＨｚバンドを利用してデータを伝送する方式として、ＩＥＥＥ  ８０２．１１ａｄがある。ＩＥＥＥ  ８０２．１１ａｄはビームフォーミング技術を利用して最大７Ｇｂｐｓの速度を提供する伝送規格であって、大容量のデータや無圧縮ＨＤビデオなど、高いビットレート動画のストリーミングに適合している。しかし、６０ＧＨｚ周波数バンドは障害物の通過が難しく、近距離空間でのデバイスの間でのみ利用可能な短所がある。
【０００６】
一方、最近は８０２．１１ａｃ及び８０２．１１ａｄ以降の次世代無線ＬＡＮの標準として、高密度環境での高効率及び高性能の無線ＬＡＮ通信技術を提供するための論議が続けられている。つまり、次世代無線ＬＡＮ環境では高密度のステーションとＡＰ（Ａｃｃｅｓｓ  Ｐｏｉｎｔ）の存在下、室内外で高い周波数効率通信が提供されるべきであり、それを具現するために多様な技術が必要となる。
【発明の概要】
【発明が解決しようとする課題】
【０００７】
本発明は、上述したように、高密度環境での高効率・高性能の無線ＬＡＮ通信技術を提供することを目的とする。
【課題を解決するための手段】
【０００８】
前記のような課題を解決するために、本発明は以下のような端末の無線通信方法及び無線通信端末を提供する。
【０００９】
まず、本発明の実施例によると、無線通信端末であって、プロセッサと、通信部と、を含み、前記プロセッサは、前記通信部を介して無線パケットを受信し、前記受信されたパケットの不連続（ｎｏｎ−ｃｏｎｔｉｇｕｏｕｓ)チャネル割当情報を獲得し、獲得した不連続チャネル割当情報に基づいて前記受信したパケットをデコーディングする無線通信端末が提供される。
【００１０】
また、本発明の実施例によると、無線通信端末の無線通信方法であって、無線パケットを受信するステップと、前記受信されたパケットの不連続チャネル割当情報を獲得するステップと、前記獲得した不連続チャネル割当情報に基づいて前記受信したパケットをデコーディングするステップと、を含む無線通信方法が提供される。
【００１１】
本発明の他の実施例によると、ベース無線通信端末であって、プロセッサと、通信部と、を含み、前記プロセッサは、広帯域パケット伝送のための多重チャネルＣＣＡを行い、前記多重チャネルのＣＣＡを行った結果に基づいて、遊休状態の少なくとも一つのチャネルにパケットを伝送するが、前記パケットが不連続チャネルに伝送される場合、前記パケットのノンレガシープリアンブルを介して該当不連続チャネル割当情報をシグナリングするベース無線通信端末が提供される。
【００１２】
また、本発明の他の実施例によると、ベース無線通信端末の無線通信方法であって、広帯域パケット伝送のための多重チャネルのＣＣＡを行うステップと、前記多重チャネルのＣＣＡを行った結果に基づいて、遊休状態の少なくとも一つのチャネルにパケットを伝送するステップと、を含むが、前記パケットが不連続チャネルに伝送される場合、前記パケットのノンレガシープリアンブルを介して不連続チャネル割当情報をシグナリングする無線通信方法が提供される。
【００１３】
前記不連続チャネル割当情報は、前記受信されたパケットのＨＥ−ＳＩＧ−Ａのサブフィールド、及びＨＥ−ＳＩＧ−Ｂのサブフィールドのうち少なくとも一つを介して指示される。
【００１４】
前記不連続チャネル割当情報は、２０ＭＨｚ単位の非割当チャネル情報を指示する。
前記不連続チャネル割当情報は、前記ＨＥ−ＳＩＧ−Ａの帯域幅フィールドを介して指示され、前記帯域幅フィールド、前記パケットが伝送される総帯域幅情報、及び前記総帯域幅情報内でパンクチャリング（ｐｕｎｃｔｕｒｉｎｇ)されるチャネル情報を指示する。
前記帯域幅フィールドは、２０ＭＨｚ副チャネルのパンクチャリング、及び４０Ｈｚ副チャネルの２つの２０ＭＨｚチャネルのうち少なくとも一つのパンクチャリングをそれぞれインデクシングする。
【００１５】
前記不連続チャネル割当情報は、前記ＨＥ−ＳＩＧ−Ｂのリソースユニット割当フィールドの予め設定されたインデックスを介して指示される。
【００１６】
前記リソースユニット割当フィールドは、ユーザに割り当てられない特定のリソースユニットＲＵを予め設定されたインデックスを介して指示する。
【００１７】
前記ユーザに割り当てられない特定のリソースユニットは、２４２トーン（ｔｏｎｅ)リソースユニット、４８４トーンリソースユニット、及び９９６トーンリソースユニットのうち少なくとも一つである。
【００１８】
前記不連続チャネル割当情報は、前記ＨＥ−ＳＩＧ−Ｂのリソースユニット割当フィールドが指示するリソースユニット配列情報、及び前記ソースユニット配列から特定のリソースユニットに対応するユーザフィールドに挿入されたヌル（Ｎｕｌｌ）ＳＴＡ  ＩＤを介して獲得される。
【００１９】
前記特定のリソースユニットは、２６トーンリソースユニット、５２トーンリソースユニット、及び１０６トーンリソースユニットのうち少なくとも一つである。
【００２０】
前記不連続チャネル割当情報は、前記ＨＥ−ＳＩＧ−Ａの帯域幅フィールド、及び前記ＨＥ−ＳＩＧ−Ｂのリソースユニット割当フィールドの組み合わせを介して指示される。
【００２１】
前記帯域幅フィールドは、前記パケットが伝送される総帯域幅情報、及び前記総帯域幅内でパンクチャリングされるチャネル情報を指示し、前記リソースユニット割当フィールドは、前記総帯域幅内での追加のパンクチャリング情報を指示する。
【００２２】
前記帯域幅フィールドが８０ＭＨｚの総帯域幅で４０ＭＨｚ副チャネルの２つの２０ＭＨｚチャネルのうち一つのパンクチャリングを指示する場合、前記リソースユニット割当フィールドは、前記４０ＭＨｚ副チャネルのうちどの２０ＭＨｚチャネルがパンクチャリングされるのかを指示する。
【００２３】
前記帯域幅フィールドが１６０ＭＨｚまたは８０＋８０ＭＨｚの総帯域幅で２０ＭＨｚ副チャネルのパンクチャリングを指示する場合、前記リソースユニット割当フィールドは、８０ＭＨｚ副チャネルでの追加のパンクチャリングを指示する。
【００２４】
前記帯域幅フィールドが１６０ＭＨｚまたは８０＋８０ＭＨｚの総帯域幅で４０ＭＨｚ副チャネルの２つの２０ＭＨｚチャネルのうち少なくとも一つのパンクチャリングを指示する場合、前記リソースユニット割当フィールドは、前記４０ＭＨｚ副チャネルのうちどの２０ＭＨｚチャネルがパンクチャリングされるのかを指示する。
【００２５】
前記帯域幅フィールドが１６０ＭＨｚまたは８０＋８０ＭＨｚの総帯域幅で４０ＭＨｚ副チャネルの２つの２０ＭＨｚチャネルのうち少なくとも一つのパンクチャリングを指示する場合、前記リソースユニット割当フィールドは、８０ＭＨｚ副チャネルでの追加のパンクチャリングを指示する。
【００２６】
前記パケットが８０ＭＨｚ以上の総帯域幅で伝送される場合、前記不連続チャネル割当情報は、８０ＭＨｚでの中央２６トーンリソースユニットがユーザに割り当てられたのか否かを指示するフィールド（Ｃ２６フィールド）の情報を更に含む。
【００２７】
前記パケットのＨＥ−ＳＩＧ−Ｂフィールドは、２０ＭＨｚ単位のＨＥ−ＳＩＧ−Ｂコンテンツチャネル１、及びＨＥ−ＳＩＧ−Ｂコンテンツチャネル２で構成され、前記Ｃ２６フィールドは、前記ＨＥ−ＳＩＧ−Ｂコンテンツチャネル１、及びＨＥ−ＳＩＧ−Ｂコンテンツチャネル２の両方を介して運ばれる。
【００２８】
前記パケットが８０ＭＨｚの総帯域幅で伝送される場合、前記ＨＥ−ＳＩＧ−Ｂコンテンツチャネル１を介して運ばれるＣ２６フィールド、及び前記ＨＥ−ＳＩＧ−Ｂコンテンツチャネル２を介して運ばれるＣ２６フィールドは、全て前記８０ＭＨｚ総帯域幅の中央２６トーンリソースユニットがユーザに割り当てられたのか否かを指示する。
【００２９】
前記Ｃ２６フィールドが前記中央２６トーンリソースユニットの割当を指示する場合、前記中央２６トーンリソースユニットに対応するユーザフィールドは、前記ＨＥ−ＳＩＧ−Ｂコンテンツチャネル１のユーザ特定フィールドを介して運ばれる。
【００３０】
前記パケットが１６０ＭＨｚまたは８０＋８０ＭＨｚの総帯域幅で伝送される場合、前記総帯域幅は第１の８０ＭＨｚ帯域幅及び第２の８０ＭＨｚ帯域幅で構成され、前記ＨＥ−ＳＩＧ−Ｂコンテンツチャネル１を介して運ばれる第１Ｃ２６フィールドは、前記１の８０ＭＨｚ帯域幅の第１中央２６トーンリソースユニットがユーザに割り当てられたのか否かを指示し、前記ＨＥ−ＳＩＧ−Ｂコンテンツチャネル２を介して運ばれる第２Ｃ２６フィールドは、前記２の８０ＭＨｚ帯域幅の第２中央２６トーンリソースユニットがユーザに割り当てられたのか否かを指示する。
【００３１】
前記第１Ｃ２６フィールドが前記第１中央２６トーンリソースユニットの割当を指示する場合、前記第１中央２６トーンリソースユニットに対応するユーザフィールドは、前記ＨＥ−ＳＩＧ−Ｂコンテンツチャネル１のユーザ特定フィールドを介して運ばれ、前記第２Ｃ２６フィールドが前記第２中央２６トーンリソースユニットの割当を指示する場合、前記第２中央２６トーンリソースユニットに対応するユーザフィールドは、前記ＨＥ−ＳＩＧ−Ｂコンテンツチャネル２のユーザ特定フィールドを介して運ばれる。
【発明の効果】
【００３２】
本発明の実施例によると、不連続チャネル割当情報を効率的にシグナリングすることができる。
【００３３】
本発明の実施例によると、競争基盤チャネル接近システムにおいて、全体資源の使用率を増加させ、無線ＬＡＮシステムの性能を向上させることができる。
【図面の簡単な説明】
【００３４】
【図１】本発明の一実施例による無線ＬＡＮシステムを示す図である。
【図２】本発明の他の実施例による無線ＬＡＮシステムを示す図である。
【図３】本発明の一実施例によるステーションの構成を示す図である。
【図４】本発明の一実施例によるアクセスポイントの構成を示す図である。
【図５】ＳＴＡがＡＰとリンクを設定する過程を概略的に示す図である。
【図６】無線ＬＡＮ通信で使用されるＣＳＭＡ（Ｃａｒｒｉｅｒ  Ｓｅｎｓｅ  Ｍｕｌｔｉｐｌｅ  Ａｃｃｅｓｓ）／ＣＡ（Ｃｏｌｌｉｓｉｏｎ  Ａｖｏｉｄａｎｃｅ）方法を示す図である。
【図７】ＲＴＳ（Ｒｅｑｕｅｓｔ  ｔｏ  Ｓｅｎｄ）フレームとＣＴＳ（Ｃｌｅａｒ  ｔｏ  Ｓｅｎｄ）フレームを利用したＤＣＦ（Ｄｉｓｔｒｉｂｕｔｅｄ  Ｃｏｏｒｄｉｎａｔｉｏｎ  Ｆｕｎｃｔｉｏｎ）の遂行方法を示す図である。
【図８】本発明の一実施例によるマルチユーザ（Ｍｕｌｔｉ−Ｕｓｅｒ）伝送方法を示す図である。
【図９】本発明の一実施例によるマルチユーザ（Ｍｕｌｔｉ−Ｕｓｅｒ）伝送方法を示す図である。
【図１０】レガシーＰＰＤＵフォーマットとノンレガシーＰＰＤＵフォーマットの一実施例を示す図である。
【図１１】本発明の実施例による多様なＨＥ  ＰＰＤＵフォーマット及びそれの指示方法を示す図である。
【図１２】本発明の追加の実施例によるＨＥ  ＰＰＤＵフォーマットを示す図である。
【図１３】本発明の一実施例によるＰＰＤＵフォーマットに基づいたパワーセーブ動作のシナリオを示す図である。
【図１４】ＨＥ  ＰＰＤＵフォーマットによるＨＥ−ＳＩＧ−Ａフィールドの構成の実施例を示す図である。
【図１５】本発明の一実施例によるＨＥ−ＳＩＧ−Ｂフィールドの構成を示す図である。
【図１６】本発明の実施例によるＨＥ−ＳＩＧ−Ｂのエンコーディング構造及び伝送方法を示す図である。
【図１７】ＳＩＧ−Ｂ圧縮フィールドがＨＥ−ＳＩＧ−Ｂフィールドの圧縮モードを指示する場合のＨＥ−ＳＩＧ−Ｂのサブフィールドの構成を示す図である。
【図１８】本発明の実施例によるチャネル拡散方法を示す図である。
【図１９】本発明の実施例によるチャネル拡散方法を示す図である。
【図２０】本発明の実施例によるチャネル拡散方法を示す図である。
【図２１】本発明の実施例による不連続ＰＰＤＵの伝送シーケンスを示す図である。
【図２２】本発明の実施例による不連続ＰＰＤＵの伝送シーケンスを示す図である。
【図２３】本発明の実施例による不連続ＰＰＤＵの伝送シーケンスを示す図である。
【図２４】本発明の追加の実施例であって、ＭＵ伝送過程のＴＸＯＰを設定する方法を示す図である。
【図２５】本発明の多様な実施例による不連続チャネル割当情報のシグナリング方法を示す図である。
【図２６】本発明の多様な実施例による不連続チャネル割当情報のシグナリング方法を示す図である。
【図２７】本発明の多様な実施例による不連続チャネル割当情報のシグナリング方法を示す図である。
【図２８】本発明の多様な実施例による不連続チャネル割当情報のシグナリング方法を示す図である。
【図２９】本発明の多様な実施例による不連続チャネル割当情報のシグナリング方法を示す図である。
【図３０】本発明の多様な実施例による不連続チャネル割当情報のシグナリング方法を示す図である。
【図３１】本発明の多様な実施例による不連続チャネル割当情報のシグナリング方法を示す図である。
【図３２】本発明の多様な実施例による不連続チャネル割当方法を示す図である。
【図３３】本発明の多様な実施例による不連続チャネル割当方法を示す図である。
【図３４】本発明の多様な実施例による不連続チャネル割当方法を示す図である。
【図３５】本発明の追加の実施例によるリソースユニットフィルタリングの実施例を示す図である。
【図３６】本発明の追加の実施例によるリソースユニットフィルタリングの実施例を示す図である。
【図３７】本発明の追加の実施例によるリソースユニットフィルタリングの実施例を示す図である。
【図３８】本発明の追加の実施例によるＨＥ  ＭＵ  ＰＰＤＵのシグナリング方法を示す図である。
【図３９】本発明の追加の実施例によるＨＥ  ＭＵ  ＰＰＤＵのシグナリング方法を示す図である。
【図４０】本発明の追加の実施例によるＨＥ  ＭＵ  ＰＰＤＵのシグナリング方法を示す図である。
【図４１】本発明の追加の実施例によるＨＥ  ＭＵ  ＰＰＤＵのシグナリング方法を示す図である。
【図４２】本発明の追加の実施例によるＨＥ  ＭＵ  ＰＰＤＵのシグナリング方法を示す図である。
【図４３】単一ＳＴＡとＡＰの間にＨＥ  ＭＵ  ＰＰＤＵを利用した伝送が行われる実施例を示す図である。
【図４４】単一ＳＴＡとＡＰの間にＨＥ  ＭＵ  ＰＰＤＵを利用した伝送が行われる実施例を示す図である。
【図４５】本発明の追加の実施例による不連続チャネル割当及びそれに対するシグナリング方法を示す図である。
【図４６】本発明の追加の実施例による不連続チャネル割当及びそれに対するシグナリング方法を示す図である。
【発明を実施するための形態】
【００３５】
本明細書で使用される用語は、本発明での機能を考慮してできる限り現在広く使用されている一般的案用語を選択しているが、これは該当技術分野に携わる技術者の意図、慣例、または新たな技術の出現などによって異なり得る。また、特定の場合は出願人が任意に選定した用語もあり、このような場合は該当する発明の説明部分でその意味を記載する。よって、本明細書で使用される用語は単なる用語の名称ではなく、その用語が有する実質的な意味と本明細書全般にわたる内容に基づいて解釈すべきであることを明らかにする。
【００３６】
明細書全体にわたって、ある構成が他の構成と「連結」されているとすると、これは「直接連結」されている場合だけでなく、その中間に他の構成要素を間に挟んで「電気的に連結」されている場合も含む。また、ある構成要素が特定の構成要素を「含む」とすると、これは特に反対する記載がない限り、他の構成要素を除くのではなく他の構成要素を更に含み得ることを意味する。加えて、特定臨界値を基準に「以上」または「以下」という限定事項は、実施例によってそれぞれ「超過」または「未満」に適切に代替され得る。
【００３７】
本出願は、韓国特許出願第１０−２０１５-０１８６８７１号、第１０−２０１６-０００４４７１号、第１０−２０１６-０００５８３５号、第１０−２０１６-００２６６８３号、第１０−２０１６-００３０００６号、第１０−２０１６−００５９１８２号、第１０−２０１６−００６２４２２号、及び第１０−２０１６−００８３７５６号に基づいた優先権を主張し、優先権の基礎となる前記各出願に述べられた実施例及び記載事項は、本出願の詳細な説明に含まれるとする。
【００３８】
図１は、本発明の一実施例による無線ＬＡＮシステムを示す図である。無線ＬＡＮシステムは、一つまたはそれ以上のベーシックサービスセット（Ｂａｓｉｃ  Ｓｅｒｖｉｃｅ  Ｓｅｔ、ＢＳＳ）を含むが、ＢＳＳは同期化に成功し互いに通信し得る機器の集合を示す。一般に、ＢＳＳはインフラストラクチャＢＳＳ（ｉｎｆｒａｓｔｒｕｃｔｕｒｅ  ＢＳＳ）と独立ＢＳＳ（Ｉｎｄｅｐｅｎｄｅｎｔ  ＢＳＳ、ＩＢＳＳ）に区分されるが、図１はこのうちインフラストラクチャＢＳＳを示している。
【００３９】
図１に示したように、インフラストラクチャＢＳＳ（ＢＳＳ１、ＢＳＳ２）は、一つ以上のステーション（ＳＴＡ１、ＳＴＡ２、ＳＴＡ３、ＳＴＡ４、ＳＴＡ５）、分配サービス（Ｄｉｓｔｒｉｂｕｔｉｏｎ  Ｓｅｒｖｉｃｅ）を提供するステーションであるアクセスポイント（ＰＣＰ／ＡＰ−１、ＰＣＰ／ＡＰ−２）、及び多数のアクセスポイント（ＰＣＰ／ＡＰ−１、ＰＣＰ／ＡＰ−２）を連結する分配システム（Ｄｉｓｔｒｉｂｕｔｉｏｎ  Ｓｙｓｔｅｍ、ＤＳ）を含む。
【００４０】
ステーション（Ｓｔａｔｉｏｎ、ＳＴＡ）は、ＩＥＥＥ  ８０２．１１標準の規定に従う媒体接続制御（Ｍｅｄｉｕｍ  Ａｃｃｅｓｓ  Ｃｏｎｔｒｏｌ、ＭＡＣ）と無線媒体に対する物理層（Ｐｈｙｓｉｃａｌ  Ｌａｙｅｒ）インタフェースを含む任意のディバイスであって、広い意味では非アクセスポイントｎｏｎ−ＡＰステーションのみならずアクセスポイントＡＰを全て含む。また、本明細書において、「端末」とはｎｏｎ−ＡＰまたはＡＰを指すか、両者を全て指す用語として使用される。無線通信のためのステーションはプロセッサと通信部を含み、実施例によってユーザインタフェース部とディスプレーユニットなどを更に含む。プロセッサは無線ネットワークを介して伝送するフレームを生成するか、または前記無線ネットワークを介して受信されたフレームを処理し、その他にステーションを制御するための多様な処理を行う。そして、通信部は前記プロセッサと機能的に連結されており、ステーションのために無線ネットワークを介してフレームを送受信する。本発明において、端末はユーザ端末機（ｕｓｅｒ  ｅｑｕｉｐｍｅｎｔ、ＵＥ）を含む用語として使用される。
【００４１】
アクセスポイント（Ａｃｃｅｓｓ  Ｐｏｉｎｔ、ＡＰ）は、自らに結合された（ａｓｓｏｃｉａｔｅｄ）ステーションのために無線媒体を経由して分配システムＤＳに対する接続を提供する個体である。インフラストラクチャＢＳＳにおいて、非ＡＰステーション間の通信はＡＰを経由して行われることが原則であるが、ダイレクトリンクが設定されている場合は非ＡＰステーションの間でも直接通信が可能である。一方、本発明において、ＡＰはＰＣＰ（Ｐｅｒｓｏｎａｌ  ＢＳＳ  Ｃｏｏｒｄｉｎａｔｉｏｎ  Ｐｏｉｎｔ）を含む概念として使用されるが、広い意味では集中制御器、基地局（Ｂａｓｅ  Ｓｔａｔｉｏｎ、ＢＳ）、ノードＢ、ＢＴＳ（Ｂａｓｅ  Ｔｒａｎｓｃｅｉｖｅｒ  Ｓｙｓｔｅｍ）、またはサイト制御器などの概念を全て含む。本発明において、ＡＰはベース無線通信端末とも称されるが、ベース無線通信端末は、広い意味ではＡＰ、ベースステーション（ｂａｓｅ  ｓｔａｔｉｏｎ）、ｅＮＢ（ｅＮｏｄｅＢ）、及びトランスミッションポイントＴＰを全て含む用語として使用される。それだけでなく、ベース無線通信端末は複数の無線通信端末との通信で通信媒介体（ｍｅｄｉｕｍ)資源を割り当て、スケジューリング（ｓｃｈｅｄｕｌｉｎｇ）を行う多様な形態の無線通信端末を含む。
【００４２】
複数のインフラストラクチャＢＳＳは、分配システムＤＳを介して互いに連結される。この際、分配システムを介して連結された複数のＢＳＳを拡張サービスセット（Ｅｘｔｅｎｄｅｄ  Ｓｅｒｖｉｃｅ  Ｓｅｔ、ＥＳＳ）という。
【００４３】
図２は、本発明の他の実施例による無線ＬＡＮシステムである独立ＢＳＳを示す図である。図２の実施例において、図１の実施例と同じであるか相応する部分は重複する説明を省略する。
【００４４】
図２に示したＢＳＳ３は独立ＢＳＳであってＡＰを含まないため、全てのステーション（ＳＴＡ６、ＳＴＡ７）がＡＰと接続されていない状態である。独立ＢＳＳは分配システムへの接続が許容されず、自己完備的ネットワーク（ｓｅｌｆ−ｃｏｎｔａｉｎｅｄ  ｎｅｔｗｏｒｋ)をなす。独立ＢＳＳにおいて、それぞれのステーション（ＳＴＡ６、ＳＴＡ７）はダイレクトに互いに連結される。
【００４５】
図３は、本発明の一実施例によるステーション１００の構成を示すブロック図である。図示したように、本発明の実施例によるステーション１００は、プロセッサ１１０、通信部１２０、ユーザインタフェース部１４０、ディスプレーユニット１５０、及びメモリ１６０を含む。
【００４６】
まず、通信部１２０は無線ＬＡＮパケットなどの無線信号を送受信し、ステーション１００に内蔵されるか外装されて備えられる。実施例によると、通信部１２０は互いに異なる周波数バンドを利用する少なくとも一つの通信モジュールを含む。例えば、前記通信部１２０は２．４ＧＨｚ、５ＧＨｚ、及び６０ＧＨｚなどの互いに異なる周波数バンドの通信モジュールを含む。一実施例によると、ステーション１００は６ＧＨｚ以上の周波数バンドを利用する通信モジュールと、６ＧＨｚ以下の周波数バンドを利用する通信モジュールを備える。それぞれの通信モジュールは、該当通信モジュールが支援する周波数バンドの無線ＬＡＮの規格に応じて、ＡＰまたは外部ステーションと無線通信を行う。通信部１２０は、ステーション１００の性能及び要求事項に応じて一度に一つの通信モジュールのみを動作させるか、同時に多数の通信モジュールを共に動作させてもよい。ステーション１００が複数の通信モジュールを含む場合、各通信モジュールはそれぞれ独立した形態に備えられてもよく、複数のモジュールが一つのチップに統合されて備えられてもよい。本発明の実施例において、通信部１２０はＲＦ（Ｒａｄｉｏ  Ｆｒｅｑｕｅｎｃｙ）信号を処理するＲＦ通信モジュールを示す。
【００４７】
次に、ユーザインタフェース１４０は、ステーション１００に備えられた多様な形態の入出力手段を含む。つまり、ユーザインタフェース部１４０は多様な入力手段を利用してユーザの入力を受信し、プロセッサ１１０は受信されたユーザ入力に基づいてステーション１００を制御する。また、ユーザインタフェース部１４０は、多様な出力手段を利用してプロセッサ１１０の命令に基づいた出力を行う。
【００４８】
次に、ディスプレーユニット１５０は、ディスプレー画面にイメージを出力する。前記ディスプレーユニット１５０は、プロセッサ１１０によって行われるコンテンツ、またはプロセッサン１１０の制御命令に基づいたユーザインタフェースなどの多様なディスプレーオブジェクトを出力する。また、メモリ１６０は、ステーション１００で使用される制御プログラム及びそれによる各種データを貯蔵する。このような制御プログラムには、ステーション１００がＡＰまたは外部のステーションと接続を行うのに必要な接続プログラムが含まれる。
【００４９】
本発明のプロセッサ１１０は多様な命令またはプログラムを行い、ステーション１００内部のデータをプロセッシングする。また、前記プロセッサ１１０は上述したステーション１００の各ユニットを制御し、ユニット間のデータの送受信の制御する。本発明の実施例によると、プロセッサ１１０はメモリ１６０に貯蔵されたＡＰとの接続のためのプログラムを行い、ＡＰが伝送した通信設定メッセージを受信する。また、プロセッサ１１０は通信設定メッセージに含まれたステーション１００の優先条件に関する情報を読み取り、ステーション１００の優先条件に関する情報に基づいてＡＰに関する接続を要請する。本発明のプロセッサ１１０はステーション１００のメインコントロールユニットを指してもよく、実施例によってステーション１００の一部の構成、例えば、通信部１２０などを個別的に制御するためのコントロールユニットを指してもよい。つまり、プロセッサ１１０は通信部１２０から送受信される無線信号を変復調するモデム、または変復調部（ｍｏｄｕｌａｔｏｒ  ａｎｄ／ｏｒ  ｄｅｍｏｄｕｌａｔｏｒ）であってもよい。プロセッサ１１０は、本発明の実施例によるステーション１００の無線信号送受信の各種動作を制御する。それに関する詳しい実施例は後述する。
【００５０】
図３に示したステーション１００は本発明の一実施例によるブロック図であって、分離して示したブロックはディバイスのエレメントを論理的に区別して示したものである。よって、上述したディバイスのエレメントは、ディバイスの設計に応じて一つのチップまたは複数のチップに取り付けられる。例えば、前記プロセッサ１１０及び通信部１２０は一つのチップに統合されて具現されてもよく、別途のチップで具現されてもよい。また、本発明の実施例において、前記ステーション１００の一部の構成、例えば、ユーザインタフェース部１４０及びディスプレーユニット１５０などはステーション１００に選択的に備えられてもよい。
【００５１】
図４は、本発明の一実施例によるＡＰ２００の構成を示すブロック図である。図示したように、本発明の実施例によるＡＰ２００は、プロセッサ２１０、通信部２２０、及びメモリ２６０を含む。図４において、ＡＰ２００の構成のうち図３のステーション１００の構成と同じであるか相応する部分については重複する説明を省略する。
【００５２】
図４を参照すると、本発明によるＡＰ２００は少なくとも一つの周波数バンドでＢＳＳを運営するための通信部２２０を備える。図３の実施例で述べたように、前記ＡＰ２００の通信部２２０も互いに異なる周波数バンドを利用する複数の通信モジュールを含む。つまり、本発明の実施例によるＡＰ２００は互いに異なる周波数バンド、例えば２．４ＧＨｚ、５ＧＨｚ、６０ＧＨｚのうち２つ以上の通信のジュールを共に備える。好ましくは、ＡＰ２００は６ＧＨｚ以上の周波数バンドを利用する通信モジュールと、６ＧＨｚ以下の周波数バンドを利用する通信モジュールを備える。それぞれの通信モジュールは、該当通信モジュールが支援する周波数バンドの無線ＬＡＮの規格に従ってステーションと無線通信を行う。前記通信部２２０は、ＡＰ２００の性能及び要求事項に応じて一度に一つの通信モジュールのみを動作させるか、同時に多数の通信モジュールを共に動作させてもよい。本発明の実施例において、通信部２２０はＲＦ信号を処理するＲＦ通信モジュールを示す。
【００５３】
次に、メモリ２６０は、ＡＰ２００で使用される制御プログラム及びそれによる各種データを貯蔵する。このような制御プログラムには、ステーションの接続を管理する接続プログラムが含まれる。また、プロセッサ２１０はＡＰ２００の各ユニットを制御し、ユニット間のデータの送受信の制御する。本発明の実施例によると、プロセッサ２１０はメモリ２６０に貯蔵されたステーションとの接続のためのプログラムを行い、一つ以上のステーションに対する通信設定メッセージを伝送する。この際、通信設定メッセージには各ステーションの接続優先条件に関する情報が含まれる。また、プロセッサ２１０はステーションの接続要請に応じて接続設定を行う。一実施例によると、プロセッサ２１０は通信部２２０から送受信される無線信号を変復調するモデム、または変復調部である。プロセッサ２１０は、本発明の実施例によるＡＰ２００の無線信号送受信の各種動作を制御する。それに関する詳しい実施例は後述する。
【００５４】
図５は、ＳＴＡがＡＰとリンクを設定する過程を概略的に示す図である。
図５を参照すると、ＳＴＡ１００とＡＰ２００間のリンクは大きくスキャニング（ｓａｎｎｉｎｇ）、認証（ａｕｔｈｅｎｔｉｃａｔｉｏｎ）、及び結合（ａｓｓｏｃｉａｔｉｏｎ）の３つのステップを介して設定される。まず、スキャニングステップは、ＡＰ２００が運営するＢＳＳの接続情報をＳＴＡ１００が獲得するステップである。スキャニングを行うための方法としては、ＡＰ２００が周期的に伝送するビーコン（ｂｅａｃｏｎ）メッセージＳ１０１のみを活用して情報を獲得するパッシブスキャニング（ｐａｓｓｉｖｅ  ｓａｎｎｉｎｇ）方法と、ＳＴＡ１００がＡＰにプローブ要請（ｐｒｏｂｅ  ｒｅｑｕｅｓｔ）を伝送しＳ１０３、ＡＰからプローブ応答（ｐｒｏｂｅ  ｒｅｓｐｏｎｓｅ）を受信してＳ１０５、接続情報を獲得するアクティブスキャニング（ａｃｔｉｖｅ  ｓａｎｎｉｎｇ）方法がある。
【００５５】
スキャニングステップにおいて無線接続情報の受信に成功したＳＴＡ１００は、認証要請（ａｕｔｈｅｎｔｉｃａｔｉｏｎ  ｒｅｑｕｅｓｔ）を伝送しＳ１０７ａ、ＡＰ２００から認証応答（ａｕｔｈｅｎｔｉｃａｔｉｏｎ  ｒｅｓｐｏｎｓｅ）を受信してＳ１０７ｂ、認証ステップを行う。認証ステップが行われた後、ＳＴＡ１００は結合要請（ａｓｓｏｃｉａｔｉｏｎ  ｒｅｑｕｅｓｔ）を伝送しＳ１０９ａ、ＡＰ２００から結合応答（ａｓｓｏｃｉａｔｉｏｎ  ｒｅｓｐｏｎｓｅ）を受信してＳ１０９ｂ、結合ステップを行う。本明細書において、結合とは基本的に無線結合を意味するが、本発明はこれに限らず、広い意味での結合は無線結合及び有線結合を全て含む。
【００５６】
一方、追加に８０２．１Ｘ基盤の認証ステップＳ１１１、及びＤＨＣＰを介したＩＰアドレス獲得ステップＳ１１３が行われる。図５において、サーバ３００はＳＴＡ１００と８０２．１Ｘ基盤の認証を処理するサーバであって、ＡＰ２００に物理的に結合されて存在するか、別途のサーバとして存在してもよい。
【００５７】
図６は、無線ＬＡＮ通信で使用されるＣＳＭＡ／ＣＡ方法を示す図である。
【００５８】
無線ＬＡＮ通信を行う端末は、データを伝送する前にキャリアセンシング（Ｃａｒｒｉｅｒ  Ｓｅｎｓｉｎｇ）を行ってチャネルが占有状態（ｂｕｓｙ)であるのか否かをチェックする。もし、一定強度以上の無線信号が感知される場合、該当チャネルが占有状態であると判別し、前記端末は該当チャネルに対するアクセスを遅延する。このような過程をクリアチャネル割当（Ｃｌｅａｒ  Ｃｈａｎｎｅｌ  Ａｓｓｅｓｓｍｅｎｔ、ＣＣＡ）といい、該当信号感知有無を決定するレベルをＣＣＡ臨界値（ＣＣＡ  ｔｈｒｅｓｈｏｌｄ)という。もし端末に受信されたＣＣＡ臨界値以上の無線信号が該当端末を受信者とする場合、端末は受信された無線信号を処理するようになる。一方、該当チャネルで無線信号が感知されないかＣＣＡ臨界値より小さい強度の無線信号が感知される場合、前記チャネルは遊休状態（ｉｄｌｅ)と判別される。
【００５９】
チャネルが遊休状態と判別されると、伝送するデータがある各端末は、各端末の状況に応じたＩＦＳ（Ｉｎｔｅｒ  Ｆｒａｍｅ  Ｓｐａｃｅ）、例えば、ＡＩＦＳ（Ａｒｂｉｔｒａｔｉｏｎ  ＩＦＳ）、ＰＩＦＳ（ＰＣＦ  ＩＦＳ）などの時間の後にバックオフ手順を行う。実施例によって、前記ＡＩＦＳは従来のＤＩＦＳ（ＤＣＦ  ＩＦＳ）に代替する構成で使用されてもよい。各端末は、該当端末に決定された乱数（ｒａｎｄｏｍ  ｎｕｍｂｅｒ)だけのスロットタイムを前記チャネルの遊休状態の間隔（ｉｎｔｅｒｖａｌ)の間に減少させながら待機するが、スロットタイムを全て消尽した端末が該当チャネルに対するアクセスを試みるようになる。このように、各端末がバックオフ手順を行う区間を競争ウィンドウ区間という。
【００６０】
もし、特定端末が前記チャネルへのアクセスに成功すると、該当端末は前記チャネルを介してデータを伝送する。しかし、アクセスを試みた端末が他の端末と衝突すると、衝突した端末はそれぞれ新たな乱数を割り当てられて更にバックオフ手順を行う。一実施例によると、各端末に新たに割り当てられる乱数は、該当端末が以前に割り当てられた乱数の範囲（競争ウィンドウ、ＣＷ）の２倍の範囲（２＊ＣＷ）内で決定される。一方、各端末は次の競争ウィンドウ区間で更にバックオフを行ってアクセスを試みるが、この際、各端末は以前の競争ウィンドウ区間で残ったスロットタイムからバックオフ手順を行う。このような方法で、無線ＬＡＮ通信を行う各端末は特定チャネルに関する互いの衝突を回避することができる。
【００６１】
図７は、ＲＴＳフレームとＣＴＳフレームを利用したＤＣＦの遂行方法を示す図である。
ＢＳＳ内のＡＰ及びＳＴＡは、データを伝送するための権利を得るために競争する。以前ステップのデータの伝送が完了されると、伝送するデータがある各端末はＡＩＦＳの時間が過ぎてから各端末に割り当てられた乱数のバックオフカウンタ（または、バックオフタイマー）を減少させながらバックオフ手順を行う。バックオフカウンターが満了された伝送端末はＲＴＳフレームを伝送し、該当端末に伝送するデータがあることを知らせる。図７の実施例によると、最小がバックオフで、競争で優位を占めたＳＴＡ１がバックオフカウンタの満了後にＲＴＳフレームを伝送する。ＲＴＳフレームは、リシーバーアドレス（ｒｅｃｅｉｖｅｒ  ａｄｄｒｅｓｓ)、トランスミッタアドレス（ｔｒａｎｓｍｉｔｔｅｒ  ａｄｄｒｅｓｓ)、及びデュレーション（ｄｕｒａｔｉｏｎ)などの情報を含む。ＲＴＳフレームを受信した端末（つまり、図７のＡＰ）は、ＳＩＦＳ（Ｓｈｏｒｔ  ＩＦＳ）の時間を待機した後、ＣＴＳフレームを伝送して、伝送端末ＳＴＡ１にデータの伝送が可能であることを知らせる。ＣＴＳフレームは、リシーバーアドレスとデュレーションなどの情報を含む。この際、ＣＴＳフレームのリシーバーアドレスは、これに対応するＲＴＳフレームのトランスミッタアドレス、つまり、伝送端末ＳＴ１のアドレスと同じく設定されてもよい。
【００６２】
ＣＴＳフレームを受信した伝送端末ＳＴＡ１は、ＳＩＦＳの時間後にデータを伝送する。データの伝送が完了されると、受信端末ＡＰはＳＩＦＳの時間後に応答ＡＣＫフレームを伝送してデータの伝送が完了されたことを知らせる。予め設定された時間以内に応答フレームを受信した場合、伝送端末はデータの伝送に成功したとみなす。しかし、予め設定された時間以内に応答フレームが受信されない場合、伝送端末はデータの伝送に失敗したとみなす。一方、前記伝送過程の間にＲＴＳフレーム及びＣＴＳフレームのうち少なくとも一つを受信した周辺端末は、ＮＡＶ(Ｎｅｔｗｏｒｋ  Ａｌｌｏｃａｔｉｏｎ  Ｖｅｃｔｏｒ)を設定し、設定されたＮＡＶが満了するまでデータの伝送を行わない。この際、各端末のＮＡＶは受信されたＲＴＳフレームまたはＣＴＳフレームのデュレーションフィールドに基づいて設定される。
【００６３】
上述したデータ伝送過程において、端末のＲＴＳフレームまたはＣＴＳフレームが干渉や衝突などの状況で目標端末（つまり、リシーバーアドレスの端末）に正常的に伝送されない場合、次の過程の遂行が中断される。ＲＴＳフレームを伝送した伝送端末ＳＴＡ１はデータの伝送が不可能であるとみなし、新たな乱数を割り当てられて次回の競争に参加するようになる。この際、新たに割り当てられる乱数は、上述したように、以前予め設定された乱数の範囲（競争ウィンドウ、ＣＷ）の２倍の範囲（２＊ＣＷ）内で決定される。
【００６４】
図８及び図９は、本発明の一実施例によるマルチユーザ伝送方法を示す図である。ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、または多重入力多重出力（Ｍｕｌｔｉ  Ｉｎｐｕｔ  Ｍｕｌｔｉ  Ｏｕｔｐｕｔ、ＭＩＭＯ）を利用する場合、一つの無線通信端末が複数の無線通信端末に同時にデータを伝送することができる。また、一つの無線通信端末は、複数の無線通信端末から同時にデータを受信することができる。例えば、ＡＰが複数のＳＴＡに同時にデータを伝送する下りリンクマルチーザ（Ｄｏｗｎｌｉｎｋ  Ｍｕｌｔｉ−Ｕｓｅｒ、ＤＬ−ＭＵ）伝送、複数のＳＴＡがＡＰに同時にデータを伝送する上りリンクマルチユーザ（Ｕｐｌｉｎｋ  Ｍｕｌｔｉ−Ｕｓｅｒ、ＵＬ−ＭＵ）伝送が行われる。
【００６５】
図８は、本発明の実施例によるＵＬ−ＭＵ伝送過程を示す図である。ＵＬ−ＭＵ伝送が行われるためには、上りリンク伝送を行う各ＳＴＡの使用チャネル及び伝送開始時点が調整されるべきである。ＵＬ−ＭＵ伝送の効率的なスケジューリングのためには、各ＳＴＡの状態情報がＡＰに伝達される必要がある。本発明の実施例によると、ＵＬ−ＭＵ伝送のスケジューリングのための情報は、パケットのプリアンブル及び／またはＭＡＣヘッダの予め設定されたフィールドを介して指示される。例えば、ＳＴＡは上りリンク伝送パケットのプリアンブルまたはＭＡＣヘッダの予め設定されたフィールドを介してＵＬ−ＭＵ伝送スケジューリングのための情報を示し、それをＡＰに伝送する。この際、ＵＬ−ＭＵ伝送スケジューリングのための情報は、各ＳＴＡのバッファ状態（ｂｕｆｆｅｒ  ｓｔａｔｕｓ)情報、各ＳＴＡで測定されたチャネル状態情報のうち少なくとも一つを含む。ＳＴＡのバッファ状態情報は、該当ＳＴＡが伝送する上りリンクデータを有しているのか否か、上りリンクデータのアクセスカテゴリ（Ａｃｃｅｓｓ  Ｃａｔｅｇｏｒｙ、ＡＣ）、上りリンクデータの大きさ（または、伝送所要時間）情報のうち少なくとも一つを示す。
本発明の実施例によると、ＵＬ−ＭＵ伝送過程はＡＰによって管理される。ＵＬ−ＭＵ伝送は、ＡＰが伝送するトリガー（ｔｒｉｇｇｅｒ)フレームの応答で行われる。ＳＴＡはトリガーフレームを受信した後、予め設定されたＩＦＳ時間（例えば、ＳＩＦＳ）の後に上りリンクデータを同時に伝送する。トリガーフレームはＳＴＡのＵＬ−ＭＵ伝送を要請し、上りリンク伝送ＳＴＡに割り当てられたチャネル（または、サブチャネル）情報を知らせる。ＡＰからトリガーフレームを受信すると、複数のＳＴＡはそれに応じてそれぞれの割り当てられたチャネル（または、サブチャネル）を介して上りリンクデータを伝送する。上りリンクデータの伝送が完了された後、ＡＰは上りリンクデータ伝送に成功したＳＴＡに対するＡＣＫを伝送する。この際、ＡＰは複数のＳＴＡに対するＡＣＫとして予め設定された多重ＳＴＡブロックＡＣＫ（Ｍｕｌｔｉ−ＳＴＡ  Ｂｌｏｃｋ  ＡＣＫ、Ｍ−ＢＡ）を伝送する。
【００６６】
ノンレガシー無線ＬＡＮシステムでは、２０ＭＨｚ帯域のチャネルで特定個数のサブキャリア、例えば、２６、５２または１０６個のトーンをサブチャネル単位の接続のためのリソースユニット（Ｒｅｓｏｕｒｃｅ  Ｕｎｉｔ、ＲＵ）として使用する。よって、トリガーフレームは、ＵＬ−ＭＵの伝送に参加する各ＳＴＡの識別情報と、割り当てられたリソースユニットの情報を示す。ＳＴＡの識別情報は、ＳＴＡのＡＩＤ（Ａｓｓｏｃｉａｔｉｏｎ  ＩＤ）、部分ＡＩＤ、ＭＡＣアドレスのうち少なくとも一つを含む。また、リソースユニットの情報は、リソースユニットの大きさ及び位置情報を含む。
【００６７】
一方、ノンレガシー無線ＬＡＮシステムでは、特定のリソースユニットに対する複数のＳＴＡの競争に基づいてＵＬ−ＭＵ伝送が行われる。例えば、特定のリソースユニットに対するＡＩＤフィールド値がＳＴＡに割り当てられない特定値（例えば、０）に設定されている場合、複数のＳＴＡは該当リソースユニットに対するランダムアクセス（Ｒａｎｄｏｍ  Ａｃｃｅｓｓ、ＲＡ）を試みる。
【００６８】
図９は、本発明の実施例によるＤＬ−ＭＵ伝送過程を示す図である。本発明の一実施例によると、ＤＬ−ＭＵ伝送過程でのＮＡＶを設定するために、予め設定されたフォーマットのＲＴＳ及び／またはＣＴＳフレームが使用される。まず、ＡＰはＤＬ−ＭＵ伝送過程でのＮＡＶ設定のためにマルチユーザＲＴＳ（ＭＵ−ＲＴＳ）フレームを伝送する。ＭＵ−ＲＴＳフレームのデュレーションフィールドは、ＤＬ−ＭＵ伝送セッションが終了される時点までに設定される。つまり、ＭＵ−ＲＴＳフレームのデュレーションフィールドは、ＡＰの下りリンクデータ伝送及びＳＴＡのＡＣＫフレーム伝送が完了されるまでの期間に基づいて設定される。ＡＰの周辺端末は、ＡＰが伝送するＭＵ−ＲＴＳフレームのデュレーションフィールドに基づいてＤＬ−ＭＵ伝送セッションの終了時点までＮＡＶを設定する。一実施例によると、ＭＵ−ＲＴＳフレームはトリガーフレームのフォーマットで構成され、ＳＴＡの同時（ｓｉｍｕｌｔａｎｅｏｕｓ)ＣＴＳ（ｓＣＴＳ）フレームの伝送を要請する。
【００６９】
ＡＰからＭＵ−ＲＴＳフレームを受信したＳＴＡ（ＳＴＡ１、ＳＴＡ２）は、ｓＣＴＳフレームを伝送する。複数のＳＴＡによって伝送されるｓＣＴＳフレームは、同じウェーブフォームを有する。つまり、第１チャネルを介してＳＴＡ１が伝送するｓＣＴＳフレームは、第１チャネルを介してＳＴＡ２が伝送するｓＣＴＳフレームと互いに同じウェーブフォームを有する。一実施例によると、ｓＣＴＳフレームはＭＵ−ＲＴＳフレームによって指示されたチャネルに伝送される。ｓＣＴＳフレームのデュレーションフォールドは、ＭＵ−ＲＴＳフレームのデュレーションフィールドの情報に基づいてＤＬ−ＭＵ伝送セッションが終了する時点までに設定される。つまり、ｓＣＴＳフレームのデュレーションフィールドは、ＡＰの下りリンクデータ伝送及びＳＴＡのＡＣＫフレーム伝送が完了されるまでの期間に基づいて設定される。図９において、ＳＴＡ１及びＳＴＡ２の周辺端末は、ｓＣＴＳフレームのデュレーションフィールドに基づいてＤＬ−ＭＵ伝送セッションの終了時点までＮＡＶを設定する。
【００７０】
本発明の一実施例によると、ＭＵ−ＲＴＳフレーム及びｓＣＴＳフレームは、２０ＭＨｚチャネル単位で伝送される。よって、レガシー端末を含む周辺端末は、ＭＵ−ＲＴＳフレーム及び／またはｓＣＴＳフレームを受信してＮＡＶを設定する。ＭＵ−ＲＴＳフレーム及びｓＣＴＳフレームの伝送が完了されると、ＡＰは下りリンク伝送を行う。図９では、ＡＰがＳＴＡ１とＳＴＡ２にそれぞれＤＬ−ＭＵデータを伝送する実施例を示している。ＳＴＡはＡＰが伝送する下りリンクデータを受信し、それに応じて上りリンクＡＣＫを伝送する。
【００７１】
図１０は、レガシーＰＰＤＵ（ＰＬＣＰ  Ｐｒｏｔｏｃｏｌ  Ｄａｔａ  Ｕｎｉｔ）フォーマットとノンレガシーＰＰＤＵフォーマットの一実施例を示す図である。より詳しくは、図１０（ａ）は８０２．１１ａ／ｇに基づいたレガシーＰＰＤＵフォーマットの一実施例を示し、図１０（ｂ）は８０２．１１ａｘに基づいたノンレガシーＰＰＤＵ（つまり、ＨＥ  ＰＰＤＵ）フォーマットの一実施例を示す。また、図１０（ｃ）は前記ＰＰＤＵフォーマットで共通的に使用されるＬ−ＳＩＧ及びＲＬ−ＳＩＧの細部フィールド構成を示す。
【００７２】
図１０（ａ)を参照すると、レガシーＰＰＤＵのプリアンブルはＬ−ＳＴＦ（Ｌｅｇａｃｙ  Ｓｈｏｒｔ  Ｔｒａｉｎｉｎｇ  ｆｉｅｌｄ）、Ｌ−ＬＴＦ（Ｌｅｇａｃｙ  Ｌｏｎｇ  Ｔｒａｉｎｉｎｇ  ｆｉｅｌｄ）、及びＬ−ＳＩＧ（Ｌｅｇａｃｙ  Ｓｉｇａｎｌ  ｆｉｅｌｄ）を含む。本発明の実施例において、前記Ｌ−ＳＴＦ、Ｌ−ＬＴＦ、及びＬ−ＳＩＧはレガシープリアンブルと称される。図１０（ｂ）を参照すると、ＨＥ  ＰＰＤＵのプリアンブルは、前記レガシープリアンブルにＲ−ＳＩＧ（Ｒｅｐｅａｔｅｄ  Ｌｅｇａｃｙ  Ｓｈｏｒｔ  Ｔｒａｉｎｉｎｇ  ｆｉｅｌｄ）、ＨＥ−ＳＩＧ−Ａ（Ｈｉｇｈ  Ｅｆｆｉｃｉｅｎｃｙ  Ｓｉｇｎａｌ  Ａ  ｆｉｅｌｄ）、ＨＥ−ＳＩＧ−Ｂ（Ｈｉｇｈ  Ｅｆｆｉｃｉｅｎｃｙ  Ｓｉｇｎａｌ  Ｂ  ｆｉｅｌｄ）、ＨＥ−ＳＩＦ（Ｈｉｇｈ  Ｅｆｆｉｃｉｅｎｃｙ  Ｓｈｏｒｔ  Ｔｒａｉｎｉｎｇ  ｆｉｅｌｄ）、ＨＥ−ＬＩＦ（Ｈｉｇｈ  Ｅｆｆｉｃｉｅｎｃｙ  Ｌｏｎｇ  Ｔｒａｉｎｉｎｇ  ｆｉｅｌｄ）を追加に含む。本発明の実施例において、前記ＲＬ−ＳＩＧ、ＨＥ−ＳＩＧ−Ａ、ＨＥ−ＳＩＧ−Ｂ、ＨＥ−ＳＴＦ、及びＨＥ−ＬＴＦはノンガシープリアンブルと称される。ノンガシープリアンブルの具体的な構成は、ＨＥ  ＰＰＤＵフォーマットに応じて変形される。例えば、ＨＥ−ＳＩＧ−ＢはＨＥ  ＰＰＤＵフォーマットのうち一部のフォーマットでのみ使用される。
【００７３】
ＰＰＤＵのプリアンブルに含まれたＬ−ＳＩＧは６５ＦＦＴ  ＯＦＤＭが適用され、計６４個のサブキャリアで構成される。このうち、ガードサブキャリア、ＤＣサブキャリア、及びパイロットサブキャリアを除く４８個のサブキャリアがＬ−ＳＩＧのデータ伝送用に使用される。もし、ＢＰＳＫ、Ｒａｔｅ＝１／２のＭＣＳ（Ｍｏｄｕｌａｔｉｏｎ  ａｎｄ  Ｃｏｄｉｎｇ  Ｓｃｈｅｍｅ）が適用される場合、Ｌ−ＳＩＧは計２４ビットの情報を含む。図１０（ｃ）は、Ｌ−ＳＩＧの２４ビット情報の構成を示す。
【００７４】
図１０（ｃ）を参照すると、Ｌ−ＳＩＧはＬ＿ＲＡＴＥフィールドとＬ＿ＬＥＮＧＴＨフィールドを含む。Ｌ＿ＲＡＴＥフィールドは４ビットで構成され、データの伝送に使用されたＭＣＳを示す。詳しくは、Ｌ＿ＲＡＴＥフィールドはＢＰＳＫ／ＱＰＳＫ／１６−ＱＡＭ／６４−ＱＡＭなどの変調方式と、１／２、２／３、３／４などの符号率を組み合わせた６／９／１２／１８／２４／３６／４８／５４Ｍｂｐｓの伝送速度のうち少なくとも一つの値を示す。Ｌ＿ＲＡＴＥフィールドとＬ＿ＬＥＮＧＴＨフィールドの情報を組み合わせると、該当ＰＰＤＵの総長を示すことができる。ノンレガシーＰＰＤＵは、Ｌ＿ＲＡＴＥフィールドを最小速度である６Ｍｂｐｓに設定する。
【００７５】
Ｌ＿ＬＥＮＧＴＨフィールドは１２ビットで構成され、Ｌ＿ＲＡＴＥフィールドとの組み合わせで該当ＰＰＤＵの長さを示す。この際、レガシー端末とノンレガシー端末は、Ｌ＿ＬＥＮＧＴＨフィールドを互いに異なる方法で解釈する。
【００７６】
まず、レガシー端末またはノンレガシー端末がＬ＿ＬＥＮＧＴＨフィールドを利用して該当ＰＰＤＵの長さを解釈する方法は以下のようである。Ｌ＿ＲＡＴＥフィールドが６Ｍｂｐｓに設定されている場合、６４ＦＦＴの一つのシンボルデュレーションである４ｕｓの間に３バイト（つまり、２４ビット）が伝送される。よって、Ｌ＿ＬＥＮＧＴＨフィールド値にＳＶＣフィールド及びＴａｉｌフィールドに当たる３バイトを足し、それを一つのシンボルの伝送量である３バイトで割ると、Ｌ−ＳＩＧ以降の６４ＦＦＴ基準のシンボル個数が獲得される。獲得されたシンボルの個数に一つのシンボルデュレーションである４ｕｓをかけた後、Ｌ−ＳＴＦ、Ｌ−ＬＴＦ、及びＬ−ＳＩＧの伝送に所用される２０ｕｓを足すと、該当ＰＰＤＵの長さ、つまり、受信時間ＲＸＴＩＭＥが獲得される。これを数式で表すと、下記数式１のようである。
【００７７】
【数１】
2020014250.tif 000003
【００７８】
この際、
【００７９】
【数２】
2020014250.tif 000004
はｘより大きいか同じである最小の自然数を示す。Ｌ＿ＬＥＮＧＨＴフィールドの最大値は４０９５であるため、ＰＰＤＵの長さは最大５．４６４ｍｓまでに設定される。しかし、レガシー端末でのＬ＿ＬＥＮＧＨＴフィールドの許容値は最大２３４０であるため、ＰＰＤＵの長さは最大３．１４４ｍｓまでに設定される。該当ＰＰＤＵを伝送するノンレガシー端末は、Ｌ＿ＬＥＮＧＴＨフィールドを下記数式２のように設定すべきである。
【００８０】
【数３】
2020014250.tif 000005
【００８１】
ここで、ＴＸＴＩＭＥは該当ＰＰＤＵを構成する全体の伝送時間であって、下記数式３のようである。この際、ＴｘはＸの伝送時間を示す。
【００８２】
【数４】
2020014250.tif 000006
【００８３】
前記数式を参照すると、ＰＰＤＵの長さはＬ＿ＬＥＮＧＴＨ／３を切り上げた値に基づいて計算される。よって、任意のｋ値に対し、Ｌ＿ＬＥＮＧＴＨ＝｛３ｋ＋１、３ｋ＋２、３（ｋ＋１）｝の３つの互いに異なる値が同じＰＰＤＵの長さを指示するようになる。本発明の実施例によると、ノンレガシー端末は同じＰＰＤＵの長さ情報を示す３つの互いに異なるＬ＿ＬＥＮＧＴＨ値を利用して追加のシグナリングを行う。より詳しくは、３つの互いに異なるＬ＿ＬＥＮＧＴＨ値のうち３ｋ＋１及び３ｋ＋２に当たる値はＨＥ  ＰＰＤＵフォーマットを指示するのに使用される。
【００８４】
図１１は、本発明の実施例による多様なＨＥ  ＰＰＤＵフォーマット及びそれの指示方法を示す図である。本発明の実施例によると、ＨＥ  ＰＰＤＵフォーマットは該当ＰＰＤＵのＬ＿ＬＥＮＧＴＨフィールドとＨＥ−ＳＩＧ−Ａによって基づいて指示される。より詳しくは、ＨＥ  ＰＰＤＵフォーマットはＬ＿ＬＥＮＧＴＨフィールドの値とＨＥ−ＳＩＧ−Ａシンボルに適用された変調技法のうち少なくとも一つに基づいて指示される。
【００８５】
まず、図１１（ａ）を参照すると、Ｌ＿ＬＥＮＧＴＨフィールドの値が３ｋ＋１の形態であれば（つまり、ｍｏｄ３＝１であれば）、該当ＰＰＤＵはＨＥ  ＳＵ  ＰＰＤＵまたはＨＥ  Ｔｒｉｇｇｅｒ−ｂａｓｅｄ  ＰＰＤＵである。ＨＥ  ＳＵ  ＰＰＤＵはＡＰと端末ＳＴＡ間のシングルユーザ（Ｓｉｎｇｌｅ−Ｕｓｅｒ）伝送のために使用されるＰＰＤＵであり、ＨＥ  Ｔｒｉｇｇｅｒ−ｂａｓｅｄ  ＰＰＤＵはトリガーフレームに対する応答である伝送のために使用される上りリンクＰＰＤＵである。ＨＥ  ＳＵ  ＰＰＤＵとＨＥ  Ｔｒｉｇｇｅｒ−ｂａｓｅｄ  ＰＰＤＵは、同じプリアンブルフォーマットを有する。ＨＥ  ＳＵ  ＰＰＤＵ及びＨＥ  Ｔｒｉｇｇｅｒ−ｂａｓｅｄ  ＰＰＤＵの場合、ＨＥ−ＳＩＧ−Ａの２つのシンボルはそれぞれＢＰＳＫ及びＢＰＳＫに変調される。
【００８６】
図１１（ｂ）に示した本発明の追加の実施例によると、Ｌ＿ＬＥＮＧＴＨフィールドの値が３ｋ＋１の形態であり（つまり、ｍｏｄ３＝１）、ＨＥ−ＳＩＧ−Ａの２つのシンボルがそれぞれＢＰＳＫ、ＱＢＰＳＫに変調されている場合、該当ＰＰＤＵは拡張ＰＰＤＵである。拡張ＰＰＤＵは、８０２．１１ａｘで支援するＰＰＤＵフォーマット以外の新たなＰＰＤＵフォーマットとして使用される。
【００８７】
次に、Ｌ＿ＬＥＮＧＴＨフィールドの値が３ｋ+２の形態であれば（つまり、ｍｏｄ＝２であれば）、該当ＰＰＤＵはＨＥ  ＭＵ  ＰＰＤＵまたはＨＥ  Ｅｘｔｅｎｄｅｄ  Ｒａｎｇｅ（ＥＲ）  ＳＵ  ＰＰＤＵである。ＨＥ  ＭＵ  ＰＰＤＵは、一つ以上の端末への伝送のために使用されるＰＰＤＵである。ＨＥ  ＭＵ  ＰＰＤＵフォーマットは図１１（ｃ）に示されており、ノンレガシープリアンブルにＨＥ−ＳＩＧ−Ｂを追加に含む。ＨＥ  ＭＵ  ＰＰＤＵの場合、ＨＥ−ＳＩＧ−Ａの２つのシンボルはそれぞれＢＰＳＫ及びＢＰＳＫに変調される。一方、ＨＥ  ＥＲ  ＳＵ  ＰＰＤＵは拡張された範囲にある端末とのシングルユーザ伝送のために使用される。ＨＥ  ＥＲ  ＳＵ  ＰＰＤＵフォーマットは図１１（ｄ）に示されており、ノンレガシープリアンブルのＨＥ−ＳＩＧ−Ａが時間軸で繰り返される。ＨＥ  ＥＲ  ＳＵ  ＰＰＤＵの場合、ＨＥ−ＳＩＧ−Ａの最初の２つのシンボルはそれぞれＢＰＳＫ及びＱＢＰＳＫに変調される。このように、ノンレガシー端末は、Ｌ＿ＬＥＮＧＴＨフィールドの値に追加にＨＥ−ＳＩＧ−Ａの２つのシンボルに使用された変調技法を介してＰＰＤＵフォーマットをシグナリングする。
【００８８】
図１１（ｃ）に示したＨＥ  ＭＵ  ＰＰＤＵは、ＡＰが複数のＳＴＡに下りリンク伝送を行うために使用される。この際、ＨＥ  ＭＵ  ＰＰＤＵは複数のＳＴＡが該当ＰＰＤＵを同時に受信するためのスケジューリング情報を含む。それだけでなく、ＨＥ  ＭＵ  ＰＰＤＵは単一ＳＴＡがＡＰに上りリンク伝送を行うために使用されてもよい。この際、ＨＥ  ＭＵ  ＰＰＤＵは、ＨＥ−ＳＩＧ−Ｂのユーザ特定（ｕｓｅｒ  ｓｐｅｃｉｆｉｃ)フィールドを介して該当ＰＰＤＵの受信者及び／または送信者のＡＩＤ情報を伝達する。よって、ＨＥ  ＭＵ  ＰＰＤＵを受信した端末は該当ＰＰＤＵのプリアンブルから獲得したＡＩＤ情報に基づいて空間的再使用（ｓｐａｔｉａｌ  ｒｅｕｓｅ)動作を行う。また、ＨＥ  ＭＵ  ＰＰＤＵを使用して一部の狭帯域を介したデータの伝送が行われる。ここで、狭帯域は２０ＭＨｚ未満の周波数帯域である。一実施例によると、ＨＥ  ＭＵ  ＰＰＤＵは狭帯域伝送に使用されるリソースユニットの割当情報をＨＥ−ＳＩＧ−Ｂを介して指示する。
【００８９】
より詳しくは、ＨＥ−ＳＩＧ−Ｂのリソースユニット割当（ｒｅｓｏｕｒｃｅ  ｕｎｉｔ  ａｌｌｏｃａｔｉｏｎ、ＲＡ）フィールドは、周波数ドメインから特定の帯域幅（例えば、２０ＭＨｚ）でのリソースユニット分割形態に関する情報を含む。また、分割された各リソースユニットに指定されたＳＴＡの情報は、ＨＥ−ＳＩＧ−Ｂのユーザ特定フィールドを介して伝達される。ユーザ特定フィールドは、分割された各リソースユニットに対応する一つ以上のユーザフィールドを含む。
【００９０】
分割されたリソースユニットのうち一部を利用した狭帯域伝送が行われる場合、伝送が行われるリソースユニットはＨＥ−ＳＩＧ−Ｂのユーザ特定フィールドを介して指示される。一実施例によると、分割された複数のリソースユニットのうちデータ伝送が行われるリソースユニット（ら）に対応するユーザフィールドに受信者または送信者のＡＩＤが挿入され、データ伝送が行われない残りのリソースユニット（ら）に対応するユーザフィールドには予め設定されたヌルＳＴＡ  ＩＤが挿入される。本発明の他の実施例によると、データ伝送が行われないリソースユニットに対応する第１ユーザフィールドと、データ伝送が行われるリソースユニットに対応する第２ユーザフィールドを介して狭帯域伝送がシグナリングされる。より詳しくは、第１ユーザフィールドには予め設定されたヌルＳＴＡ  ＩＤが挿入され、データ伝送が行われるリソースユニット（ら）の位置情報が該当ユーザフィールドの残りのサブフィールドを介して指示される。次に、第２ユーザフィールドには受信者または送信者のＡＩＤが挿入される。このように、端末は第１ユーザフィールドに含まれる位置情報、及び第２ユーザフィールドに含まれるＡＩＤ情報を介して狭帯域伝送をシグナリングする。この際、分割されたリソースユニットの個数より少ない個数のユーザフィールドのみ利用されるため、シグナリングオーバヘッドが減るようになる。
図１２は、本発明の追加の実施例によるＨＥ  ＰＰＤＵフォーマットを示す図である。図１２のそれぞれの実施例において、ＨＤ  ＰＰＤＵはＬ＿ＬＥＮＧＴＨフィールドの値が３ｋ＋１の形態であり（つまり、ｍｏｄ３＝１）、ＨＥ−ＳＩＧ−Ａの２つのシンボルがそれぞれＢＰＳＫ、ＱＢＰＳＫに変調されていると示されているが、本発明はこれに限らない。つまり、それぞれの実施例において、ＨＤ  ＰＰＤＵはＬ＿ＬＥＮＧＴＨフィールドの値が３ｋ+２の形態であるか（つまり、ｍｏｄ３＝２）、ＨＥ−ＳＩＧ−Ａの２つのシンボルがそれぞれＢＰＳＫ、ＢＰＳＫに変調されてもよい。
【００９１】
まず、図１２（ａ）は、本発明の一実施例によるＨＥ  ＥＲ  ＰＰＤＵフォーマットを示す。該当ＰＰＤＵフォーマットにおいて、ＨＥ−ＳＩＧ−ＡとＨＥ−ＳＩＧ−Ｂはそれぞれ時間ドメインで繰り返される。この場合、時間ドメインでＨＥ−ＳＩＧ−Ａ及びＨＥ−ＳＩＧ−Ｂが繰り返し伝送されることで、３ｄＢ以上の受信利得が得られるようになり、長距離でも信号受信が可能になる。図１２（ａ）の実施例によるＰＰＤＵフォーマットはＨＥ−ＳＩＧ−Ｂを追加にシグナリングすることができるため、下りリンクＥＲ（ｅｘｔｅｎｄｅｄ  ｒａｎｇｅ）マルチユーザ伝送に使用される。それだけでなく、該当ＰＰＤＵフォーマットは上りリンク／下りリンクＥＲシングルユーザ伝送においてデータの狭帯域伝送のために使用されてもよい。より詳しくは、前記ＰＰＤＵフォーマットは２５６ＦＦＴ／２０ＭＨｚ基盤に伝送されるデータ領域の一部のリソースユニットを利用した伝送をＨＥ−ＳＩＧ−Ｂを介してシグナリングする。よって、上りリンク／下りリンクシングルユーザ伝送の状況でも、２０ＭＨｚ帯域未満の２６トーンＲＵ、５２トーンＲＵ、または１０６トーンＲＵのみを利用した伝送が行われる。このような狭帯域伝送を介して、端末はＩＳＭ帯域で許容可能な全体の伝送パワーを狭いＲＵに集中して伝送することができる。つまり、６４ＦＦＴ／２０ＭＨｚ領域のＨＥ−ＳＩＧ−Ａ／Ｂを繰り返し伝送することによる伝送距離の拡張に加え、後半の２５６ＦＦＴ／２０ＭＨｚ領域のデータ伝送でも伝送距離が拡張される。また、該当ＰＰＤＵフォーマットは下りリンクマルチユーザ伝送におけるデータの狭帯域伝送のために使用されてもよい。例えば、図１２（ａ）に示したように、ＡＰはＰＰＤＵのＨＥ−ＳＩＧ−Ｂを介して２０ＭＨｚ帯域の分割情報を指示し、分割されたリソースユニットのうち少なくとも２つを含む一部のリソースユニットを狭帯域伝送に使用してもよい。この際、ＩＳＭ帯域で許容可能な全体の伝送パワーを一部のリソースユニットに集中して伝送することで、伝送距離が増加する。
【００９２】
次に、図１２（ｂ）は、本発明の他の実施例によるＨＥ  ＥＲ  ＰＰＤＵフォーマットを示す。該当ＰＰＤＵフォーマットにおいて、ＨＥ−ＳＩＧ−Ａは時間ドメインで繰り返され、プリアンブルオーバヘッドを減らすためにＨＥ−ＳＩＧ−Ｂは伝送されない。この場合、時間ドメインでＨＥ−ＳＩＧ−Ａが繰り返し伝送されることで、３ｄＢ以上の受信利得が得られるようになっており、長距離でも信号受信が可能になる。一実施例によると、図１２（ｅ）によるＰＰＤＵフォーマットと図１２（ｂ）によるＰＰＤＵフォーマットに区分は、ＨＥ−ＳＩＧ−Ａの予め設定されたフィールドを介して指示される。図１２（ｂ）の実施例によるＰＰＤＵフォーマットは、上りリンク／下りリンクＥＲシングルユーザ伝送においてデータの狭帯域伝送のために使用されてもよい。この際、該当ＰＰＤＵフォーマットはＨＥ−ＳＩＧ−Ｂを介したシナグリングがなくても、２５６ＦＦＴ／２０ＭＨｚ基盤に伝送されるデータ領域の特定のリソースユニットを利用した伝送を指示することができる。例えば、２０ＭＨｚ帯域幅内で予め設定された一部のリソースユニットのみを利用した伝送がＨＥ−ＳＩＧ−Ａの特定フィールド（例えば、Ｂａｎｄｗｉｄｔｈフィールド）を介して指示される。この際、予め設定された一部のリソースユニットは、特定位置の２６トーンＲＵ、５２トーンＲＵ、及び１０６トーンＲＵのうち少なくとも一つである。ＨＥ  ＥＲ  ＰＰＤＵにおいて、ＨＥ−ＳＩＧ−Ａの予め設定されたフィールドは、予め設定された一部のリソースユニットを利用した伝送が行われるのか、または２０ＭＨｚの全体帯域（つまり、２４２トーンＲＵ）を利用した伝送が行われるのかを指示する。このように、図１２（ｂ）の実施例によると、ＨＥ  ＥＲ  ＰＰＤＵにおいて、ＨＥ−ＳＩＧ−Ｂを使用せずもＨＥ−ＳＩＧ−Ａの簡単なシグナリングのみで予め設定された狭帯域伝送が指示される。
【００９３】
次に、図１２（ｃ）は、本発明のまた他の実施例によるＨＥ  ＥＲ  ＰＰＤＵフォーマットを示す。該当ＰＰＤＵフォーマットにおいて、ＨＥ−ＳＩＧ−Ａは時間ドメインで繰り返され、プリアンブルオーバヘッドを減らすためにＨＥ−ＳＩＧ−Ｂは伝送されない。代わりに、２５６ＦＦＴ／２０ＭＨｚ領域で伝送されるＨＥ−ＳＩＧ−Ｃが追加に使用される。この場合、時間ドメインでＨＥ−ＳＩＧ−Ａが繰り返し伝送されることで。３ｄＢ以上の受信利得が得られるようになっており、長距離でも信号受信が可能になる。該当ＰＰＤＵフォーマットはＨＥ−ＳＩＧ−Ｂを介したシナグリングがなくても、２５６ＦＦＴ／２０ＭＨｚ基盤に伝送されるデータ領域の特定のリソースユニットを利用した伝送を指示することができる。これに関する具体的な実施例は図１２（ｂ）で述べたようである。ＨＥ−ＳＩＧ−Ｇは、端末が該当リソースユニットを介して伝送されるデータをデコーディングするための情報、例えば、ＭＣＳ、ＴｘＢＦ（Ｔｒａｎｓｍｉｔ  Ｂｅａｍｆｏｒｍｉｎｇ）の適用可否、ＢＣＣ（Ｂｉｎａｒｙ  Ｃｏｎｖｏｌｕｔｉｏｎａｌ  Ｃｏｄｅ）／ＬＤＰＣ（Ｌｏｗ  Ｄｅｎｓｉｔｙ  Ｐａｒｉｔｙ  Ｃｈｅｃｋ）コーディング指示者などを伝達する。
【００９４】
最後に、図１２（ｄ）は、本発明のまた他の実施例によるＨＥ  ＰＰＤＵフォーマットを示す。該当ＰＰＤＵフォーマットにおいて、ＨＥ−ＳＩＧ−Ａは時間ドメインで繰り返されず、ＨＥ−ＳＩＧ−Ｂは伝送されない。代わりに、２５６ＦＦＴ／２０ＭＨｚ領域で伝送されるＨＥ−ＳＩＧ−Ｃが追加に使用される。図１２（ｄ）の実施例によるＰＰＤＵは、ＡＰ周辺のＳＴＡがＨＥ−ＳＩＧ−Ａに含まれたＴＸＯＰ（Ｔｒａｎｓｍｉｓｓｉｏｎ  Ｏｐｐｏｒｔｕｎｉｔｙ）デュレーション情報を利用してＮＡＶを設定するようにするために使用される。該当ＰＰＤＵフォーマットはＨＥ−ＳＩＧ−Ｂを介したシナグリングがなくても、２５６ＦＦＴ／２０ＭＨｚ基盤に伝送されるデータ領域の特定のリソースユニットを利用した伝送を指示することができる。これに関する具体的な実施例は図１２（ｂ）で述べたようである。ＨＥ−ＳＩＧ−Ｃは、上述したように、端末が該当リソースユニットを介して伝送されるデータをデコーディングするための情報を伝達する。
図１３は、本発明の一実施例によるＰＰＤＵフォーマットに基づいたパワーセーブ動作のシナリオを示す図である。ノンレガシーＡＰが運営するＢＳＳでは、ＥＲモードを支援するＳＴＡ（つまり、ＥＲ  ＳＴＡ）とＥＲモードを支援しないＳＴＡ（つまり、ｎｏｎ−ＥＲ  ＳＴＡ）が混在している。図１３の実施例において、ＳＴＡ  「Ａ」はｎｏｎ−ＥＲ  ＳＴＡを、ＳＴＡ  「Ｂ」はＥＲ  ＳＴＡを示す。
【００９５】
本発明に実施例によると、ｎｏｎ−ＥＲ  ＳＴＡが同じＢＳＳ（ｉｎｔｒａ−ＢＳＳ）のＥＲ  ＰＰＤＵを受信するとパワーセーブモードに進入する。図１３において、ＡＰはＳＴＡ  「Ｂ」とＥＲ  ＳＵ  ＰＰＤＵを交換し、該当ＰＰＤＵを受信したＳＴＡ  「Ａ」は受信されたＰＰＤＵの長さの間にパワーセーブモードに進入する。ＳＴＡはＡＰと結合を行う際、ＥＲモードの支援可否を交渉する。よって、ｎｏｎ−ＥＲ  ＳＴＡが同じＢＳＳのＥＲ  ＰＰＤＵを受信すると、該当ＰＰＤＵが自らに伝送されたＰＰＤＵではないことが自明なため、追加のプロセッシングなしにパワーセーブモードに進入することができる。
【００９６】
図１４は、ＨＥ  ＰＰＤＵフォーマットによるＨＥ−ＳＩＧ−Ａフィールドの構成の実施例を示す図である。ＨＥ−ＳＩＧ−Ａは６４ＦＦＴの２つのシンボルで構成され、ＨＥ  ＰＰＤＵの受信のための共通情報を指示する。ＨＥ−ＳＩＧ−Ａの最初のシンボルはＢＰＳＫに変調され、２番目のシンボルはＢＰＳＫまたはＱＢＰＳＫに変調される。ＨＥ  ＥＲ  ＳＵ  ＰＰＤＵでは、ＨＥ−ＳＩＧ−Ａの２つのシンボルが繰り返し伝送される。つまり、ＨＥ  ＥＲ  ＳＵ  ＰＰＤＵのＨＥ−ＳＩＧ−Ａは４つのシンボルで構成されるが、このうち最初のシンボルと２番目のシンボルが同じデータビットを有し、３番目のシンボルと４番目のシンボルが同じデータビットを有する。
【００９７】
まず、図１４（ａ）は、ＨＥ  ＳＵ  ＰＰＤＵのＨＥ−ＳＩＧ−Ａフィールドのサブフィールドの構成を示す。一実施例によると、ＨＥ  ＥＲ  ＳＵ  ＰＰＤＵのＨＥ−ＳＩＧ−Ａフィールドもこれと同じく構成される。ＨＥ−ＳＩＧ−Ａフィールドに含まれた各フィールドの機能を説明すると以下のようである。
【００９８】
上りリンク／下りリンクフィールドは、該当フィールドの伝送方向を指示する。つまり、前記フィールドは、該当ＰＰＤＵが上りリンク伝送であるのかまたは下りリンク伝送であるのかを指示する。フォーマットフィールドは、ＨＥ  ＳＵ  ＰＰＤＵとＨＥ  Ｔｒｉｇｇｅｒ−ｂａｓｅｄ  ＰＰＤＵを区分するのに使用される。ＢＳＳカラーフィールドは６ビットで構成され、該当ＰＰＤＵを伝送した端末に対応するＢＳＳの識別子を指示する。空間的再使用フィールドは、該当ＰＰＤＵが伝送される間に空間的再使用伝送を行おうとする端末が参照し得るＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、伝送パワーなどの情報を伝達する。
【００９９】
ＴＸＯＰデュレーションフィールドは、ＴＸＯＰ保護及びＮＡＶ設定のためのデュレーション情報を示す。前記フィールドは該当ＰＰＤＵの後に継続的な伝送が行われるＴＸＯＰ区間のデュレーションを設定し、周辺端末が該当期間の間にＮＡＶを設定するようにする。帯域幅フィールドは、該当ＰＰＤＵが伝送される総帯域の幅を示す。一実施例によると、帯域幅フィールドは２ビットで構成されるが、２０ＭＨｚ、４０ＭＨｚ、８０ＭＨｚ、及び１６０ＭＨｚ（８０＋８０ＭＨｚを含む）のうちいずれか一つを指示する。ＭＣＳフィールドは、該当ＰＰＤＵのデータフィールドに適用されたＭＣＳ値を指示する。ＣＰ＋ＬＴＥサイズフィールドは、ＣＰ（Ｃｙｃｌｉｃ  Ｐｒｅｆｉｘ）またはＧＩ（Ｇｕａｒｄ  Ｉｎｔｅｒｖａｌ）のデュレーションとＨＥ−ＬＴＦのサイズを指示する。より詳しくは、前記フィールドは１ｘ、２ｘ、４ｘＨＥ−ＬＴＦのうち使用されたＨＥ−ＬＴＦのサイズ、そして０．８ｕｓ、１．６ｕｓ、２．３ｕｓのうちからデータフィールドに使用されたＣＰ（または、ＧＩ）値の組み合わせを示す。
【０１００】
コーディングフィールドは、ＢＣＣ及びＬＤＰＣのうちどのコーディング技法が使用されているのかを指示する。また、前記フィールドはＬＤＰＣのための追加のＯＦＤＭシンボルの存在可否を指示する。ＮＳＴＳ（Ｎｕｍｂｅｒ  ｏｆ  Ｓｐａｃｅ  Ｔｉｍｅ  Ｓｔｒｅａｍ）フィールドは、ＭＩＭＯ伝送に使用される空間−時間ストリームの個数を指示する。ＳＴＢＣ（Ｓｐａｃｅ  Ｔｉｍｅ  Ｂｌｏｃｋ  Ｃｏｄｉｎｇ）フィールドは、空間−時間ブロックコーディングが使用されたのか否かを指示する。ＴｘＢＦフィールドは、該当ＰＰＤＵの伝送にビームフォーミングが適用されたのか否かを示す。ＤＣＭ（Ｄｕａｌ  Ｃａｒｒｉｅｒ  Ｍｏｄｕｌａｔｉｏｎ）フィールドは、データフィールドにデュアルキャリアモジュレーションが適用されたのか否かを指示する。デュアルキャリアモジュレーションは、狭帯域干渉に備えて２つのサブキャリアに同じ情報を伝送する。パケット拡張フィールドは、該当ＰＰＤＵのどのようなレベルのパケット拡張が適用されたのかを指示する。ビーム交換フィールドは、該当ＰＰＤＵのＨＥ−ＳＴＦ以前の部分がＨＥ−ＬＴＦと空間的に異なるようにマッピングされるのか否かを指示する。ＣＲＣフィールド及びテールフィールドは、それぞれ前記ＨＥ−ＳＩＧ−Ａフィールド情報の真偽を判別し、ＢＣＣデコーダを初期化するにも使用される。
【０１０１】
次に、図１４（ｂ）は、ＨＥ  ＭＵ  ＰＰＤＵのＨＥ−ＳＩＧ−Ａフィールドのサブフィールドの構成を示す。図１４（ｂ）のサブフィールドのうち、図１４（ａ）で説明したサブフィールドと同じサブフィールドについては重複する説明を省略する。
【０１０２】
上りリンク／下りリンクフィールドは、該当フィールドの伝送方向を指示する。つまり、前記フィールドは、該当ＰＰＤＵが上りリンク伝送であるのかまたは下りリンク伝送であるのかを指示する。ＨＥ  ＭＵ  ＰＰＤＵの帯域幅フィールドは、ＨＥ  ＳＵ  ＰＰＤＵの帯域幅に加えて追加の帯域幅を指示する。つまり、ＨＥ  ＭＵ  ＰＰＤＵの帯域幅フィールドは３ビットで構成されるが、２０ＭＨｚ、４０ＭＨｚ、８０ＭＨｚ、１６０ＭＨｚ（８０＋８０ＭＨｚを含む）、及び予め設定された不連続帯域のうちいずれか一つを指示する。予め設定された不連続帯域の具体的な実施例は後述する。
【０１０３】
ＳＩＧ−Ｂ−ＭＣＳフィールドは、ＨＥ−ＳＩＧ−Ｂフィールドに適用されたＭＣＳを指示する。ＨＥ−ＳＩＧ−Ｂは、シグナリングが必要な情報量に応じて、ＭＣＳ０からＭＣＳ５の間の可変ＭＣＳが適用される。ＣＰ＋ＬＴＥサイズフィールドは、ＣＰまたはＧＩのデュレーションとＨＥ−ＬＴＦのサイズを指示する。前記フィールドは、２ｘ、４ｘ、ＨＥ−ＬＴＦのうち使用されたＨＥ−ＬＴＦのサイズ、そして０．８ｕｓ、１．６ｕｓ、２．３ｕｓのうちからデータフィールドに使用されたＣＰ（または、ＧＩ）値の組み合わせを示す。
【０１０４】
ＳＩＧ−Ｂ圧縮フィールドは、ＨＥ−ＳＩＧ−Ｂフィールドの圧縮モードの使用可否を指示する。ＨＥ  ＭＵ  ＰＰＤＵが全体帯域幅（ｆｕｌｌ  ｂａｎｄｗｉｄｔｈ）でＭＵ−ＭＩＭＯを利用して伝送される場合、各２０ＭＨｚ帯域別のリソースユニット割当情報は不必要になる。よって、全体帯域幅ＭＵ−ＭＩＭＯ伝送において、ＳＩＧ−Ｂ圧縮フィールドはＨＥ−ＳＩＧ−Ｂフィールドの圧縮を指示するが、この際、リソースユニット割当フィールドを含む共通ブロックフィールドはＨＥ−ＳＩＧ−Ｂフィールドに存在しない。ＳＩＧ−Ｂ  ＤＣＭフィールドは、ＨＥ−ＳＩＧ−Ｂフィールドの安定的な伝送のために該当フィールドがＤＣＭに変調された否かを指示する。ＨＥ−ＳＩＧ−Ｂシンボルの個数フィールドは、ＨＥ−ＳＩＧ−ＢフィールドでのＯＦＤＭシンボルの個数情報を指示する。
【０１０５】
一方、後述するように、ＨＥ  ＭＵ  ＰＰＤＵが４０ＭＨｚ以上の帯域で伝送される場合、ＨＥ−ＳＩＧ−Ｂは２０ＭＨｚ単位で２種類のコンテンツチャネルで構成される。これを、それぞれＨＥ−ＳＩＧ−Ｂコンテンツチャネル１、及びＨＥ−ＳＩＧ−Ｂコンテンツチャネル２という。本発明の一実施例によると、ＨＥ−ＳＩＧ−ＢコンテンツチャネルとＨＥ−ＳＩＧ−Ｂコンテンツチャネル２に適用されるＭＣＳを互いに異なるようにすることで、各チャネルにおけるＨＥ−ＳＩＧ−Ｂのシンボル数が同じように維持される。ＨＥ  ＭＵ  ＰＰＤＵのＨＥ−ＳＩＧ−ＡフィールドはＳＩＧ−ＢデュアルＭＣＳフィールドを含むが、該当フィールドを介してＨＥ−ＳＩＧ−ＢコンテンツチャネルとＨＥ−ＳＩＧ−Ｂコンテンツチャネル２に適用されたＭＣＳが互いに異なるのか否かが指示される。
【０１０６】
本発明の実施例によると、ＳＩＧ−Ｂ圧縮フィールドがＨＥ−ＳＩＧ−Ｂフィールドの圧縮モードを指示する場合（つまり、全体帯域幅ＭＵ−ＭＩＭＯ伝送を指示する場合）、ＨＥ−ＳＩＧ−Ａの特定サブフィールドはＭＵ−ＭＩＭＯユーザの個数情報を指示する。例えば、全体帯域幅ＭＵ−ＭＩＭＯ伝送が行われれば、ＨＥ−ＳＩＧ−Ｂコンテンツチャネル１とＨＥ−ＳＩＧ−Ｂコンテンツチャネル２は互いに異なるＭＣＳ情報を介して情報量を分散する必要がない。よって、ＳＩＧ−Ｂ圧縮フィールドがＨＥ−ＳＩＧ−Ｂフィールドの圧縮モードを指示する場合、ＨＥ−ＳＩＧ−ＡのＳＩＧ−ＢデュアルＭＣＳフィールドはＭＵ−ＭＩＭＯユーザの個数情報を指示する。同じく、全体帯域幅ＭＵ−ＭＩＭＯ伝送が行われれば、それぞれのＨＥ−ＳＩＧ−Ｂコンテンツチャネルのシンボルの個数情報が個別的に伝達される必要がない。よって、ＳＩＧ−Ｂ圧縮フィールドがＨＥ−ＳＩＧ−Ｂフィールドの圧縮モードを指示する場合、ＨＥ−ＳＩＧ−ＡのＨＥ−ＳＩＧ−Ｂシンボルの個数フィールドはＭＵ−ＭＩＭＯユーザの個数情報を指示する。このように、ＨＥ−ＳＩＧ−Ｂリソースユニット割当フィールドが省略された圧縮モードにおいて、ＨＥ−ＳＩＧ−Ａの特定のサブフィールドを介してＭＵ−ＭＩＭＯユーザの個数情報が指示される。
【０１０７】
本発明の実施例によると、ＨＥ  ＭＵ  ＰＰＤＵはＤＬ−ＭＵ伝送に使用される。しかし、以下のような追加の状況において、ＨＥ  ＭＵ  ＰＰＤＵは下りリンク伝送と上りリンク伝送両方で使用される。
【０１０８】
一実施例によると、ＡＰと単一ＳＴＡ間の上りリンク／下りリンク伝送において、ＯＦＤＭＡ基盤の伝送のためにＨＥ  ＭＵ  ＰＰＤＵが使用される。より詳しくは、全体帯域のうち一部連続または不連続チャネルのみを利用してＡＰと単一ＳＴＡ間の伝送が行われる。例えば、ＳＴＡがＡＰに８０ＭＨｚ  ＰＰＤＵを伝送するためにＣＣＡを行った結果、２０ＭＨｚ副チャネルのみ占有状態であれば、ＳＴＡは２０ＭＨｚ主チャネル及び４０ＭＨｚ副チャネルを介してＰＰＤＵを伝送する。また、２０ＭＨｚ内で一部のリソースユニットのみを利用した狭帯域伝送がＡＰと単一ＳＴＡ間で行われてもよい。このように、不連続チャネルを利用した伝送または狭帯域伝送が行われる場合、伝送されるＰＰＤＵではＨＥ−ＳＩＧ−Ｂフィールドを介して追加にリソースユニット割当情報が伝達されるべきである。よって、端末はＨＥ  ＭＵ  ＰＰＤＵを使用してこのような伝送を行う。不連続チャネルを利用した伝送及び狭帯域伝送の具体的な実施例は後述する。
【０１０９】
他の実施例によると、空間的再使用動作の高度化のために、ＨＥ−ＳＩＧ−Ｂフィールドの伝送が必要であればＨＥ  ＭＵ  ＰＰＤＵが使用される。ＨＥ  ＭＵ  ＰＰＤＵはＨＥ  ＳＵ  ＰＰＤＵとは異なって、ＨＥ−ＳＩＧ−Ｂのユーザフィールドを介して受信者のＡＩＤを指示する。しかし、本発明の一実施例によると、ＨＥ  ＭＵ  ＰＰＤＵが上りリンク伝送に使用されれば該当ＰＰＤＵの受信者はＡＰであることが自明なため、ＨＥ−ＳＩＧ−Ｂのユーザフィールドは送信者のＡＩＤを指示することができる。前記ＨＥ  ＭＵ  ＰＰＤＵを受信した周辺端末は、空間的再使用動作を行う。
【０１１０】
例えば、任意のＢＳＳ１とＢＳＳ２が存在し、ＢＳＳ１のＳＴＡ１がＨＥ  ＵＬ  ＭＵ  ＰＰＤＵを伝送する仮定する。前記ＰＰＤＵをオーバヒアリング（ｏｖｅｒ  ｈｅａｒｉｎｇ）したＢＳＳ２のＳＴＡは、該当ＰＰＤＵの受信者であるＢＳＳ１  ＡＰとの距離を以前受信したＢＳＳ１  ＡＰのＤＬ  ＰＰＤＵを介して推定する。よって、ＢＳＳ２のＳＴＡは受信者であるＢＳＳ１のＡＰに対する干渉を考慮して空間的再使用動作を行う。また、ＢＳＳ１のＡＰがＢＳＳ１のＳＴＡ１に伝送するＤＬ  ＰＰＤＵが受信される場合でも、ＢＳＳ２のＳＴＡは以前ＳＴＡ１のＨＥ  ＵＬ  ＭＵ  ＰＰＤＵから測定された信号強度に基づいて、該当ＰＰＤＵの受信者であるＢＳＳ１のＳＴＡ１に対する干渉を考慮して空間的再使用動作を行う。空間的再使用動作において、ＳＴＡは受信したＰＰＤＵが他のＢＳＳ（ＯＢＳＳ）のＰＰＤＵであり、該当ＰＰＤＵの受信者に対する干渉が予め設定されたレベル未満であれば伝送を試みる。
【０１１１】
次に、図１４（ｃ）は、ＨＥ  Ｔｒｉｇｇｅｒ−ｂａｓｅｄ  ＰＰＤＵのＨＥ−ＳＩＧ−Ａフィールドのサブフィールドの構成を示す。図１４（ｃ）のサブフィールドのうち、図１４（ａ）または図１４（ｂ）で説明したサブフィールドと同じサブフィールドについては重複する説明を省略する。
【０１１２】
フォーマットフィールドは、ＨＥ  ＳＵ  ＰＰＤＵとＨＥ  Ｔｒｉｇｇｅｒ−ｂａｓｅｄ  ＰＰＤＵを区分するのに使用される。また、ＨＥ  Ｔｒｉｇｇｅｒ−ｂａｓｅｄ  ＰＰＤＵは上述したＢＳＳカラーフィールド、ＴＸＯＰデュレーションフィールドを含む。ＨＥ  Ｔｒｉｇｇｅｒ−ｂａｓｅｄ  ＰＰＤＵの空間的再使用フィールドは１６ビットで構成され、総帯域幅（ｔｏｔａｌ  ｂａｎｄｗｉｄｔｈ）に応じて２０ＭＨｚまたは４０ＭＨｚ単位で空間的再使用動作のための情報を伝達する。帯域幅フィールドは２ビットで構成されるが、２０ＭＨｚ、４０ＭＨｚ、８０ＭＨｚ、及び１６０ＭＨｚ（８０＋８０ＭＨｚを含む）のうちいずれか一つを指示する。
【０１１３】
図１５は、本発明の一実施例によるＨＥ−ＳＩＧ−Ｂフィールドの構成を示す図である。ＨＥ−ＳＩＧ−ＢフィールドはＨＥ  ＭＵ  ＰＰＤＵに存在し、２０ＭＨｚ単位で伝送される。また、ＨＥ−ＳＩＧ−ＢフィールドはＨＥ  ＭＵ  ＰＰＤＵを受信するために必要な情報を指示する。図１５（ａ）に示したように、ＨＥ−ＳＩＧ−Ｂは共通ブロックフィールドとユーザ特定フィールドで構成される。
【０１１４】
図１５（ｂ）は、ＨＥ−ＳＩＧ−Ｂの共通ブロックフィールドのサブフィールド構成の一実施例を示す。まず、共通ブロックフィールドはリソースユニット割当ＲＡフィールドを含む。図１５（ｃ）は、ＲＡフィールドの一実施例を示す。
【０１１５】
図１５（ｃ）を参照すると、ＲＡフィールドは周波数ドメインで特定の帯域幅（例えば、２０ＭＨｚ）のリソースユニット割当に関する情報を含む。より詳しくは、ＲＡフィールドは８ビット単位で構成され、特定の帯域幅を構成するリソースユニットの大きさと周波数ドメインでのそれらの配列をインデクシングする。また、ＲＡフィールドは各リソースユニットにおけるユーザの数を指示する。ＰＰＤＵが伝送される総帯域幅が予め設定された帯域幅（例えば、４０ＭＨｚ）より大きければ、ＲＡフィールドは８ビットの倍数の大きさに設定されて前記特定の帯域幅単位で情報を伝達する。
【０１１６】
分割された各リソースユニットは、一般に一つのユーザに割り当てられる。しかし、一定帯域幅（例えば、１０６トーン）以上のリソースユニットは、ＭＵ−ＭＩＭＯを利用して複数のユーザに割り当てられる。この際、ＲＡフィールドは該当リソースユニットのユーザ数情報を指示する。それだけでなく、ＲＡフィールドはユーザ特定フィールドが伝送されない特定のリソースユニット、つまり、ユーザに割り当てられない特定のリソースユニット（つまり、空きＲＵ）を予め設定されたインデックスを介して指示する。一実施例によると、特定のリソースユニットは２０ＭＨｚチャネルの倍数の帯域幅を有するリソースユニットＲＵ、つまり、２４２トーンＲＵ、４８４トーンＲＵ、９９６トーンＲＵなどを含む。前記インデックス値が指示する空き（ｅｍｐｔｙ）ＲＵでは、データの伝送が行われない。このように、端末はＨＥ−ＳＩＧ−ＢのＲＡフィールドの予め設定されたインデックスを介して２０ＭＨｚ単位の不連続チャネル割当情報をシグナリングする。
【０１１７】
本発明の実施例によると、８０ＭＨｚ以上の総帯域幅でＰＰＤＵが伝送される場合、共通ブロックフィールドは８０ＭＨｚでの中央２６トーンＲＵがユーザに割り当てられたのか否かを示すフィールド（以下、Ｃ２６フィールド）を更に含む。前記Ｃ２６フィールドは、共通ブロックフィールド内でＲＡフィールド以前または以降に位置する１ビットの指示者で構成される。
【０１１８】
一方、ユーザ特定フィールドは複数のユーザフィールドで構成され、割り当てられた各リソースユニットに指定されたＳＴＡのための情報を伝達する。ユーザ特定フィールドに含まれるユーザフィールドの総個数は、ＲＡフィールド及びＣ２６フィールドに基づいて決定される。複数のユーザフィールドは、ユーザブロックフィールド単位で伝送される。ユーザブロックフィールドは、２つのユーザフィールドとＣＲＣフィールド、及びテールフィールドの組み合わせで作られる。ユーザフィールドの総個数に応じて、最後のユーザブロックフィールドは１つまたは２つのＳＴＡのための情報を含む。例えば、総３つのユーザ（つまり、ＳＴＡ１、ＳＴＡ及びＳＴＡ３）が指定される場合、最初のユーザブロックフィールドではＳＴＡ１及びＳＴＡ２のための情報がコーディングされてＣＲＣ／テールフィールド共に伝送され、最後のユーザブロックフィールドではＳＴＡ３のための情報がコーディングされてＣＲＣ／テールフィールド共に伝送される。
【０１１９】
図１５（ｄ）−１及び図１５（ｄ）−２は、それぞれＨＥ−ＳＩＧ−Ｂのユーザフィールドのサブフィールドの構成の実施例を示す。図１５（ｄ）−１はＯＦＤＭＡ伝送のためのユーザフィールドを示し、図１５（ｄ）−２はＭＵ−ＭＩＭＯ伝送のためのユーザフィールドを示す。それぞれのユーザフィールドは、対応するリソースユニットの受信者ＡＩＤを指示する。例外的に、ＨＥ  ＭＵ  ＰＰＤＵが上りリンク伝送に使用される場合、ユーザフィールドは送信者ＡＩＤを指示する。一つのリソースユニットに一つのユーザが割り当てられる場合（つまり、ｎｏｎ−ＭＵ−ＭＩＭＯ割当）、ユーザフィールドは図１５（ｄ）−１に示したように、ＮＳＴＳ、ＴｘＢＦ、ＭＣＳ、ＤＭＣ、及びコーディングフィールドを含む。一方、一つのリソースユニットに多数のユーザが割り当てられた場合（つまり、ＭＵ−ＭＩＭＯ割当）、ユーザフィールドは図１５（ｄ）−２に示したように、空間構成フィールド（ＳＣＦ）、ＭＣＳ、ＤＭＣ、及びコーディングフィールドを含む。ＭＵ−ＭＩＭＯ割当を介してＰＰＤＵを受信する各ＳＴＡは、該当リソースユニットで自らのための空間的ストリームの位置と個数を識別すべきである。このために、ＭＵ−ＭＩＭＯ伝送のためのユーザフィールドは空間構成フィールド（ＳＣＦ）を含む。
【０１２０】
図１５（ｅ）は、ＨＥ−ＳＩＧ−ＢのＳＣＦの一実施例を示す。ＳＣＦは、各ＳＴＡのための空間的ストリームの個数と、ＭＵ−ＭＩＭＯ割当における空間的ストリームの総個数を指示する。各ＳＴＡはＲＡフィールドを介して該当ＰＰＤＵのＯＦＤＭＡ及び／またはＭＩＭＯ割当を識別し、ユーザ特定フィールド上で呼び出された順に応じて、該当ＳＴＡがＭＵ−ＭＩＭＯ割当を介してデータを受信するのか否かを識別する。もしＳＴＡがｎｏｎ−ＭＵ−ＭＩＭＯ割当を介してデータを受信する場合、ユーザフィールドを図１５（ｄ）−１のフォーマットによって解釈する。しかし、ＳＴＡがＭＵ−ＭＩＭＯ割当を介してデータを受信する場合、ユーザフィールドを図１５（ｄ）−２のフォーマットによって解釈する。一方、ＳＩＧ−Ｂ圧縮フィールドが全体帯域幅ＭＵ−ＭＩＭＯを指示する場合、ＨＥ−ＳＩＧ−ＢにはＲＡフィールドが存在しない。この際、ユーザ特定フィールドでシグナリングされる全てのＳＴＡはＭＵ−ＭＩＭＯ割当を介してデータを受信するため、前記ＳＴＡはユーザフィールドを図１５（ｄ）−２のフォーマットによって解釈する。
【０１２１】
図１６は、本発明の実施例によるＨＥ−ＳＩＧ−Ｂのエンコーディング構造及び伝送方法を示す図である。図１６（ａ）はＨＥ−ＳＩＧ−Ｂのエンコーディング構造を示し、図１６（ｂ）は４０ＭＨｚ帯域幅以上でのＨＥ−ＳＩＧ−Ｂの伝送方法を示す。
【０１２２】
図１６（ａ）を参照すると、ＨＥ−ＳＩＧ−Ｂは共通ブロックフィールドとユーザ特定フィールドで構成される。共通ブロックフィールドとユーザ特定フィールドの細部的な構成は、図１５の実施例で説明したようである。ユーザ特定フィールドの各ユーザフィールドは、共通ブロックフィールドはＲＡフィールドが指示するリソースユニットの配列から割り当てられたユーザの順番に並べられる。
【０１２３】
ユーザ特定フィールドは複数のユーザフィールドで構成され、複数のユーザフィールドはユーザブロックフィールド単位で伝送される。上述したように、ユーザブロックフィールドは、２つのユーザフィールドとＣＲＣフィールド、及びテールフィールドの組み合わせで作られる。ユーザフィールドの総個数が奇数であれば、最後のユーザブロックフィールドは１つのユーザフィールドを含む。ＨＥ−ＳＩＧ−Ｂの最後には、ＯＦＤＭシンボルの境界に沿ってパッディングが追加される。
【０１２４】
図１６（ｂ）を参照すると、ＨＥ−ＳＩＧ−Ｂは各２０ＭＨｚの帯域で別途にエンコーディングされる。この際、ＨＥ−ＳＩＧ−Ｂは２０ＭＨｚ単位で最大２つのコンセント、つまり、ＨＥ−ＳＩＧ−Ｂコンテンツチャネル１及びＨＥ−ＳＩＧ−Ｂコンテンツチャネル２で構成される。図１６（ｂ）において、それぞれの箱は２０ＭＨｚ帯域を示し、箱内の「１」及び「２」はそれぞれＨＥ−ＳＩＧ−Ｂコンテンツチャネル１とＨＥ−ＳＩＧ−Ｂコンテンツチャネル２を示す。総帯域幅において、それぞれのＨＥ−ＳＩＧ−Ｂコンテンツチャネルは物理的周波数帯域の順番に応じて配列される。つまり、最も低い周波数帯域ではＨＥ−ＳＩＧ−Ｂコンテンツチャネル１が伝送され、その次に高い周波数帯域ではＨＥ−ＳＩＧ−Ｂコンテンツチャネル２が伝送される。このようなコンテンツチャネルの構成は、その次に高い周波数帯域でコンテンツの複製を介して繰り返される。例えば、全体８０ＭＨｚ帯域を構成する周波数昇順の第１チャネル乃至第４チャネルに対し、第１チャネル及び第３チャネルではＨＥ−ＳＩＧ−Ｂコンテンツチャネル１が伝送され、第２チャネル及び第４チャネルではＨＥ−ＳＩＧ−Ｂコンテンツチャネル２が伝送される。同じく、全体１６０ＭＨｚ帯域を構成する周波数昇順の第１チャネル乃至第８チャネルに対し、第１チャネル、第３チャネル、第５チャネル、及び第７チャネルではＨＥ−ＳＩＧ−Ｂコンテンツチャネル１が伝送され、第２チャネル、第４チャネル、第６チャネル、及び第８チャネルではＨＥ−ＳＩＧ−Ｂコンテンツチャネル２が伝送される。端末は少なくとも一つのチャネルを介してＨＥ−ＳＩＧ−Ｂコンテンツチャネル１をデコーディングし、他の少なくとも一つのチャネルを介してＨＥ−ＳＩＧ−Ｂコンテンツチャネル２をデコーディングすることができれば、総帯域幅のＭＵ  ＰＰＤＵの構成に関する情報を獲得することができる。一方、総帯域幅が２０ＭＨｚであれば、一つのＳＩＧ−Ｂコンテンツチャネルのみ伝送される。
【０１２５】
図１７は、ＳＩＧ−Ｂ圧縮フィールドがＨＥ−ＳＩＧ−Ｂフィールドの圧縮モードを指示する場合のＨＥ−ＳＩＧ−Ｂのサブフィールドの構成を示す図である。上述したように、ＳＩＧ−Ｂ圧縮フィールドが圧縮モード（つまり、全体帯域幅ＭＵ−ＭＩＭＯ）を指示する場合、ＨＥ−ＳＩＧ−ＢにはＲＡフィールドが存在しない。よって、２０ＭＨｚより大きい帯域幅を介してＭＵ−ＭＩＭＯ伝送が行われれば、ＨＥ−ＳＩＧ−Ｂコンテンツチャネル１とＨＥ−ＳＩＧ−Ｂコンテンツチャネル２にそれぞれ指定されるユーザの個数が別途に決定されるべきである。本発明の実施例によると、２０ＭＨｚより大きい帯域幅を介してＭＵ−ＭＩＭＯ伝送が行われれば、ユーザフィールドはロードバランシングのために２つのコンテンツチャネルの間で公平に分配される。つまり、それぞれのＳＩＧ−Ｂコンテンツチャネルで伝送されるユーザフィールドの個数は、全体のユーザの個数の半分の切上値または切捨値に決定される。例えば、ユーザフィールドの全体の個数がｋであれば、１〜ｃｅｉｌ（ｋ／２）番目のユーザフィールドはＨＥ−ＳＩＧ−Ｂコンテンツチャネル１を介して伝送され、ｃｅｉｌ（ｋ／２）＋１〜ｋ番目のユーザフィールドはＨＥ−ＳＩＧ−Ｂコンテンツチャネル２を介して伝送される。もしｋが奇数であれば、ＨＥ−ＳＩＧ−Ｂコンテンツチャネル１に含まれたユーザフィールドの個数は、ＨＥ−ＳＩＧ−Ｂコンテンツチャネル２に含まれたユーザフィールドの個数より１つ多くなる。
【０１２６】
以下、図１８乃至図２０を参照して、本発明の実施例によるチャネルの拡張方法を説明する。図１８乃至図２０の実施例において、ＣＨ１乃至ＣＨ４は、８０ＭＨｚ  ＰＰＤＵが伝送されるそれぞれの２０ＭＨｚチャネルを指す。また、ＣＨ１乃至ＣＨ８は、１６０ＭＨｚ  ＰＰＤＵまたは８０＋８０ＭＨｚ  ＰＰＤＵが伝送されるそれぞれの２０ＭＨｚチャネルを指す。この際、ＣＨ３は２０ＭＨｚ主チャネル（Ｐｒｉｍａｒｙ  ２０ＭＨｚ  ｃｈａｎｎｅｌ、以下Ｐ２０チャネル）に、ＣＨ４は２０ＭＨｚ副チャネル（Ｓｅｃｏｎｄａｒｙ  ２０ＭＨｚ  ｃｈａｎｎｅｌ、以下Ｓ２０チャネル）に、ＣＨ１及びＣＨ２は４０ＭＨｚ副チャネル（Ｓｅｃｏｎｄａｒｙ  ４０ＭＨｚ  ｃｈａｎｎｅｌ、以下Ｓ４００チャネル）にそれぞれ指定される。また、ＣＨ５乃至ＣＨ８は、８０ＭＨｚ副チャネル（Ｓｅｃｏｎｄａｒｙ  ８０ＭＨｚ  ｃｈａｎｎｅｌ、以下Ｓ８０チャネル）に指定される。
【０１２７】
まず、図１８は、本発明の一実施例による広帯域接近方法を示す。以前のＰＰＤＵが終了された後、伝送するデータがある端末はＰ２０チャネルでバックオフ手順を行う。前記バックオフ手順は、Ｐ２０チャネルがＡＩＦＳ時間の間に遊休状態であれば開始される。端末は、バックオフ手順のために競争ウィンドウＣＷ範囲内でバックオフカウンタを獲得する。端末はＣＣＡを行い、チャネルが遊休状態であればバックオフカウンタを１つずつ減らしていく。もしチャネルが占有状態であれば、端末はバックオフ手順を中止し、チャネルが更に遊休状態である際に、ＡＩＦＳ時間後にバックオフ手順を再開する。前記バックオフ手順を介してバックオフカウンタが満了されれば、端末はデータを伝送する。この際、端末はバックオフカウンタが満了される前に、ＰＩＦＳ時間の間にデータを伝送するための副チャネルに対するＣＣＡを行う。図１８の実施例では、端末が８０ＭＨｚ  ＰＰＤＵを伝送しようとし、前記ＣＣＡ手順で一部の副チャネル、つまり、Ｓ２０チャネルが占有状態であると感知された状況を示す。
【０１２８】
ＣＣＡが行われた副チャネルのうち少なくとも一部が占有状態であれば、端末のＰＰＤＵ伝送帯域は広帯域接近方法に基づいて決定される。まず、図１８（ａ）は、動的帯域幅の動作による広帯域接近方法を示す。動的帯域幅動作によると、Ｓ２０チャネルが占有状態であるため、端末は従来のチャネル拡張規則に従って一部の帯域幅、つまり、Ｐ２０チャネルのみを利用してデータを伝送する。一方、図１８（ｂ）は、静的帯域幅の動作による広帯域接近方法を示す。静的帯域幅動作によると、伝送のための一部のチャネルが占有状態であるため、全体帯域幅におけるデータの伝送が延期される。端末は新たなバックオフカウンタを利用してバックオフ手順を更に行うが、バックオフカウンタの満了前のＣＣＡで伝送のための全てのチャネルが遊休状態であれば、全体の帯域幅を利用してデータを伝送する。このように、図１８の実施例による広帯域接近方法の場合、一部の副チャネルの状態に応じて伝送ＰＰＤＵの帯域幅が大きく減少するか、ＰＰＤＵ伝送が遅延される問題が発生する恐れがある。
【０１２９】
図１９は、本発明の他の実施例による広帯域接近方法を示す図である。図１９（ａ）乃至図１９（ｅ）は、それぞれ互いに異なるチャネル拡張技法に基づいて広帯域ＰＰＤＵが伝送される状況を示す。図１９のそれぞれの実施例において、固定式（ｆｉｘｅｄ）チャネル拡張方法は、２０ＭＨｚ、４０ＭＨｚ、８０ＭＨｚ、１６０ＭＨｚの順番のように、従来の拡張規則に従った予め設定された単位のチャネルの拡張方法を意味する。また、柔軟な（ｆｌｅｘｉｂｌｅ）チャネル拡張方法は、２０ＭＨｚ、４０ＭＨｚ、６０ＭＨｚ、８０ＭＨｚ、１００ＭＨｚ、１２０ＭＨｚ、１４０ＭＨｚ、１６０ＭＨｚの順番のように、２０ＭＨｚ単位のチャネルの拡張方法を意味する。加えて、連続チャネル拡張方法は、伝送されるＰＰＤＵが占有する帯域が常に連続するチャネルで構成されるチャネルの拡張方法を意味する。また、不連続チャネル拡張方法は、伝送されるＰＰＤＵが占有する帯域が少なくとも一つの不連続チャネルを含んで構成されるチャネルの拡張方法を意味する。各図面の実施例において、副チャネルのＣＣＡは図１８の実施例で述べたように、主チャネルのバックオフカウンタが満了される前にＰＩＦＳ時間の間に行われる。
【０１３０】
まず、図１９（ａ）は、連続する固定式チャネル拡張方法によって広帯域ＰＰＤＵが伝送される実施例を示す。本発明によると、ＣＣＡはＰ２０チャネル、Ｓ２０チャネル、Ｓ４０チャネル、及びＳ８０チャネルそれぞれに対する最大４つのＣＣＡ結果値を獲得するが、このうち占有状態と判別された最初のチャネルに関する情報のみをレポートする。端末は占有状態と判別された最初のチャネルからその後は帯域幅の拡張を行わないため、後のチャネルに対するＣＣＡ結果値を必要としない。図１９（ａ）を参照すると、ＣＣＡの結果、占有状態と判別された最初のチャネルであるＳ４０チャネルがレポートされる。よって、端末はＰ２０チャネルとＳ２０チャネルが結合された４０ＭＨｚ帯域でＰＰＤＵを伝送する。本方法によると、ＣＣＡ結果値をレポートする負担は減るが、チャネルの活用性が落ちる短所がある。
【０１３１】
次に、図１９（ｂ）は、連続する柔軟なチャネル拡張方法によって広帯域ＰＰＤＵが伝送される実施例を示す。本方法によると、ＣＣＡは１６０ＭＨｚ帯域を構成する各チャネルに対する８つのＣＣＡ結果値を獲得する。一実施例によると、前記獲得された８つのＣＣＡ結果値が全てレポートされる。しかし、他の実施例によると、Ｐ２０チャネルを中心に占有状態と判別された両側の最初のチャネルに関する情報のみレポートされてもよい。端末は占有状態と判別された両側の最初のチャネルからその後は帯域幅の拡張を行わないため、後のチャネルに対するＣＣＡ結果値を必要としない。図１９（ｂ）を参照すると、ＣＣＡの結果、占有状態と判別されたＣＨ１及びＣＨ５（図示せず）がレポートされる。よって、端末はＣＨ２、ＣＨ３、及びＣＨ４を含む６０ＭＨｚ帯域でＰＰＤＵを伝送する。本方法によると、連続するチャネルで構成されたより広い帯域幅のＰＰＤＵを伝送することができるが、ＯＢＳＳ端末が占有する副チャネルの位置に応じて広帯域ＰＰＤＵの伝送帯域幅の非常に制限される短所がある。
【０１３２】
次に、図１９（ｃ）は、不連続の固定式チャネル拡張方法によって広帯域ＰＰＤＵが伝送される実施例を示す。本発明によると、ＣＣＡはＰ２０チャネル、Ｓ２０チャネル、Ｓ４０チャネル、及びＳ８０チャネルそれぞれに対する最大４つのＣＣＡ結果値を獲得するが、このうち占有状態と判別された全てのチャネルに関する情報をレポートする。端末は、レポートされたチャネルのうち占有状態ではないチャネルを利用してＰＰＤＵを伝送する。図１９（ｃ）を参照すると、ＣＣＡの結果、占有状態と判別されたＳ２０チャネル及びＳ８０チャネル（図示せず）がレポートされる。よって、端末はＰ２０チャネルとＳ４０チャネルを含む６０ＭＨｚ帯域でＰＰＤＵを伝送する。本方法によると、ＣＣＡ結果値をレポートする負担が比較的少ないのに、チャネルの活用性を上げることができる。つまり、１６０ＭＨｚ帯域幅内でも最大１つのみの不連続区間が発生し、Ｓ２０チャネル及び／またはＳ４０チャネルがＯＢＳＳ端末によって占有された状態であっても広帯域ＰＰＤＵの伝送が可能である。
【０１３３】
次に、図１９（ｄ）は、不連続の柔軟なチャネル拡張方法によって広帯域ＰＰＤＵが伝送される実施例を示す。本方法によると、ＣＣＡは１６０ＭＨｚ帯域を構成する各チャネルに対する８つのＣＣＡ結果値を獲得し、獲得された８つのＣＣＡ結果値を全てレポートする。端末は、レポートされたチャネルのうち占有状態ではないチャネルを利用してＰＰＤＵを伝送する。図１９（ｄ）を参照すると、ＣＣＡの結果、占有状態と判別されたＣＨ２、ＣＨ４、及びＣＨ５（図示せず）乃至ＣＨ８（図示せず）がレポートされる。よって、端末はＣＨ１とＣＨ３を含む４０ＭＨｚ帯域でＰＰＤＵを伝送する。本方法によると、チャネルの活用性は最も高いが、ＣＣＡ結果値をレポートする負担が大きい短所がある。また、伝送されるＰＰＤＵ内で複数の不連続区間が発生する恐れがある。
【０１３４】
最後に、図１９（ｅ）は、不連続の制限された柔軟なチャネル拡張方法によって広帯域ＰＰＤＵが伝送される実施例を示す。本発明の実施例において、柔軟なチャネル拡張方法は上述した柔軟なチャネル拡張方法に従うが、伝送されるＰＰＤＵが占有する帯域がＰ２０チャネルを含む予め設定された中心チャネル（ｃｏｒｅ  ｃｈａｎｎｅｌｓ）を常に含んで構成されるチャネルの拡張方法を意味する。図１９（ｅ）の実施例では、Ｐ２０チャネル及びＳ２０チャネルを含む４０ＭＨｚチャネル（つまり、Ｐ４０チャネル）が中心チャネルとして設定されている。本方法によると、ＣＣＡは１６０ＭＨｚ帯域を構成する各チャネルに対する８つのＣＣＡ結果値を獲得し、獲得された８つのＣＣＡ結果値を全てレポートする。端末は、レポートされたチャネルのうち占有状態ではないチャネルを利用してＰＰＤＵを伝送する。この際、端末は上述した中心チャネルを含む帯域でＰＰＤＵを構成することができるときにだけＰＰＤＵの伝送を行う。本方法によると、図１９（ｄ）の実施例と類似した性能を発揮するが、Ｐ４０チャネルが中心チャネルとして設定される場合、ＨＥ−ＳＩＧ−Ｂのデコーディング位置がＰ４０チャネルで保障される長所がある。
【０１３５】
図２０は、上述した図１９（ｃ）の不連続の固定式チャネル拡張方法によって広帯域ＰＰＤＵを伝送する具体的な実施例を伝送する。図２０（ａ）及び図２０（ｂ）は、端末が１つのＲＦモジュールを備え、最大１６０ＭＨｚのＰＰＤＵ伝送を支援する実施例を示す。また、図２０（ｃ）及び図２０（ｄ）は、端末が２つのＲＦモジュールを備え、最大８０＋８０ＭＨｚのＰＰＤＵ伝送を支援する実施例を示す。図２０の実施例で伝送されるＰＰＤＵは、ＯＦＤＭＡ基盤のＨＥ  ＭＵ  ＰＰＤＵと仮定する。
【０１３６】
まず、図２０（ａ）は、端末が１６０ＭＨｚ帯域幅でＰＰＤＵを伝送しようとするが、ＣＣＡの結果、Ｓ４０チャネルが占有状態の状況を示す。端末は、Ｐ４０チャネル（Ｐ２０チャネル＋Ｓ２０チャネル）及びＳ８０チャネルを含む１４０ＭＨｚ帯域でＰＰＤＵを伝送する。この際、端末はＯＦＤＭＡ基盤に構成されたＰＰＤＵのうちＳ４０チャネルに割り当てられたデータの伝送を保留する。Ｓ４０チャネルは、データが伝送されないフィルタリングされたチャネルとなる。図２０（ａ）の実施例では、１６０ＭＨｚスペクトルマスクを利用してＰＰＤＵが伝送されるが、占有状態と判別されたＳ４０チャネルではフィルタリングが行われてデータが伝送されない。しかし、Ｐ４０チャネルを介して伝送される信号には４０ＭＨｚスペクトルマスクが適用されないため、Ｓ４０チャネルとの境界に連続した一部のリソースユニットの信号はＳ４０チャネルを介して伝送されるＯＢＳＳ信号に干渉を与える恐れがある。よって、本発明の実施例によると、不連続ＰＰＤＵ伝送状況で非割当チャネルに隣接した伝送チャネルの一部のリソースユニットでは、追加にフィルタリングが行われてデータが伝送されなくなる。
【０１３７】
次に、図２０（ｂ）は、端末が８０ＭＨｚ帯域幅でＰＰＤＵを伝送しようとするが、ＣＣＡの結果、Ｓ２０チャネルが占有状態の状況を示す。端末は、Ｐ２０チャネル及びＳ４０チャネルを含む６０ＭＨｚ帯域でＰＰＤＵを伝送する。この際、端末はＯＦＤＭＡ基盤に構成されたＰＰＤＵのうちＳ２０チャネルに割り当てられたデータの伝送を保留する。Ｓ２０チャネルは、データが伝送されないフィルタリングされたチャネルとなる。図２０（ｂ）の実施例では、８０ＭＨｚスペクトルマスクを利用してＰＰＤＵが伝送されるが、占有状態と判別されたＳ２０チャネルではフィルタリングが行われてデータが伝送されない。しかし、Ｐ２０チャネルを介して伝送される信号には２０ＭＨｚスペクトルマスクが適用されないため、Ｓ２０チャネルとの境界に連続した一部のリソースユニットの信号はＳ２０チャネルを介して伝送されるＯＢＳＳ信号に干渉を与える恐れがある。よって、本発明の実施例によると、不連続ＰＰＤＵ伝送状況で非割当チャネルに隣接した伝送チャネルの一部のリソースユニットでは、追加にフィルタリングが行われてデータが伝送されなくなる。
【０１３８】
次に、図２０（ｃ）は、端末が８０＋８０ＭＨｚ帯域幅でＰＰＤＵを伝送しようとするが、ＣＣＡの結果、Ｓ４０チャネルが占有状態の状況を示す。端末は、２つのＲＦモジュールを利用してＰ４０チャネル（Ｐ２０チャネル＋Ｓ２０チャネル）及びＳ８０チャネルにそれぞれＰＰＤＵを伝送する。この際、端末はＯＦＤＭＡ基盤に構成されたＰＰＤＵのうちＳ４０チャネルに割り当てられたデータの伝送を保留する。端末は、第１ＲＦモジュールを利用して４０ＭＨｚスペクトルマスクが適用されたＰＰＤＵをＰ４０チャネルを介して伝送し、第２ＲＦモジュールを利用して８０ＭＨｚスペクトルマスクが適用されたＰＰＤＵをＳ８０チャネルを介して伝送する。よって、図２０（ｃ）の実施例では、非割当チャネルであるＳ４０チャネルに干渉を与えないため、伝送チャネルに含まれたリソースユニットを追加にフィルタリングする必要がない。
【０１３９】
次に、図２０（ｄ）は、端末が８０＋８０ＭＨｚ帯域幅でＰＰＤＵを伝送しようとするが、ＣＣＡの結果、Ｓ２０チャネル及びＳ８０チャネルが占有状態の状況を示す。端末は、第１ＲＦモジュールのみを利用してＰ２０チャネル及びＳ４０チャネルを含む６０ＭＨｚ帯域でＰＰＤＵを伝送する。この際、第２ＲＦモジュールは駆動する必要がなく、第１モジュールでの動作は図２０（ｂ）の実施例で説明したようである。
【０１４０】
図２０の実施例によるＰＰＤＵ伝送方法は、図１８（ａ）で説明した動的帯域幅動作による広帯域接近方法に比べ具現が容易である。動的帯域幅動作によると、広帯域ＰＰＤＵを伝送するために、ＣＣＡ結果に応じて可用帯域幅に合わせてＰＰＤＵが再構成されるべきである。この際、動的にＰＰＤＵが再構成されるため、割り当てられたＴＸＯＰの長さに合わせてＰＰＤＵの長さを制限しなければならないなど、具現が複雑になってしまう。しかし、図２０の実施例によると、端末はＯＦＤＭＡ基盤のＰＰＤＵを予め構成した後、遊休状態のチャネルに割り当てられたデータのみ伝送し、占有状態の残りのチャネルに割り当てられたデータはフィルタリングするため、具現が総体的に容易である。
【０１４１】
以下、図２１乃至図２３を参照して、本発明の実施例による不連続ＰＰＤＵの伝送シーケンスを説明する。図２１乃至図２３の実施例において、ＣＨ１乃至ＣＨ４は、８０ＭＨｚの帯域幅を構成するそれぞれの２０ＭＨｚチャネルを指す。また、図２１及び図２２の実施例において、ＣＨ３はＰ２０チャネルに、ＣＨ４はＳ２０チャネルに、ＣＨ１及びＣＨ２はＳ４０チャネルにそれぞれ指定される。図２１乃至図２３の実施例において、上述した図８及び図９の実施例と同じであるか相応する部分は重複する説明を省略する。
【０１４２】
図２１は、本発明の実施例による不連続ＰＰＤＵの伝送シーケンスを示す図である。図２１（ａ）及び図２１（ｂ）は不連続ＰＰＤＵの下りリンク伝送シーケンスを示し、図２１（ｃ）及び図２１（ｄ）は不連続ＰＰＤＵの上りリンク伝送シーケンスを示す。
【０１４３】
まず、図２１（ａ）は、ＡＰがＤＬ−ＭＵ伝送過程のためにＣＣＡを行うが、Ｓ２０チャネルが占有状態である実施例を示す。ＡＰは、遊休状態であるＰ２０チャネル及びＳ４０チャネルを介してＭＵ−ＲＴＳフレームを伝送する。ＡＰからＭＵ−ＲＴＳフレームを受信したＳＴＡは、該当チャネルを介してｓＣＴＳフレームを伝送する。ＡＰは、ｓＣＴＳフレームが受信されたチャネルを介してＤＬ  ＭＵ  ＰＰＤＵを伝送する。この際、ＭＵ−ＲＴＳフレームは不連続チャネル割当情報、つまり、Ｐ２０チャネル及びＳ４０チャネル（または、非割当Ｓ２０チャネル）を指示してあげるべきである。一実施例によると、ＭＵ−ＲＴＳフレームは別途の帯域幅フィールド、ＲＡフィールド、またはこれらの組み合わせを介して前記不連続チャネル割当情報をシグナリングする。
【０１４４】
次に、図２１（ｂ）は、ＡＰが遊休状態のＰ８０チャネル（つまり、Ｐ２０チャネル＋Ｓ２０チャネル＋Ｓ４０チャネル）でＭＵ−ＲＴＳフレームを伝送するが、後にＳＴＡのｓＣＴＳフレームがＳ２０チャネルで受信されない実施例を示す。ＡＰは、ｓＣＴＳフレームが受信されたＰ２０チャネル及びＳ４０チャネルを介してＤＬ  ＭＵ  ＰＰＤＵを伝送する。この際、ＭＵ−ＲＴＳフレームはチャネル割当情報、つまり、Ｐ８０チャネルを指示してあげるべきである。前記チャネル割当情報は、別途の帯域幅フィールドを介してシグナリングされる。また、ＤＬ  ＭＵ  ＰＰＤＵは該当ＰＰＤＵが伝送される不連続チャネル割当情報、つまり、Ｐ２０チャネル及びＳ４０チャネル（または、非割当Ｓ２０チャネル）を指示してあげるべきである。前記不連続チャネル割当情報は、帯域幅フィールド、ＲＡフィールド、またはこれらの組み合わせを介してをシグナリングされる。
【０１４５】
次に、図２１（ｃ）は、ＡＰがＵＬ−ＭＵ伝送過程のためにＣＣＡを行うが、Ｓ２０チャネルが占有状態である実施例を示す。ＡＰは、遊休状態であるＰ２０チャネル及びＳ４０チャネルを介してトリガーフレームを伝送する。ＡＰからトリガーフレームを受信したＳＴＡは、指定されたチャネルを介してＵＬ  ＭＵ  ＰＰＤＵを伝送する。この際、トリガーフレームはＳＴＡのＵＬ  ＭＵ  ＰＰＤＵ伝送のために不連続チャネル割当情報、つまり、Ｐ２０チャネル及びＳ４０チャネル（または、非割当Ｓ２０チャネル）を指示してあげるべきである。また、トリガーフレームは占有状態のＳ２０チャネルをＳＴＡの上りリンク伝送に割り当ててはいけない。一実施例によると、トリガーフレームは別途の帯域幅フィールド、ＲＡフィールド、またはこれらの組み合わせを介して前記不連続チャネル割当情報をシグナリングする。
【０１４６】
最後に、図２１（ｄ）は、ＡＰが遊休状態のＰ８０チャネルにトリガーフレームを伝送し、ＳＴＡがそれに対応してＵＬ  ＭＵ  ＰＰＤＵを伝送するシーケンスを示す。この際、トリガーフレームを受信したＳＴＡのうちＳ２０チャネルを割り当てられたＳＴＡは、該当チャネルが占有状態と感知されるかＮＡＶが設定されているなどの理由で伝送を行わない。
【０１４７】
図２２は、本発明の他の実施例による不連続ＰＰＤＵの伝送シーケンスを示す図である。
【０１４８】
図２２（ａ）及び図２２（ｂ）は不連続ＰＰＤＵの下りリンク伝送シーケンスを示し、図２２（ｃ）及び図２２（ｄ）は不連続ＰＰＤＵの上りリンク伝送シーケンスを示す。図２２及び以下の実施例において、Ｓ４０ＡチャネルはＳ４０チャネルを構成する最初の２０ＭＨｚチャネル（つまり、ＣＨ１）を指し、Ｓ４０ＢチャネルはＳ４０チャネルを構成する２番目の２０ＭＨｚチャネル（つまり、ＣＨ２）を指す。
【０１４９】
まず、図２２（ａ）は、ＡＰがＤＬ−ＭＵ伝送過程のためにＣＣＡを行うが、Ｓ４０Ｂチャネルが占有状態である実施例を示す。ＡＰは、遊休状態であるＰ４０チャネル及びＳ４０Ａチャネルを介してＭＵ−ＲＴＳフレームを伝送する。ＡＰからＭＵ−ＲＴＳフレームを受信したＳＴＡは、該当チャネルを介してｓＣＴＳフレームを伝送する。この際、ＭＵ−ＲＴＳフレームは不連続チャネル割当情報、つまり、Ｐ４０チャネル及びＳ４０Ａチャネル（または、非割当Ｓ４０Ｂチャネル）を指示してあげるべきである。一実施例によると、ＭＵ−ＲＴＳフレームは別途の帯域幅フィールド、ＲＡフィールド、またはこれらの組み合わせを介して前記不連続チャネル割当情報をシグナリングする。一方、図２２（ａ）の実施例において、ＭＵ−ＲＴＳを受信したＳＴＡのうちＳ４０Ａチャネルを介してｓＣＴＳフレームを伝送するように指示されたＳＴＡは、該当チャネルが占有状態と感知されるかＮＡＶが設定されているなどの理由でｓＣＴＳの伝送を行わない。この際、ＡＰはｓＣＴＳが受信されたＰ２０チャネル及びＳ２０チャネルを介してのみＤＬ  ＭＵ  ＰＰＤＵを伝送する。
【０１５０】
次に、図２２（ｂ）は、ＡＰが遊休状態のＰ８０チャネルでＭＵ−ＲＴＳフレームを伝送するが、後にＳＴＡのｓＣＴＳフレームがＳ４０Ａチャネルで受信されない実施例を示す。ＡＰは、ｓＣＴＳフレームが受信されたＰ４０チャネル及びＳ４０Ｂチャネルを介してＤＬ  ＭＵ  ＰＰＤＵを伝送する。この際、ＭＵ−ＲＴＳフレームはチャネル割当情報としてＰ８０チャネルを指示してあげるべきであり、ＤＬ  ＭＵ  ＰＰＤＵは不連続チャネル割当情報、つまり、Ｐ４０チャネル及びＳ４０Ｂチャネル（または、非割当Ｓ４０Ａチャネル）を指示してあげるべきである。前記チャネル割当情報のシグナリング方法は、図２１（ｂ）の実施例で述べたようである。
【０１５１】
次に、図２２（ｃ）は、ＡＰがＵＬ−ＭＵ伝送過程のためにＣＣＡを行うが、Ｓ４０Ｂチャネルが占有状態である実施例を示す。ＡＰは、遊休状態であるＰ４０チャネル及びＳ４０Ａチャネルを介してトリガーフレームを伝送する。この際、トリガーフレームはＳＴＡのＵＬ  ＭＵ  ＰＰＤＵ伝送のために不連続チャネル割当情報、つまり、Ｐ４０チャネル及びＳ４０Ａチャネル（または、非割当Ｓ４０Ｂチャネル）を指示する。トリガーフレームは別途の帯域幅フィールド、ＲＡフィールド、またはこれらの組み合わせを介して前記不連続チャネル割当情報をシグナリングする。一方、図２２（ｃ）の実施例において、トリガーフレームを受信したＳＴＡのうちＳ２０チャネルを介して上りリンクデータを伝送するように指示されたＳＴＡは、該当チャネルが占有状態と感知されるかＮＡＶが設定されているなどの理由で上りリンクデータの伝送を行わない。このように、ＡＰはトリガーフレームが伝送された帯域と同じであるか狭い帯域を介してＵＬ  ＭＵ  ＰＰＤＵを受信する。
【０１５２】
最後に、図２２（ｄ）は、ＡＰが遊休状態のＰ８０チャネルにトリガーフレームを伝送するが、Ｓ２０チャネルを割り当てられたＳＴＡは、該当チャネルが占有状態と感知されるかＮＡＶが設定されているなどの理由で伝送を行わない実施例を示す。
【０１５３】
図２３は、ＰＰＤＵ伝送シーケンスにおけるＡＣＫフレーム伝送方法の一実施例を示す図である。図２３の実施例において、ＣＨ１はＰ２０チャネルに、ＣＨ２はＳ２０チャネルに、ＣＨ３及びＣＨ４はＳ４０チャネルにそれぞれ指定される。
【０１５４】
まず、図２３（ａ）は、連続ＰＰＤＵの伝送シーケンスにおけるＡＣＫフレーム伝送方法の一実施例を示す。ＡＰは、８０ＭＨｚの連続帯域幅を利用してＤＬ  ＭＵ  ＰＰＤＵを伝送し、それを受信したＳＴＡはＵＬ  ＭＵ応答を伝送する。この際、ＳＴＡは受信されたＤＬ  ＭＵ  ＰＰＤＵのＡ−ＭＰＤＵに含まれたスケジューリング情報に応じて即刻に上りリンク応答を伝送する。前記スケジューリング情報は、Ａ−ＭＰＤＵに含まれたトリガーフレーム、またはＡ−ＭＰＤＵを構成する特定のＭＰＤＵのＭＡＣヘッダに含まれたＵＬ  ＭＵ応答スケジューリングフィールドから獲得される。また、ＳＴＡが伝送する上りリンク応答は、上りリンクＡＣＫ、上りリンクデータなどを含む。本発明の実施例によると、前記スケジューリング情報、つまり、ＳＴＡがＵＬ  ＭＵ応答を行うリソースユニットは別途のリソースユニット割当ＲＡフィールドを介して指示される。図２３（ｄ）は、上りリンク伝送のためのリソースユニットを別途のＲＡフィールドを介して割り当てる一実施例を示す。
【０１５５】
図２３（ｄ）を参照すると、ＲＡフィールドは総８ビットで構成されるが、最初のビットは該当リソースユニットが主（ｐｒｉｍａｒｙ）８０ＭＨｚに位置するのか、または副（ｓｅｃｏｎｄａｒｙ）８０ＭＨｚに位置するのかを指示する。ＲＡフィールドの残りの７ビットは、該当８０ＭＨｚ帯域内でのリソースユニット割当を指示する。つまり、ＲＡフィールドのインデックス値に応じて予め設定されたリソースユニットの大きさ及び該当リソースユニットの位置が指示される。図２３（ａ）の実施例において、ＳＴＡはＤＬ  ＭＵ  ＰＰＤＵが伝送された８０ＭＨｚ帯域内で指定されたリソースユニットを介して上りリンクＡＣＫを伝送する。
【０１５６】
しかし、図２３（ｂ）の実施例のように、不連続ＰＰＤＵの伝送シーケンスではＡＣＫフレーム伝送のためのリソースユニット割当に問題が生じる恐れがある。より詳しくは、図２３（ｂ）に示したように、不連続ＰＰＤＵに対するＡＣＫフレームが伝送されるリソースユニットに別途の制限がなければ、ＤＬ  ＭＵ  ＰＰＤＵ伝送に使用されていないチャネル、（つまり、ＣＨ３）を介して上りリンクＡＣＫが伝送される。これによって、ＣＨ３を介して伝送されるＯＢＳＳ信号と干渉が発生する恐れがある。図２１及び図２２の実施例で述べたように、不連続ＰＰＤＵの伝送は多重チャネルに対するＣＣＡ結果に応じてＰＰＤＵ伝送の直前に決定される。よって、ＳＴＡのＵＬ  ＭＵ応答が行われるリソースユニットに対するスケジューリング情報を不連続ＰＰＤＵ伝送の直前に調整することは不可能である。
【０１５７】
このような問題を解決するために、図２３（ｃ）に示したように、ＡＣＫフレーム伝送のためのリソースユニット割当に制約が適用される。本発明の実施例によると、ＡＰからＤＬ  ＭＵ  ＰＰＤＵを受信したＳＴＡた該当ＰＰＤＵが受信されたリソースユニットが位置する２０ＭＨｚチャネル内で上りリンクＡＣＫを伝送する。もしＳＴＡが４０ＭＨｚチャネルまたは８０ＭＨｚチャネルでＭＵ−ＭＩＭＯでＤＬ  ＭＵ  ＰＰＤＵを受信する場合、ＳＴＡは該当４０ＭＨｚチャネルまたは８０ＭＨｚチャネル内で上りリンクＡＣＫを伝送する。ＡＰは、このようなＳＴＡのＡＣＫフレーム伝送に対するスケジューリング情報をシグナリングする。
【０１５８】
図２３（ｃ）を参照すると、ＡＰはＰ４０チャネル及びＳ４０Ｂチャネルを介してＤＬ  ＭＵ  ＰＰＤＵを伝送する。この際、Ｓ４０Ｂチャネル（つまり、２０ＭＨｚチャネル）を介してＰＰＤＵを受信したＳＴＡは、Ｓ４０Ｂチャネル内でＡＣＫフレームを伝送する。もしＰ４０チャネル（つまり、４０ＭＨｚチャネル）で全体帯域幅ＭＵ−ＭＩＭＯ伝送が行われれば、ＳＴＡはＰ４０チャネル内でＡＣＫフレームを伝送する。しかし、Ｐ４０チャネルでＯＦＤＭＡ伝送が行われれば、ＳＴＡはＰＰＤＵが受信されたリソースユニットが位置する２０ＭＨｚチャネル内でＡＣＫフレームを伝送する。
【０１５９】
一方、図２３を参照してＤＬ−ＭＵの伝送過程におけるＡＣＫフレームの伝送方法の実施例を説明したが、本発明はこれに限らず、ＵＬ−ＭＵの伝送過程にも同じく適用されてもよい。つまり、ＡＰトリガーフレームに対応し、ＳＴＡは割り当てられたリソースユニットを介してＨＥ  Ｔｒｉｇｇｅｒ−ｂａｓｅｄ  ＰＰＤＵを伝送する。ＡＰは、ＳＴＡが伝送したＨＥ  Ｔｒｉｇｇｅｒ−ｂａｓｅｄ  ＰＰＤＵに対する応答として下りリンクＡＣＫを伝送する。この際、ＡＰは各ＳＴＡがＨＥ  Ｔｒｉｇｇｅｒ−ｂａｓｅｄ  ＰＰＤＵを伝送したリソースユニットが位置する２０ＭＨｚチャネル内で該当ＳＴＡに対するＡＣＫフレームを伝送する。よって、ＨＥ  Ｔｒｉｇｇｅｒ−ｂａｓｅｄ  ＰＰＤＵを伝送したＳＴＡは、該当ＰＰＤＵが伝送されたリソースユニットが位置する２０ＭＨｚチャネル内でＡＣＫフレームを受信する。
【０１６０】
図２４は、本発明の追加の実施例であって、ＭＵ伝送過程のＴＸＯＰを設定する方法を示す図である。本発明の実施例に夜と、ＨＥ−ＳＩＧ−ＡのＴＸＯＰ情報とＭＡＣヘッダのデュレーションフィールド情報を共に利用してＴＸＯＰが設定される。
【０１６１】
図２４（ａ）は、特定のＢＳＳ周辺の端末の配置情報の一実施例を示す。図２４（ａ）の実施例において、ＡＰはＳＴＡ１及びＳＴＡ２と通信を行い、特定の端末を基準にヒドンノードＬ１、Ｈ１、Ｌ２及びＨ２が存在する。ここで、Ｌ１及びＬ２はそれぞれレガシーＳＴＡを示し、Ｈ１及びＨ２はそれぞれノンレガシーＳＴＡを示す。Ｌ１及びＨ１はＡＰのメッセージはセンシングできるが、ＳＴＡ１とＳＴＡ２のメッセージは受信できない。よって、Ｌ１及びＨ１はＡＰがＳＴＡ１及びＳＴＡ２からメッセージを受信する際にＡＰを妨害する恐れがある。一方、Ｌ２及びＨ２はＳＴＡ２のメッセージはセンシングできるが、ＡＰのメッセージは受信できない。よって、Ｌ２及びＨ２はＳＴＡ２がＡＰからメッセージを受信する際にＳＴＡ２を妨害する恐れがある。よって、ＭＵの伝送過程を保護するために、ヒドンノードＬ１、Ｈ１、Ｌ２及びＨ２にＮＡＶが設定されるべきである。
図２４（ｂ）は、図２４（ａ）の端末の配置状況においてＵＬ−ＭＵ伝送過程のＴＸＯＰが設定される方法を示す。まず、ＡＰは多重チャネル（例えば、４０ＭＨｚ）にＭＵ−ＲＴＳフレームを伝送する。この際、Ｌ−ＳＴＦ、Ｌ−ＬＴＦ、Ｌ−ＳＩＧなどのレガシープリアンブルは２０ＭＨｚチャネル別に繰り返し伝送される。もしＭＵ−ＲＴＳフレームがレガシーフォーマットで伝送される場合、これを受信したＨ１及びＬ１はＭＵ−ＲＴＳフレームのＭＡＣヘッダのデュレーションフィールドに基づいてＮＡＶを設定する。
【０１６２】
次に、ＭＵ−ＲＴＳフレームを受信したＳＴＡ１及びＳＴＡ２は、ＳＩＦＳ時間後にｓＣＴＳフレームを伝送する。この際、ｓＣＴＳフレームは２０ＭＨｚチャネル単位で伝送される。ＭＵ−ＲＴＳを受信したＳＴＡは、該当端末に予め設定されたＮＡＶを考慮してｓＣＴＳフレームの伝送を制限する。ｓＣＴＳフレームを受信したＨ２及びＬ２は、ｓＣＴＳフレームのＭＡＣヘッダのデュレーションフィールドに基づいてＮＡＶを設定する。
【０１６３】
ｓＣＴＳフレームを受信したＡＰは、ＨＥ  ＰＰＤＵフォーマットでトリガーフレームを伝送する。この際、トリガーフレームでは、ＨＥ−ＳＩＧ−ＡのＴＸＯＰデュレーションフィールドとＭＡＣヘッダのデュレーションフィールドがそれぞれデュレーション情報を指示する。前記２つのデュレーションフィールドはビット構成が互いに異なってもよい。例えば、ＴＸＯＰデュレーションフィールドのビット個数がＭＡＣヘッダのデュレーションフィールドのビット個数より少なくてもよい。この際、周辺端末の正しいＮＡＶ設定のためには、それぞれのデュレーションフィールドの設定方法及び／またはそれぞれのデュレーションフィールドの解釈方法が決定されるべきである。
【０１６４】
本発明の一実施例によると、ＴＸＯＰデュレーションフィールドがｔビットで構成され、ＭＡＣヘッダのデュレーションフィールドがｍビットで構成される場合（ここで、ｔ＜ｍ）、ＭＡＣヘッダのデュレーションフィールドの値はＴＸＯＰデュレーションフィールドの値を超えないように設定される。例えば、ＴＸＯＰデュレーションフィールドが１２ビットで構成され、ＭＡＣヘッダのデュレーションフィールドが１５ビットで構成される場合、ＭＡＣヘッダのデュレーションフィールドの値はＴＸＯＰデュレーションフィールドが表示し得る最大値、つまり、２＾１２＝４０９６ｕｓを超えないように設定される。この際、それぞれのデュレーションフィールドの解析は同じ方法で行われてもよい。
【０１６５】
本発明の他の実施例によると、ＴＸＯＰデュレーションフィールドのビット個数とＭＡＣヘッダのデュレーションフィールドのビット個数が互いに異なる場合、前記フィールドのうちいずれか一つのフィールドを解釈する際には予め設定されたスケーリングファクタ（ｓｃａｌｉｎｇ  ｆａｃｔｏｒ）がかけられる。例えば、ＴＸＯＰデュレーションフィールドが１２ビットで構成され、ＭＡＣヘッダのデュレーションフィールドが１５ビットで構成される場合、ＴＸＯＰデュレーションフィールドの値はスケーリングファクタの８がかけられてから使用される。このように、予め設定されたスケーリングファクタを使用することで、互いに異なるビット個数のデュレーションフィールドが指すデュレーション情報の範囲が類似になるようにすることができる。
【０１６６】
しかし、ＴＸＯＰデュレーションフィールドの値がスケーリングファクタの８がかけられてから使用される場合、２つのデュレーションフィールドから獲得されたデュレーション情報は最大７ｕｓの差を有する。本発明の一実施例によると、前記２つのデュレーションフィールドを全て解釈したＳＴＡは、更に多いビット個数を有するＭＡＣヘッダのデュレーションフィールドに基づいてＮＡＶを設定する。しかし、２つのデュレーションフィールドのうちＨＥ−ＳＩＧ−ＡのＴＸＯＰデュレーションフィールドのみ解釈可能なＳＴＡは、ＴＸＯＰデュレーションフィールドに基づいてＮＡＶを設定してしまう。このような状況に備えて、一つのＰＰＤＵ内でのＴＸＯＰデュレーションフィールドの値は、ＭＡＣヘッダのデュレーションフィールドの値より最大前記オフセット（例えば、７ｕｓ）だけ大きいか小さい数に設定される。
【０１６７】
図２４（ｂ）の実施例において、トリガーフレームを受信したＨ１はＨＥ−ＳＩＧ−ＡのＴＸＯＰデュレーションフィールドとＭＡＣヘッダのデュレーションフィールドを全て解釈することができるため、２つのフィールドを共に利用してＮＡＶをアップデートすることができる。しかし、Ｌ１はＨＥ  ＰＰＤＵのノンレガシープリアンブル及びＭＰＤＵを解釈することができないため、ＮＡＶをアップデートすることができない。
【０１６８】
一方、トリガーフレームを受信したＳＴＡ１及びＳＴＡ２はＨＥ  Ｔｒｉｇｇｅｒ−ｂａｓｅｄ  ＰＰＤＵを伝送する。この際、ＨＥ  Ｔｒｉｇｇｅｒ−ｂａｓｅｄ  ＰＰＤＵを受信したＨ２はＨＥ−ＳＩＧ−ＡのＴＸＯＰデュレーションフィールドとＭＡＣヘッダのデュレーションフィールドを全て解釈することができるため、２つのフィールドを共に利用してＮＡＶをアップデートすることができる。しかし、Ｌ２はＨＥ  Ｔｒｉｇｇｅｒ−ｂａｓｅｄ  ＰＰＤＵのノンレガシープリアンブル及びＭＰＤＵを解釈することができないため、ＮＡＶをアップデートすることができない。
【０１６９】
図２５乃至図３１は、本発明の多様な実施例による不連続チャネル割当情報のシグナリング方法を示す図である。本発明の実施例において、不連続チャネル割当とは伝送されるパケット（つまり、ＰＰＤＵ）が占有する帯域が少なくとも一つの不連続チャネル（または、不連続リソースユニット）を含むチャネル割当を意味する。但し、全体帯域幅８０＋８０ＭＨｚのチャネルは、全体帯域幅１６０ＭＨｚのチャネルと同じく連続チャネルとみなされる。よって、本発明の実施例における不連続チャネル（または、不連続ＰＰＤＵ）は全体帯域幅８０＋８０ＭＨｚチャネルを除いた不連続チャネルを指す。図２５乃至図３１の実施例において、チャネルＡ乃至チャネルＤは、８０ＭＨｚ  ＰＰＤＵが伝送されるそれぞれの２０ＭＨｚチャネルを指す。この際、チャネルＡはＰ２０チャネルに、チャネルＢはＳ２０チャネルに、チャネルＣ及びチャネルＤはＳ４０チャネルにそれぞれ指定される。また、それぞれの実施例において、Ｓ４０ＡチャネルはチャネルＣを指し、Ｓ４０ＢチャネルはチャネルＤを指す。
【０１７０】
本発明の実施例において、送信者（例えば、ＡＰ）は各図面を介して説明される実施例またはこれらの組み合わせを介して不連続チャネル割り手情報をシグナリングする。送信者は、広帯域パケット伝送のための多重チャネルのＣＣＡを行う。この際、広帯域は総帯域幅４０ＭＨｚ以上の帯域を意味するが、本発明はこれに限らない。送信者は、多重チャネルのＣＣＡ遂行結果に基づいて遊休状態の少なくとも一つのチャネルにパケットを伝送する。この際、パケットが不連続チャネルに伝送される場合、送信者は該当パケットのノンレガシープリアンブルを介して不連続チャネル割当情報をシグナリングする。このように、送信者は不連続チャネル割当情報がシグナリングされた無線パケットを伝送する。受信者（例えば、ＳＴＡ）は無線パケットを受信し、受信されたパケットから不連続チャネル割当情報を獲得する。受信者は受信されたパケットを獲得された不連続チャネル割当情報に基づいてデコーディングする。この際、受信されるパケットはＨＥ  ＭＵ  ＰＰＤＵであってもよいが、本発明はこれに限らない。
【０１７１】
図２５は、本発明の実施例による不連続チャネル割当情報のシグナリング方法を示す図である。図２５の実施例において、ＡＰは総帯域幅８０ＭＨｚのＤＬ  ＭＵ  ＰＰＤＵを伝送するためにチャネルＡ乃至チャネルＤのＣＣＡを行い、Ｓ４０Ｂチャネルが占有状態と判別する。ＡＰは、遊休状態であるＰ４０チャネル及びＳ４０Ａチャネルを介してＰＰＤＵを伝送する。ＡＰは、占有状態であるＳ４０Ｂチャネルのデータトーンをヌリング（ｎｕｌｌｉｎｇ）して信号を伝送しない。この際、伝送されるＰＰＤＵ上において、不連続チャネル割当情報、つまり、Ｐ４０チャネル及びＳ４０Ａチャネル割当情報（または、非割当Ｓ４０Ｂチャネルの情報）がシグナリングされるべきである。
【０１７２】
まず、不連続チャネル割当情報はＨＥ−ＳＩＧ−Ａの帯域幅フィールドを介して指示される。帯域幅フィールドは、特定不連続チャネル割当情報を予め設定されたインデックスを介して指示する。一実施例によると、帯域幅フィールドは特定不連続チャネル割当情報を明示的に指示する。よって、Ｐ４０チャネル及びＳ４０Ａチャネルの割当情報は帯域幅フィールドを介して指示される。
【０１７３】
また、不連続チャネル割当情報はＨＥ−ＳＩＧ−ＢのＲＡフィールドを介して指示される。ＲＡフィールドは、ユーザに割り当てられない特定のリソースユニットを予め設定されたインデックスを介して指示する。例えば、ＲＡフィールドは２０ＭＨｚチャネルの倍数の帯域幅、つまり、２４２トン、４８４トーン、または９９６トーンのリソースユニットがユーザに割り当てられないことを指示する。予め設定されたインデックス値が指示する空きリソースユニットでは、データの伝送が行われない。
【０１７４】
また、不連続チャネル割当情報はＨＥ−ＳＩＧ−Ｂの特定のユーザフィールドにヌルＳＴＡ  ＩＤを挿入して指示される。つまり、データが伝送されない非割当リソースユニットに対応するユーザフィールドには予め設定されたヌルＳＴＡ  ＩＤが挿入される。よって、いかなるＳＴＡも非割当リソースユニットを介してデータを受信しない。
【０１７５】
図２６は、本発明の一実施例によってＨＥ−ＳＩＧ−Ａの帯域幅フィールドを介して不連続チャネル割当情報をシグナリングする方法を示す。ＨＥ  ＭＵ  ＰＰＤＵの帯域幅フィールドは連続チャネル帯域幅である２０ＭＨｚ、４０ＭＨｚ、８０ＭＨｚ、１６０ＭＨｚ（８０＋８０ＭＨｚを含む）に加え、予め設定された不連続帯域幅を追加に指示する。帯域幅フィールドが予め設定された不連続チャネル帯域幅を指示する場合、不連続チャネルの追加の割当情報はＨＥ−ＳＩＧ−Ｂのサブフィールドを介して指示される。
【０１７６】
上述したように、ＨＥ−ＳＩＧ−Ｂは２０ＭＨｚ単位で２つのコンテンツチャネル、つまり、ＨＥ−ＳＩＧ−Ｂコンテンツチャネル１及びＨＥ−ＳＩＧ−Ｂコンテンツチャネル２で構成される。総帯域幅において、それぞれのＨＥ−ＳＩＧ−Ｂコンテンツチャネルは物理的周波数帯域の順番に応じて配列される。つまり、最も低い周波数帯域ではＨＥ−ＳＩＧ−Ｂコンテンツチャネル１が伝送され、その次に高い周波数帯域ではＨＥ−ＳＩＧ−Ｂコンテンツチャネル２が伝送される。このようなコンテンツチャネルの構成は、その次に高い周波数帯域でコンテンツの複製を介して繰り返される。図２６の実施例において、ＨＥ−ＳＩＧ−Ｂコンテンツチャネル１はチャネルＡ及びチャネルＣのリソースユニット割当情報をシグナリングし、ＨＥ−ＳＩＧ−Ｂコンテンツチャネル２はチャネルＢ及びチャネルＤのリソースユニット割当情報をシグナリングする。ＨＥ−ＳＩＧ−Ｂコンテンツチャネル１は、チャネルＡ及びチャネルＣを介して伝送される。しかし、チャネルＤではＰＰＤＵ伝送が行われないため、ＨＥ−ＳＩＧ−Ｂコンテンツチャネル２はチャネルＢを介してのみ伝送される。この際、チャネルＢを介して伝送されるＨＥ−ＳＩＧ−Ｂコンテンツチャネル２はチャネルＤが使用されないことを指示する。
【０１７７】
図２７は、本発明の一実施例によってＨＥ−ＳＩＧ−ＢのＲＡフィールドを介して不連続チャネル割当情報をシグナリングする方法を示す。上述したように、ＲＡフィールドは８ビット単位で構成され、特定の帯域幅を構成するリソースユニットの大きさと周波数ドメインでのそれらの配列をインデクシングする。また、ＲＡフィールドは各リソースユニットにおけるユーザの数を指示する。この際、ＲＡフィールドは、ユーザに割り当てられない特定のリソースユニット（つまり、非割当ＲＵ）を予め設定されたインデックスを介して指示する。一実施例によると、特定のリソースユニットは２０ＭＨｚチャネルの倍数の帯域幅を有するリソースユニットＲＵ、つまり、２４２トーンＲＵ、４８４トーンＲＵ、９９６トーンＲＵなどを含む。前記インデックス値が指示する非割当ＲＵでは、データの伝送が行われない。
【０１７８】
図２７（ａ）に示したように、ＰＰＤＵが伝送される総帯域幅が８０ＭＨｚであれば、ＲＡフィールドはそれぞれのＨＥ−ＳＩＧ−Ｂコンテンツチャネルから２つずつ伝送される。つまり、ＨＥ−ＳＩＧ−Ｂコンテンツチャネル１の第１ＲＡフィールド（８ビット）はチャネルＡのリソースユニット割当情報をシグナリングし、ＨＥ−ＳＩＧ−Ｂコンテンツチャネル１の第２ＲＡフィールド（８ビット）はチャネルＣのリソースユニット割当情報をシグナリングする。同じく、ＨＥ−ＳＩＧ−Ｂコンテンツチャネル２の第１ＲＡフィールド（８ビット）はチャネルＢのリソースユニット割当情報をシグナリングし、ＨＥ−ＳＩＧ−Ｂコンテンツチャネル２の第２ＲＡフィールド（８ビット）はチャネルＤのリソースユニット割当情報をシグナリングする。図２７（ａ）の実施例のように、チャネルＤが占有状態であればＨＥ−ＳＩＧ−Ｂコンテンツチャネル２はチャネルＢを介してのみ伝送され、ＨＥ−ＳＩＧ−Ｂコンテンツチャネル１はチャネルＡ及びチャネルＣを介して伝送される。この際、チャネルＤがユーザに割り当てられないことをＨＥ−ＳＩＧ−ＢのＲＡフィールドを介してシグナリングする具体的な実施例は、図２７（ｂ）乃至図２７（ｄ）を介して説明する。
【０１７９】
まず、本発明の一実施例によると、図２７（ｂ）に示したように、非割当２０ＭＨｚチャネルに対応するＲＡフィールド、つまり、第２ＳＩＧ−Ｂコンテンツチャネルの第２ＲＡフィールドは２４２トーンのＲＵヌリングを指示する。しかし、ＨＥ−ＳＩＧ−Ｂコンテンツチャネル１の第２ＲＡフィールドは、チャネルＣのリソース割当情報に応じて２４２トーンＲＵを指示するか、それ以下の大きさに分割されたＲＵを指示する。このように、ＲＡフィールドは各チャネル別に独立で明示的なシグナリングを行う。よって、非割当チャネルのチャネルＤに対応するＲＡフィールドは、該当リソースユニットがユーザに割り当てられないこと（つまり、ヌリング）を指示する。
【０１８０】
次に、本発明の他の実施例によると、図２７（ｃ）に示したように、非割当２０ＭＨｚチャネルに対応するＲＡフィールド、つまり、ＨＥ−ＳＩＧ−Ｂコンテンツチャネル２の第２ＲＡフィールドは４８４トーンのＲＵヌリングを指示する。しかし、ＨＥ−ＳＩＧ−Ｂコンテンツチャネル１の第２ＲＡフィールドがチャネルＣのリソース割当情報を指示するので、非割当チャネルが２０ＭＨｚ帯域幅のチャネルＤであることが識別される。
【０１８１】
次に、本発明のまた他の実施例によると、図２７（ｄ）に示したように、非割当２０ＭＨｚチャネルに対応するＲＡフィールドは２４２トーンＲＵ、４８４トーンＲＵ、９９６トーンＲＵなどの特定の帯域幅のリソースユニットのヌリングではなく一般的なヌリングを指示する。この場合、ＲＡフィールドで指示するヌリングは黙示的に２４２トーンＲＵ（つまり、２０ＭＨｚチャネル）のヌリングを指示すると解釈されてもよく、ユーザに割り当てられたリソースユニットの情報は他のＲＡフィールドを介して獲得される。
【０１８２】
このように、特定のリソースユニットがユーザに割り当てられないことをＲＡフィールドが指示する場合、該当リソースユニットに対応するユーザ特定フィールドは伝送されない。よって、図２７（ａ）に示したように、チャネルＤのリソースユニット割当情報をシグナリングする第２ＳＩＧ−Ｂコンテンツチャネルは、チャネルＤに対応するユーザ特定フィールド４１０を運ばない。
【０１８３】
図２８は、本発明の一実施例によってＨＥ−ＳＩＧ−Ｂのユーザフィールドを介して不連続チャネル割当情報をシグナリングする方法を示す図である。上述したように、不連続チャネル割当情報はＨＥ−ＳＩＧ−Ｂの特定のユーザフィールドにヌルＳＴＡ  ＩＤを挿入して指示される。ＨＥ−ＳＩＧ−ＢのＲＡフィールドは非割当リソースユニットに対応するリソース割当情報を指示し、前記非割当リソースユニットに対応するユーザフィールドには予め設定されたヌルＳＴＡ  ＩＤが挿入される。
【０１８４】
図２８の実施例のように、チャネルＤが使用されない場合、チャネルＤに対応するＨＥ−ＳＩＧ−Ｂコンテンツチャネル２の第２ＲＡフィールドは２４２トーンリソースユニット及び一つのユーザを指示する。よって、前記第２ＲＡフィールドは該当２４２トーンリソースユニットのために一つのユーザフィールド４２０が運ばれることを指示する。ＳＩＧ−Ｂコンテンツチャネル２のユーザ特定フィールドは、ＨＥ−ＳＩＧ−Ｂコンテンツチャネル２の第１ＲＡフィールド及び第２ＲＡフィールドから指示された総ユーザ数のユーザフィールドを運ぶ。この際、非割当チャネルのチャネルＤに対応するユーザフィールド４２０には予め設定されたヌルＳＴＡ  ＩＤが挿入される。本発明の実施例によると、ヌルＳＴＡ  ＩＤは該当ＢＳＳの１乃至２００７までのＡＩＤのうち非割当ＡＩＤであるか、２００７より大きい値の予約済みのＡＩＤ（例えば、２０４６）であるか、１乃至２００７までのＡＩＤのうち予め設定されたＡＩＤであってもよい。ユーザフィールド４２０にヌルＳＴＡ  ＩＤが挿入されると、ＢＳＳ内のいかなるＳＴＡも該当リソースユニットを介してデータを受信しないため、不連続チャネル割当が行われる。
【０１８５】
図２９は、本発明の追加の実施例による不連続チャネル割当情報のシグナリング方法を示す図である。図２９の実施例によると、中央２６トーンリソースユニット５０２がユーザに割り当てられるのか否かはＨＥ−ＳＩＧ−Ｂのユーザフィールド４２２を介してシグナリングされる。本発明の実施例において、中央２６トーンリソースユニットＲＵは８０ＭＨｚ帯域幅の中央に位置するＲＵ５０２を指す。後述するように、中央２６トーンＲＵ５０２がユーザに割り当てられるのか否かは多様な実施例によって決定される。
【０１８６】
本発明の実施例によると、中央２６トーンＲＵ５０２に対応するユーザフィールド４２２は、図２９に示したようにＨＥ−ＳＩＧ−Ｂコンテンツチャネル１を介して運ばれる。この際、ユーザフィールド４２２はＨＥ−ＳＩＧ−Ｂコンテンツチャネル１の最後のユーザフィールドとして運ばれる。本発明の一実施例によると、中央２６トーンＲＵ５０２がユーザに割り当てられるのか否かは、これに対応するユーザフィールド４２２に挿入されたＳＴＡ  ＩＤを介して指示される。つまり、中央２６トーンＲＵ５０２がユーザに割り当てられない場合、これに対応するユーザフィールド４２２にはヌルＳＴＡ  ＩＤが挿入される。ヌルＳＴＡ  ＩＤの具体的な実施例は図２８で述べたようである。しかし、中央２６トーンＲＵ５０２が特定のユーザに割り当てられる場合、これに対応するユーザフィールド４２２には前記特定ユーザのＳＴＡ  ＩＤが挿入される。
【０１８７】
図３０は、本発明の追加の実施例による不連続チャネル割当情報のシグナリング方法を示す図である。図３０の実施例によると、任意のリソースユニット５０４がユーザに割り当てられるのか否かはＨＥ−ＳＩＧ−Ｂのユーザフィールド４２４を介してシグナリングされる。ＯＦＤＭＡ基盤のＤＬ  ＭＵ  ＰＰＤＵは、２０ＭＨｚ帯域幅内で最大９つのリソースユニットを含むが、これらそれぞれは２６個のサブキャリアからなる。この際、９つのＲＵのうち８つのリソースユニットのみを介してデータが伝送され、１つのリソースユニットではデータが伝送されない。また、総帯域幅８０ＭＨｚのＰＰＤＵは最大３７個のリソースユニットを含むが、このうち一部のリソースユニットからデータが伝送されなくてもよい。このように、総帯域幅を構成するリソースユニットのうちから一部のリソースユニットがユーザに割り当てられない場合、非割当リソースユニットを指示する方法が必要である。
【０１８８】
本発明の実施例によると、このような不連続チャネル割当情報はＨＥ−ＳＩＧ−ＢのＲＡフィールド及びユーザフィールドを介して指示される。上述したように、ＲＡフィールドは特定の帯域幅を構成するリソースユニットの配列及びユーザ数情報を指示する。それぞれのリソースユニットに対応するユーザフィールドは、ＲＡフィールドが指示するリソースユニット割当の順番に応じて、ＨＥ−ＳＩＧ−Ｂのユーザ特定フィールドを介して運ばれる。本発明の実施例によると、非割当リソースユニットは、ＲＡフィールドが指示するリソースユニット配列で特定のリソースユニット５０４に対応するユーザフィールド４２４に挿入されたヌルＳＴＡ  ＩＤを介して指示される。この際、指示される非割当リソースユニットは２６トーンＲＵ、５２トーンＲＵ、１０６トーンＲＵのうち少なくとも一つを含むが、本発明はこれに限らない。つまり、図２８で説明したように、ヌルＳＴＡ  ＩＤを介して指示される非割当リソースユニットは、２０ＭＨｚ帯域幅以上の２４２トーン、４８４トーンＲＵ、及び９９６トーンＲＵを含む。ヌルＳＴＡ  ＩＤの具体的な実施例は図２８で述べたようである。
【０１８９】
次に、図３１を参照して、不連続チャネル割当情報をシグナリングする際に考慮される事項を説明する。ＨＥ  ＭＵ  ＰＰＤＵはＨＥ−ＳＩＧ−Ａ及びＨＥ−ＳＩＧ−Ｂを介してシグナリングを行う。ＨＥ−ＳＩＧ−ＡはＰＰＤＵの帯域幅情報を含む全体的な情報を運び、ＨＥ−ＳＩＧ−Ｂはマルチユーザ同時伝送のための情報を運ぶ。４０ＭＨｚ以上の総ＰＰＤＵ帯域幅において、ＨＥ−ＳＩＧ−ＢはＨＥ−ＳＩＧ−Ｂコンテンツチャネル１とＨＥ−ＳＩＧ−Ｂコンテンツチャネル２で構成される。本発明の実施例によると、不連続ＰＰＤＵの伝送が行われる際、以下のような事項が考慮される。
【０１９０】
第一、全てのタイプの不連続ＰＰＤＵはＰ２０チャネルを割り当てるべきである。つまり、不連続ＰＰＤＵは少なくとも一つの未割当チャネル（または、未割当リソースユニット）を含むが、Ｐ２０チャネルは必ず少なくとも一つのユーザに割当られるべきである。
【０１９１】
第二、不連続ＰＰＤＵのＨＥ−ＳＩＧ−Ａは該当ＰＰＤＵのＨＥ−ＳＩＧ−Ｂコンテンツチャネル（ら）が伝送されるチャネル情報を示すべきである。図３１（ａ）を参照すると、８０ＭＨｚ帯域幅のチャネルが周波数昇順にチャネルＡ、チャネルＢ、チャネルＣ及びチャネルＤで構成されており、占有状態のチャネルＣを除いたチャネルＡ、チャネルＢ及びチャネルＤを介して不連続ＰＰＤＵが伝送される。この際、ＨＥ−ＳＩＧ−Ｂコンテンツチャネル１はチャネルＡを介して伝送され、ＨＥ−ＳＩＧ−Ｂコンテンツチャネル２はチャネルＢ及びチャネルＤを介して伝送される。この際、ＨＥ−ＳＩＧ−Ａの帯域幅フィールドは、該当ＰＰＤＵのＨＥ−ＳＩＧ−Ｂコンテンツチャネルそれぞれが少なくともどのチャネルを介して伝送されるのかに関する情報を示す。後述するように、ＨＥ−ＳＩＧ−Ａの帯域幅フィールドはＳ２０チャネルのパンクチャリング、Ｓ４０チャネルの２つのチャネルのうち少なくとも一つのパンクチャリングをそれぞれインデクシングする。もし帯域幅フィールドがＳ２０チャネルのパンクチャリングを指示する場合、２つのＨＥ−ＳＩＧ−Ｂコンテンツチャネルのうち少なくとも一つのコンテンツチャネルはＳ４０チャネルを介して伝送される。一方、帯域幅フィールドが図３１（ａ）のようにＳ４０チャネル２つの２０ＭＨｚチャネルのうち少なくとも一つのパンクチャリングを指示する場合、２つのＨＥ−ＳＩＧ−Ｂコンテンツチャネル全ては少なくともＰ４０チャネルを介して伝送される。
【０１９２】
最後に、ＨＥ−ＳＩＧ−Ａは、該当ＰＰＤＵでＨＥ−ＳＩＧ−Ｂの共通ブロックフィールドの大きさ情報を明示的にまたは黙示的に示す。図３１（ｂ）に示したように、ＨＥ−ＳＩＧ−Ｂは共通ブロックフィールド４３０とユーザ特定フィールド４００で構成されるが、共通ブロックフィールド４３０はＲＡフィールドを含む。ＰＰＤＵの総帯域幅が２０ＭＨｚまたは４０ＭＨｚであれば、それぞれのＨＥ−ＳＩＧ−Ｂコンテンツチャネルは１つのＲＡフィールドを運ぶ。しかし、ＰＰＤＵの総帯域幅が８０ＭＨｚまたは１６０ＭＨｚ（８０＋８０ＭＨｚ）であれば、それぞれのＨＥ−ＳＩＧ−Ｂコンテンツチャネルは、図３１（ｃ）に示したように複数のＲＡフィールドを４３２を運ぶ。つまり、ＰＰＤＵの総帯域幅が８０ＭＨｚであれば、それぞれのＨＥ−ＳＩＧ−Ｂコンテンツチャネルは２つのＲＡフィールド４３２を運び、ＰＰＤＵの総帯域幅が１６０ＭＨｚ（または、８０＋８０ＭＨｚ）であれば、それぞれのＨＥ−ＳＩＧ−Ｂコンテンツチャネルは４つのＲＡフィールド４３２を運ぶ。よって、ＨＥ−ＳＩＧ−Ａの帯域幅フィールド４５２が指示する情報に応じてＨＥ−ＳＩＧ−Ｂの共通ブロックフィールド４３０を介して運ばれるＲＡフィールド４３２の個数が異なり得る。ＨＥ−ＳＩＧ−Ａの帯域幅フィールド４５２はＨＥ−ＳＩＧ−Ｂの共通ブロックフィールド４３０を介して運ばれるＲＡフィールド４３２の個数を指示してもよく、それを介して共通ブロックフィールド４３０の大きさ情報を明示的または黙示的に示すことができる。
【０１９３】
本発明の実施例によると、不連続チャネル割当情報はＨＥ−ＳＩＧ−Ａのサブフィールド、ＨＥ−ＳＩＧ−Ｂのサブフィールド、及びこれらの組み合わせのうちいずれか一つを介して指示される。不連続チャネル割当情報は、以下のような具体的な実施例によってシグナリングされる。
【０１９４】
まず、不連続チャネル割当情報はＨＥ−ＳＩＧ−Ａのサブフィールドを介して単独にシグナリングされる。ＨＥ−ＳＩＧ−Ａの帯域幅フィールド４５２は、特定の不連続チャネル割当情報を予め設定されたインデックスを介して指示する。ＨＥ−ＳＩＧ−Ａのサブフィールドを介して不連続チャネル割当情報がシグナリングされると、受信者はＰＰＤＵの全体構成情報を素早く獲得することができる。また、不連続チャネル割当情報がＨＥ−ＳＩＧ−Ａのサブフィールドのみでシグナリングされれば、ＨＥ−ＳＩＧ−Ｂを介した追加のシグナリングオーバヘッドが減るようになる。
【０１９５】
しかし、ＨＥ−ＳＩＧ−Ａの可用ビット数の制約のため、多様な不連続チャネル割当情報がシグナリングされない恐れがある。よって、本発明の一実施例によると、帯域幅フィールド４５２は、多様な不連続チャネル割当オプションのうち一部の不連続チャネル割当情報のみを明示的に指示する。本発明の他の実施例によると、不連続チャネル割当が行われる場合、不必要になるＨＥ−ＳＩＧ−Ａの一部のサブフィールドが不連続チャネル割当情報の追加のシグナリングに使用される。例えば、不連続チャネル割当が行われる場合、全体帯域幅ＭＵ−ＭＩＭＯの利用可否を指示するＳＩＧ−Ｂの圧縮フィールド４５４は不必要になる。よって、不連続チャネル割当が行われる場合、ＳＩＧ−Ｂ圧縮フィールド４５４は他の用途として使用される。例えば、ＨＥ−ＳＩＧ−Ａは帯域幅フィールド４５２とＳＩＧ−Ｂ圧縮フィールド４５４を共に利用して不連続チャネル割当情報を指示してもよい。
【０１９６】
次に、不連続チャネル割当情報はＨＥ−ＳＩＧ−Ｂのサブフィールドを介して単独にシグナリングされる。この際、ＨＥ−ＳＩＧ−Ａの帯域幅フィールドは従来の連続帯域幅を指示し、非割当チャネル（または、非割当リソースユニット）の情報は、ＨＥ−ＳＩＧ−ＢのＲＡフィールド４３２及び／またはユーザフィールドを介して指示される。この場合、ＨＥ−ＳＩＧ−Ａのシグナリングオーバヘッドは減るが、ＨＥ−ＳＩＧ−Ｂのシグナリングオーバヘッドが増加する恐れがある。
【０１９７】
最後に、不連続チャネル割当情報はＨＥ−ＳＩＧ−Ａのサブフィールド及びＨＥ−ＳＩＧ−Ｂのサブフィールドの組み合わせを介してシグナリングされる。ＨＥ−ＳＩＧ−Ａのサブフィールドは不連続チャネル割当情報の少なくとも一部をシグナリングし、ＨＥ−ＳＩＧ−Ｂのサブフィールドは残りの情報をシグナリングする。一実施例によると、ＨＥ−ＳＩＧ−Ａのサブフィールドは、Ｐ８０チャネルのＰＰＤＵ構成の詳細情報とＳ８０チャネルの伝送可否情報をシグナリングする。もしＨＥ−ＳＩＧ−ＡのサブフィールドがＳ８０チャネルの伝送を指示する場合、ＨＥ−ＳＩＧ−ＢのサブフィールドはＳ８０チャネルのＰＰＤＵ構成の詳細情報をシグナリングする。他の実施例によると、ＨＥ−ＳＩＧ−Ａのサブフィールドは、該当ＰＰＤＵのＨＥ−ＳＩＧ−Ｂのコンテンツチャネル（ら）が伝送されるチャネル情報及びＨＥ−ＳＩＧ−Ｂの共通ブロックフィールド４３０の大きさ情報をシグナリングする。ＨＥ−ＳＩＧ−Ｂのサブフィールドは、該当ＰＰＤＵ構成の追加の情報をシグナリングする。また他の実施例によると、不連続ＰＰＤＵの伝送帯域がＰ４０チャネルを常に含む場合、ＨＥ−ＳＩＧ−ＡのサブフィールドにおいてＨＥ−ＳＩＧ−Ｂの共通ブロックフィールド４３０の大きさ情報をシグナリングする。
【０１９８】
図３２乃至図３４は、本発明の多様な実施例による不連続チャネル割当方法を示す図である。図３２乃至図３４の実施例による不連続チャネル割当情報は、図２５乃至図３１で説明した多様な実施例のうち少なくても一つの組み合わせを介してシグナリングされる。
図３２は、本発明の一実施例による不連続チャネル割当方法を示す図である。本発明の一実施例によると、不連続チャネル割当情報はＨＥ−ＳＩＧ−Ａの帯域幅フィールドを介して単独にシグナリングされる。図３２は、ＨＥ−ＳＩＧ−Ｂコンテンツチャネルのデコーディング位置を固定するために不連続ＰＰＤＵが常にＰ４０チャネルを割り当てる実施例を示す。この際、ＨＥ−ＳＩＧ−Ｂコンテンツチャネル１及びＨＥ−ＳＩＧ−Ｂコンテンツチャネル２は、共に少なくともＰ４０チャネルを介して伝送される。図３２及び以下の実施例において、Ｓ８０Ａチャネル、Ｓ８０Ｂチャネル、Ｓ８０Ｃチャネル及びＳ８０Ｄチャネルは、それぞれＳ８０チャネルを構成する最初の、２番目の、３番目の及び４番目の２０ＭＨｚチャネルを指す。
【０１９９】
ＨＥ−ＳＩＧ−Ａの帯域幅フィールドは、基本的に４種類の連続チャネル５１０情報、つまり、２０ＭＨｚ、４０ＭＨｚ、８０ＭＨｚ、及び１６０ＭＨｚ（８０＋８０ＭＨｚを含む）をそれぞれインデクシングする。もし帯域幅フィールドが３ビットで構成される場合、帯域幅フィールドは４種類の追加の不連続チャネル５２０の情報をインデクシングする。まず、帯域幅フィールドは、Ｓ４０チャネルにおいて２つの２０ＭＨｚチャネルのうちいずれか一つのパンクチャリングをそれぞれインデクシングする。また、帯域幅フィールドは、Ｓ４０チャネルの構成と組み合わせてＳ８０チャネルの割当可否をインデクシングする。よって、帯域幅フィールドは、Ｐ８０チャネル内でＰ４０＋Ｓ４０Ａ及びＰ４０＋Ｓ４０Ｂの２種類のとＳ８０チャネルの割当可否による２つの構成を組み合わせて、計４種類の不連続チャネル構成をインデクシングする。
【０２００】
次に、帯域幅フィールドが４ビットで構成される場合、帯域幅フィールドは４種類の不連続チャネル５２０の情報に加え、８つの不連続チャネル５３０の情報を追加にインデクシングする。まず、帯域幅フィールドは、Ｓ４０チャネルにおいて２つの２０ＭＨｚチャネルのうちいずれか一つのパンクチャリングをそれぞれインデクシングする。また、帯域幅フィールドは、前記Ｓ４０チャネルの構成と組み合わせてＳ８０チャネルにおける６種類の不連続チャネルの情報をインデクシングする。この際、６種類の不連続チャネルの情報はＳ８０チャネルの割当可否を含み、図３２で示したように連続した４０ＭＨｚ帯域を割り当てられる４種類のパンクチャリングオプションを含む。
【０２０１】
図３３は、本発明の他の実施例による不連続チャネル割当方法を示す図である。図３３の実施例によると、ＨＥ−ＳＩＧ−Ｂコンテンツチャネルのうち少なくとも一つが伝送される位置は可変的である。この際、受信者はＨＥ−ＳＩＧ−Ｂコンテンツチャネルを受信するためのデコーティングチャネルを可変的に設定すべきである。図３３の実施例では、Ｐ２０チャネルでＨＥ−ＳＩＧ−Ｂコンテンツチャネル１が伝送され、ＨＥ−ＳＩＧ−Ｂコンテンツチャネル２が伝送されるチャネルが可変されると仮定する。しかし、Ｐ４０チャネル内でのＰ２０チャネルの物理的周波数の順番に応じて、Ｐ２０チャネルでＨＥ−ＳＩＧ−Ｂコンテンツチャネル２が伝送されてもよい。この際、チャネル構成によってＨＥ−ＳＩＧ−Ｂコンテンツチャネル１が伝送されるチャネルが可変されてもよい。本発明の実施例による不連続チャネル割当情報は、図３３に並べられたチャネル構成のうち少なくとも一部の構成を支援する。
【０２０２】
図３３（ａ）は、Ｐ８０（Ｐｒｉｍａｒｙ  ８０ＭＨｚ）帯域のうちＰ２０チャネルのみ割り当てられるチャネル構成を示す。この際、ＨＥ−ＳＩＧ−Ｂコンテンツチャネル２はＰ８０帯域で伝送されない。図３３（ｂ）は、Ｐ８０帯域のうちＰ４０チャネルが基本的に割り当てられるチャネル構成を示す。この際、ＨＥ−ＳＩＧ−Ｂコンテンツチャネル１及びＨＥ−ＳＩＧ−Ｂコンテンツチャネル２は、共に少なくともＰ４０チャネルを介して伝送される。実施例によって、Ｓ４０チャネルの２つの２０ＭＨｚチャネルのうちいずれか一つ、つまり、Ｓ４０ＡチャネルまたはＳ４０Ｂチャネルが割り当てられた不連続チャネルが使用される。Ｓ４０Ａチャネル及びＳ４０Ｂチャネルが全て割り当てられると、８０ＭＨｚまたは１６０ＭＨｚ帯域幅の連続チャネルが構成される。
【０２０３】
図３３（ｃ）は、Ｐ８０帯域のうちＰ２０チャネルとＳ４０Ａチャネルのみ割り当てられるチャネル構成を示す。一実施例によると、ＨＥ−ＳＩＧ−Ｂコンテンツチャネル１はＰ２０チャネルを介して伝送され、ＨＥ−ＳＩＧ−Ｂコンテンツチャネル２はＳ４０Ａチャネルを介して伝送される。Ｓ４０Ａチャネルは、元々はＨＥ−ＳＩＧ−Ｂコンテンツチャネル１が伝送されるチャネルである。しかし、不連続ＰＰＤＵのＰ８０帯域構成において、ＨＥ−ＳＩＧ−Ｂコンテンツチャネル２が伝送される他のチャネルが存在しなければ、Ｓ４０Ａチャネルを介してＨＥ−ＳＩＧ−Ｂコンテンツチャネル２が伝送されてもよい。しかし、このようなＨＥ−ＳＩＧ−Ｂコンテンツチャネルの変更はＰＰＤＵ構成の負担を増加させるため、実施例によって図３３（ｃ）のチャネル構成は使用されなくてもよい。
【０２０４】
図３３（ｄ）は、Ｐ８０帯域のうちＰ２０チャネルとＳ４０チャネルのみ割り当てられるチャネル構成を示す。この際、ＨＥ−ＳＩＧ−Ｂコンテンツチャネル１はＰ２０チャネル及びＳ４０Ａチャネルを介して伝送され、ＨＥ−ＳＩＧ−Ｂコンテンツチャネル２はＳ４０Ｂチャネルを介して伝送される。また、図３３（ｅ）は、Ｐ８０帯域のうちＰ２０チャネルとＳ４０Ｂチャネルのみ割り当てられるチャネル構成を示す。この際、ＨＥ−ＳＩＧ−Ｂコンテンツチャネル１はＰ２０チャネルを介して伝送され、ＨＥ−ＳＩＧ−Ｂコンテンツチャネル２はＳ４０Ｂチャネルを介して伝送される。図３３（ｄ）及び図３３（ｅ）の実施例の場合、ＨＥ−ＳＩＧ−Ｂコンテンツチャネル１及びＨＥ−ＳＩＧ−Ｂコンテンツチャネル２は、本発明の実施例によるＨＥ−ＳＩＧ−Ｂコンテンツチャネル伝送規則に従って伝送される。
【０２０５】
一方、ＨＥ−ＳＩＧ−Ａの帯域幅フィールドのビット数の制限のため、帯域幅フィールドは前記チャネル構成のうち一部の構成を指示する。帯域幅フィールドが３ビットで構成される場合、帯域幅フィールドは４種類の追加の不連続チャネル割当情報をインデクシングする。本発明の実施例によると、帯域幅フィールドはＰＰＤＵが伝送される総帯域幅情報、及び前記総帯域幅内でパンクチャリングされる一部のチャネル情報を指示する。この際、総帯域幅は８０ＭＨｚ帯域幅と１６０ＭＨｚ（または、８０＋８０ＭＨｚ）帯域幅のうちいずれか一つである。本発明の一実施例によると、帯域幅フィールドは図３３（ｄ）に示したＳ２０チャネルのパンクチャリング、図３３（ｂ）に示したＳ４０チャネルの２つの２０ＭＨｚチャネルのうち少なくとも一つのパンクチャリングをそれぞれインデクシングする。
【０２０６】
本発明の実施例によると、ＨＥ−ＳＩＧ−Ａの帯域幅フィールドが指示するチャネル構成において、追加のパンクチャリング情報はＨＥ−ＳＩＧ−ＢのＲＡフィールドを介して指示される。例えば、帯域幅フィールドが８０ＭＨｚの総帯域幅でＳ４０チャネルの２つの２０ＭＨｚチャネルのうちいずれか一つのパンクチャリングを指示する場合（図３３（ｂ）の３番目及び５番目のチャネル構成）、リソースユニット割当フィールドはＳ４０チャネルのうちどの２０ＭＨｚチャネルがパンクチャリングされるのかを指示する。また、帯域幅フィールドが１６０ＭＨｚまたは８０＋８０ＭＨｚの総帯域幅でＳ４０チャネルの２つの２０ＭＨｚチャネルのうち少なくとも一つのパンクチャリングを指示する場合（図３３（ｂ）の２番目、４番目及び６番目のチャネル構成）、リソースユニット割当フィールドはＳ４０チャネルのうちどの２０ＭＨｚチャネルがパンクチャリングされるのかを指示する。加えて、帯域幅フィールドが１６０ＭＨｚまたは８０＋８０ＭＨｚの総帯域幅でＳ４０チャネルの２つの２０ＭＨｚチャネルのうち少なくとも一つのパンクチャリングを指示する場合（図３３（ｂ）の２番目、４番目及び６番目のチャネル構成）、リソースユニット割当フィールドはＳ８０チャネルでの追加のパンクチャリングを指示する。また、帯域幅フィールドが１６０ＭＨｚまたは８０＋８０ＭＨｚの総帯域幅でＳ２０チャネルのパンクチャリングを指示する場合（図３３（ｂ）の２番目のチャネル構成）、リソースユニット割当フィールドはＳ８０チャネルでの追加のパンクチャリングを指示する。
【０２０７】
このように、パンクチャリングが指示されたチャネルはユーザに割り当てられない。不連続ＰＰＤＵを受信した端末は、ＰＰＤＵが伝送される総帯域幅情報、及び前記総帯域幅内でパンクチャリングされるチャネル情報を該当ＰＰＤＵのＨＥ−ＳＩＧ−Ａの帯域幅フィールドを介して獲得する。また、端末は追加のチャネルパンクチャリング情報を該当ＰＰＤＵのＨＥ−ＳＩＧ−ＢのＲＡフィールドを介して獲得する。端末は、このように獲得された不連続チャネル割当情報に基づいてＰＰＤＵをデコーディングする。
【０２０８】
図３４は、本発明のまた他の実施例による不連続チャネル割当方法を示す図である。図３４の実施例においても、ＨＥ−ＳＩＧ−Ｂコンテンツチャネルのうち少なくとも一つが伝送される位置は可変的である。この際、受信者はＨＥ−ＳＩＧ−Ｂコンテンツチャネルを受信するためのデコーティングチャネルを可変的に設定すべきである。図３４の実施例では、Ｐ２０チャネルでＨＥ−ＳＩＧ−Ｂコンテンツチャネル１が伝送され、ＨＥ−ＳＩＧ−Ｂコンテンツチャネル２が伝送されるチャネルが可変されると仮定する。
【０２０９】
図３４の実施例によると、ＨＥ−ＳＩＧ−Ａの帯域幅フィールドはＨＥ−ＳＩＧ−Ｂコンテンツチャネルの位置情報ＸとＨＥ−ＳＩＧ−Ｂの共通ブロックフィールドの大きさ情報Ｙを指示する。図３４には、帯域幅フィールドが指示し得るＸ、Ｙの組み合わせが示されている。
【０２１０】
まず、ＨＥ−ＳＩＧ−Ｂコンテンツチャネルの位置情報Ｘは、Ｐ８０チャネル内でＨＥ−ＳＩＧ−Ｂコンテンツチャネル２が伝送されるチャネルを指示する。前記位置情報が２ビットで構成されれば、Ｐ２０、Ｓ２０、Ｓ４０Ａ及びＳ４０Ｂの計４つのチャネルを指示する。もし前記位置情報が１ビットで構成されれば、Ｓ２０、Ｓ４０Ｂの計２つのチャネルを指示する。後者の場合、Ｐ２０チャネルのみユーザに割り当てられる際にも、Ｓ２０チャネルにＨＥ−ＳＩＧ−Ｂコンテンツチャネルが伝送されるとシグナリングされる。しかし、Ｓ２０チャネルでは実際に信号が伝送されず、受信者はＳ２０チャネルにおけるＨＥ−ＳＩＧ−Ｂコンテンツチャネルのコーディングに失敗するはずであるため、Ｐ２０チャネルのみで構成されたＰＰＤＵ伝送に問題は発生しない。
【０２１１】
次に、共通ブロックフィールドの大きさ情報Ｙは、運ばれるＲＡフィールドの個数によって異なり得る。前記大きさ情報が２ビットで構成される場合、共通ブロックフィールドに含まれたＲＡフィールドの個数は１つ、２つ、３つまたは４つに指示される。もし前記大きさ情報が１ビットで構成される場合、共通ブロックフィールドに含まれたＲＡフィールドの個数は２つまたは４つに指示される。後者の場合、不必要なＲＡフィールドが追加に伝送される恐れがある。しかし、不必要なＲＡフィールドが図２７で説明した非割当ＲＵを指示するようにすることで、追加のシグナリングオーバヘッドを防止することができる。
【０２１２】
受信者はＨＥ−ＳＩＧ−Ｂコンテンツチャネルの位置情報Ｘに基づいて、ＨＥ−ＳＩＧ−Ｂコンテンツチャネルを受信するチャネルを決定する。また、受信者は共通ブロックフィールドの大きさ情報に基づいてＨＥ−ＳＩＧ−Ｂの共通ブロックフィールドをデコーディングする。伝送されるＰＰＤＵの追加の非割当情報は、共通ブロックフィールドのＲＡフィールドを介して指示される。本発明の一実施例によると、複数のＲＡフィールドが最大１６０ＭＨｚ帯域幅内でそれぞれどのチャネルを指示するのかを示すリソースユニット指示フィールドが使用される。この際、リソースユニット指示フィールドは最大１６０ＭＨｚ帯域幅の８つの２０ＭＨｚチャネルを示すビットマップを介して、後のＲＡフィールドが順次にどのチャネルに関する情報を示すのかを指示する。
【０２１３】
図３５乃至図３７は、本発明の追加の実施例によるリソースユニットフィルタリングの実施例を示す図である。図２０では、不連続ＰＰＤＵを伝送するいくつかの実施例を説明した。図３５乃至図３７は、図２０で述べた不連続ＰＰＤＵ伝送過程において、追加のリソースユニットがフィルタリングされるの実施例を示す。本発明の実施例において、フィルタリングされたリソースユニット（または、チャネル）は、非割当リソースユニット（または、チャネル）を意味する。
【０２１４】
図３５は、１つのＲＦモジュールを備えた端末が１６０ＭＨｚ帯域幅でＰＰＤＵを伝送しようとするが、ＣＣＡの結果、Ｓ４０チャネル６４０が占有状態の状況を示す。端末は、Ｐ４０チャネル（Ｐ２０チャネル＋Ｓ２０チャネル）及びＳ８０チャネルを含む１４０ＭＨｚ帯域に不連続ＰＰＤＵを伝送する。この際、不連続ＰＰＤＵは１６０ＭＨｚスペクトルマスク６１０を利用して伝送されるが、占有状態と判別されたＳ４０チャネル６４０ではフィルタリングが行われてデータが伝送されない。しかし、Ｐ４０チャネルを介して伝送される信号には４０ＭＨｚスペクトルマスクが適用されないため、Ｓ４０チャネルとの境界に隣接した一部のリソースユニットの信号はＳ４０チャネルを介して伝送されるＯＢＳＳ信号に干渉を与える恐れがある。
【０２１５】
よって、本発明の実施例によると、不連続ＰＰＤＵ伝送状況で非割当Ｓ４０チャネル６４０に隣接したリソースユニットは、追加にフィルタリングが行われて非割当リソースユニットとして設定される。全体帯域幅においてＳ４０チャネル６４０の位置に応じて、中央２６トーン６５０を含んでＳ４０チャネル６４０の両側に最大２つの隣接したリソースユニットが存在する。本発明の実施例によると、４０ＭＨｚ帯域幅のチャネルが非割当チャネルと設定される場合、該当チャネルに隣接したリソースユニット、例えば、中央２６トーンＲＵ６５０には追加のフィルタリングが行われる。それだけでなく、非割当Ｓ４０チャネル６４０に隣接した伝送チャネル（つまり、Ｐ２０チャネル）の一部のリソースユニットが非割当Ｓ４０チャネル６４０でのＯＢＳＳ信号に干渉を与える恐れがあれば、前記一部のリソースユニットにも追加のフィルタリングが行われる。このような追加のリソースユニットのフィルタリング可否は、送信者の伝送パワー、周波数帯域別の最大伝送パワー、受信されたＯＢＳＳ信号の強度などの情報に基づいて決定される。
【０２１６】
本発明の一実施例によると、非割当Ｓ４０チャネル６４０のＣＣＡ結果に応じて、以下のように中央２６トーンＲＵ６５０のフィルタリング可否（つまり、非割当リソースユニットとしての設定可否）を決定する。第一、非割当Ｓ４０チャネル６４０で６４ＦＦＴ／２０ＭＨｚを使用するレガシーＰＰＤＵが検出された場合、中央２６トーンＲＵ６５０のフィルタリングが行われる。第二、非割当Ｓ４０チャネル６４０で２５６ＦＦＴ／２０ＭＨｚを使用するＨＥ  ＰＰＤＵが検出された場合、該当ＨＥ  ＰＰＤＵが占有する帯域に基づいて中央２６トーンＲＵ６５０のフィルタリング可否が決定される。もしＨＥ  ＰＰＤＵが占有する帯域が中央２６トーンＲＵ６５０から予め設定された周波数間隔以上離れている場合、中央２６トーンＲＵ６５０はフィルタリングされなくてもよい。しかし、ＨＥ  ＰＰＤＵが占有する帯域が中央２６トーンＲＵ６５０から予め設定された周波数間隔未満に離れている場合、中央２６トーンＲＵ６５０はフィルタリングが行われる。第三、非割当Ｓ４０チャネル６４０でレガシーＰＰＤＵまたはＨＥ  ＰＰＤＵが検出されずに任意の無線信号が検出された場合、該当信号が占有する帯域に基づいて中央２６トーンＲＵ６５０のフィルタリング可否が決定される。もし該当信号が占有する帯域の縁がが中央２６トーンＲＵ６５０から予め設定された周波数間隔以上離れている場合、中央２６トーンＲＵ６５０はフィルタリングされなくてもよい。
【０２１７】
次に、図３６は、１つのＲＦモジュールを備えた端末が８０ＭＨｚ帯域幅でＰＰＤＵを伝送しようとするが、ＣＣＡの結果、Ｓ２０チャネル６４２が占有状態の状況を示す。端末は、Ｐ２０チャネル及びＳ４０チャネルを含む６０ＭＨｚ帯域で不連続ＰＰＤＵを伝送する。この際、不連続ＰＰＤＵは８０ＭＨｚスペクトルマスク６１２を利用して伝送されるが、占有状態と判別されたＳ２０チャネル６４２ではフィルタリングが行われてデータが伝送されない。しかし、Ｐ２０チャネルを介して伝送される信号には２０ＭＨｚスペクトルマスクが適用されないため、Ｓ２０チャネルとの境界に隣接した一部のリソースユニットの信号はＳ２０チャネルを介して伝送されるＯＢＳＳ信号に干渉を与える恐れがある。
図３６の実施例においても同じく、図３５の実施例で説明された方法によって中央２６トーンＲＵ６５２及び／または隣接リソースユニットのフィルタリング可否が決定される。それだけでなく、非割当Ｓ２０チャネル６４２に隣接した伝送チャネル（つまり、Ｐ２０チャネル）の一部のリソースユニットが非割当Ｓ２０チャネル６４２でのＯＢＳＳ信号に干渉を与える恐れがあれば、前記一部のリソースユニットにも追加のフィルタリングが行われる。本発明の一実施例によると、送信者は、伝送チャネルにおいて非割当チャネルに隣接した帯域には狭い帯域幅のリソースユニットを割り当ててリソースの浪費を最小化する。
【０２１８】
次に、図３７は、２つのＲＦモジュールを備えた端末が８０＋８０ＭＨｚ帯域幅でＰＰＤＵを伝送しようとするが、ＣＣＡの結果、Ｓ４０チャネル６４４が占有状態の状況を示す。端末は、２つのＲＦモジュールを利用してＰ４０チャネル（Ｐ２０チャネル＋Ｓ２０チャネル）及びＳ８０チャネルにそれぞれ不連続ＰＰＤＵを伝送する。端末は、第１ＲＦモジュールを利用して４０ＭＨｚスペクトルマスク６１４が適用されたＰＰＤＵをＰ４０チャネルを介して伝送し、第２ＲＦモジュールを利用して８０ＭＨｚスペクトルマスク６１６が適用されたＰＰＤＵをＳ８０チャネルを介して伝送する。よって、図３７の実施例では、非割当Ｓ４０チャネル６４４に隣接した伝送チャネル（つまり、Ｐ２０チャネル）に含まれた一部のリソースユニットの追加のフィルタリングを必要としない。しかし、非割当Ｓ４０チャネル６４４に隣接した中央２６トーンＲＵ６５４の最小半分はフィルタリングが行われるべきである。よって、本発明の実施例によると、中央２６トーンＲＵ６５４が非割当リソースユニットとして設定される。
【０２１９】
図３８及び図４２は、本発明の追加の実施例によるＨＥ  ＭＵ  ＰＰＤＵのシグナリング方法を示す図である。図３８乃至図４２の実施例において、チャネルＡ乃至チャネルＤは、８０ＭＨｚ  ＰＰＤＵが伝送されるそれぞれの２０ＭＨｚチャネルを指す。この際、チャネルＡはＰ２０チャネルに、チャネルＢはＳ２０チャネルに、チャネルＣ及びチャネルＤはＳ４０チャネルにそれぞれ指定される。また、ＨＥ−ＳＩＧ−Ｂコンテンツチャネル１はチャネルＡ及びチャネルＣのうち少なくとも一つを介して伝送され、ＨＥ−ＳＩＧ−Ｂコンテンツチャネル２はチャネルＢ及びチャネルＤのうち少なくとも一つを介して伝送される。
【０２２０】
図３８は、ＨＥ  ＭＵ  ＰＰＤＵにおいて中央２６トーンＲＵの割当情報をシグナリングする方法の一実施例を示す図である。図３８（ａ）は総帯域幅８０ＭＨｚのＰＰＤＵを構成するリソースユニットを図示し、図３８（ｂ）は該当ＰＰＤＵを介して運ばれるＨＥ−ＳＩＧ−Ｂコンテンツチャネル１及びＨＥ−ＳＩＧ−Ｂコンテンツチャネル２の構成を示す。それぞれのＨＥ−ＳＩＧ−Ｂコンテンツチャネルにおいて、ＲＡフィールド及びユーザフィールドが運ばれる具体的な方法は以前の実施例で述べたようである。
【０２２１】
８０ＭＨｚ以上の総帯域幅でＰＰＤＵが伝送されれば、図３８（ａ）に示したように、中央２６トーンＲＵ５０２が追加に使用される。上述したように、ＨＥ−ＳＩＧ−Ｂの共通ブロックフィールドには中央２６トーンＲＵ５０２がユーザに割り当てられたのか否かを示すＣ２６フィールド（図示せず）が更に含まれる。前記Ｃ２６フィールドは、共通ブロックフィールド内でＲＡフィールド以前または以降に位置する１ビットの指示者で構成される。本発明の実施例によると、Ｃ２６フィールドはＨＥ−ＳＩＧ−Ｂコンテンツチャネル１及びＨＥ−ＳＩＧ−Ｂコンテンツチャネル２両方を介して運ばれる。もしＣ２６フィールドが中央２６トーンＲＵ５０２の割当を指示する場合、中央２６トーンＲＵ５０２に対応するユーザフィールド４２２がＨＥ−ＳＩＧ−Ｂを介して運ばれるべきである。
もし８０ＭＨｚの総帯域幅でＰＰＤＵが伝送される場合、前記ＨＥ−ＳＩＧ−Ｂコンテンツチャネル１を介して運ばれるＣ２６フィールド、及びＨＥ−ＳＩＧ−Ｂコンテンツチャネル２を介して運ばれるＣ２６フィールドは、全て該当８０ＭＨｚ総帯域幅の中央２６トーンＲＵ５０２がユーザに割り当てられたのか否かを指示する。この際、Ｃ２６フィールドが中央２６トーンＲＵ５０２の割当を指示する場合、中央２６トーンＲＵ５０２に対応するユーザフィールド４２２はＨＥ−ＳＩＧ−Ｂコンテンツチャネル１のユーザ特定フィールドを介して運ばれる。しかし、Ｃ２６フィールドが中央２６トーンＲＵ５０２の非割当を指示する場合、中央２６トーンＲＵ５０２に対応するユーザフィールドは運ばれない。
【０２２２】
一方、１６０ＭＨｚまたは８０＋８０ＭＨｚの総帯域幅でＰＰＤＵが伝送される場合、総帯域幅は第１の８０ＭＨｚ帯域幅及び第２の８０ＭＨｚ帯域幅で構成される。ここで、第１の８０ＭＨｚ帯域幅は第２の８０ＭＨｚ帯域幅より低い周波数帯域であってもよい。それぞれの８０ＭＨｚ帯域幅には中央２６トーンＲＵが存在する。この際、ＨＥ−ＳＩＧ−Ｂコンテンツチャネル１を介して運ばれる第１Ｃ２６フィールドは、第１の８０ＭＨｚ帯域幅の第１中央２６トーンＲＵがユーザに割り当てられたのか否かを指示する。また、ＨＥ−ＳＩＧ−Ｂコンテンツチャネル２を介して運ばれる第２Ｃ２６フィールドは、第２の８０ＭＨｚ帯域幅の第２中央２６トーンＲＵがユーザに割り当てられたのか否かを指示する。もし第１Ｃ２６フィールドが第１中央２６トーンＲＵの割当を指示する場合、第１中央２６トーンＲＵに対応するユーザフィールドはＨＥ−ＳＩＧ−Ｂコンテンツチャネル１のユーザ特定フィールドを介して運ばれる。また、第２Ｃ２６フィールドが第２中央２６トーンＲＵの割当を指示する場合、第２中央２６トーンＲＵに対応するユーザフィールドはＨＥ−ＳＩＧ−Ｂコンテンツチャネル２のユーザ特定フィールドを介して運ばれる。しかし、前記第１Ｃ２６フィールド及び／または第２Ｃ２６フィールドが中央２６トーンＲＵの非割当を指示する場合、それに対応するユーザフィールドは運ばれない。
【０２２３】
図３９は、全体帯域幅ＭＵ−ＭＩＭＯで伝送されるＨＥ  ＭＵ  ＰＰＤＵでＨＥ−ＳＩＧ−Ｂをシグナリングする方法を示す図である。図３９（ａ）に示したように、全体帯域幅ＭＵ−ＭＩＭＯ伝送が行われる場合、ＨＥ−ＳＩＧ−ＢのＲＡフィールドは伝送される必要がない。よって、ＨＥ−ＳＩＧ−ＡのＳＩＧ−Ｂ圧縮フィールドはＨＥ−ＳＩＧ−Ｂフィールドの圧縮モードを指示する。一方、ユーザフィールドはＨＥ−ＳＩＧ−Ｂコンテンツチャネル１とＨＥ−ＳＩＧ−Ｂコンテンツチャネル２に分配されて運ばれる。受信者はＨＥ−ＳＩＧ−Ｂコンテンツチャネル１とＨＥ−ＳＩＧ−Ｂコンテンツチャネル２を全てデコーディングし、該当端末に対応するユーザフィールドが伝送されるのか否かを確認する。
【０２２４】
図３９（ｂ）は、全体帯域幅ＭＵ−ＭＩＭＯ伝送が行われる場合（つまり、ＳＩＧ−Ｂ圧縮フィールドがＨＥ−ＳＩＧ−Ｂフィールドの圧縮モードを指示する場合）、ＨＥ−ＳＩＧ−Ａの特定サブフィールドがＭＵ−ＭＩＭＯユーザの個数情報を指示する実施例を示す。本発明の一実施例によると、全体帯域幅ＭＵ−ＭＩＭＯ伝送が行われる場合、ＨＥ−ＳＩＧ−ＡのＳＩＧ−ＢデュアルＭＣＳフィールドはＭＵ−ＭＩＭＯユーザの個数情報を指示する。全体帯域幅ＭＵ−ＭＩＭＯ伝送が行われれば、ＨＥ−ＳＩＧ−Ｂコンテンツチャネル１とＨＥ−ＳＩＧ−Ｂコンテンツチャネル２は互いに異なるＭＣＳ情報を介して情報量を分散する必要がないためである。本発明の他の実施例によると、全体帯域幅ＭＵ−ＭＩＭＯ伝送が行われる場合、ＨＥ−ＳＩＧ−ＡのＳＩＧ−Ｂシンボルの個数フィールドはＭＵ−ＭＩＭＯユーザの個数情報を指示する。全体帯域幅ＭＵ−ＭＩＭＯ伝送が行われる場合、ＭＵ−ＭＩＭＯユーザの個数情報とＭＣＳ情報を伝達することがＨＥ−ＳＩＧ−Ｂシンボルの個数とＭＣＳ情報を伝達することより受信者のデコーティングを簡便にするためである。
【０２２５】
図３９（ｃ）は、全体帯域幅ＭＵ−ＭＩＭＯ伝送が行われる場合のＨＥ−ＳＩＧ−Ｂコンテンツチャネル１とＨＥ−ＳＩＧ−Ｂコンテンツチャネル２の詳細構成を示す。全体帯域幅ＭＵ−ＭＩＭＯが行われる場合、ＨＥ−ＳＩＧ−ＢにはＲＡフィールドが存在しない。よって、２０ＭＨｚより大きい帯域幅を介してＭＵ−ＭＩＭＯ伝送が行われれば、ＨＥ−ＳＩＧ−Ｂコンテンツチャネル１とＨＥ−ＳＩＧ−Ｂコンテンツチャネル２にそれぞれ指定されるユーザの個数が別途に決定されるべきである。
【０２２６】
本発明の実施例によると、２００ＭＨより大きい帯域幅を介してＭＵ−ＭＩＭＯ伝送が行われれば、ユーザフィールドはロードバランシングのために２つのコンテンツチャネルの間に公平に分配される。つまり、それぞれのＳＩＧ−Ｂコンテンツチャネルで伝送されるユーザフィールドの個数は、全体のユーザ個数の半分の切上値または切捨値に決定される。例えば、ユーザフィールドの全体の個数がｎであれば、１からｍ（ここで、ｍはｃｅｉｌ（ｎ／２））番目のユーザフィールドはＨＥ−ＳＩＧ−Ｂコンテンツチャネル１を介して伝送され、ｍ＋１〜ｎ番目のユーザフィールドはＨＥ−ＳＩＧ−Ｂコンテンツチャネル２を介して伝送される。もしｎが奇数であれば、ＨＥ−ＳＩＧ−Ｂコンテンツチャネル１に含まれたユーザフィールドの個数は、ＨＥ−ＳＩＧ−Ｂコンテンツチャネル２に含まれたユーザフィールドの個数より１つ多くなる。計ｎ個のユーザフィールドは、ＨＥ−ＳＩＧ−Ｂコンテンツチャネル１の各ユーザフィールド、次にＨＥ−ＳＩＧ−Ｂコンテンツチャネル２の各ユーザフィールドの順に割り当てられる。
【０２２７】
図４０は、不連続ＰＰＤＵにおける特定のリソースユニットの非割当をシグナリングする一実施例を示す図である。図３５乃至図３７の実施例で説明したように、不連続ＰＰＤＵの伝送過程では、非割当チャネルに隣接した伝送チャネルの一部のリソースユニット５０６に追加のフィルタリングが行われる。図４０（ａ）を参照すると、非割当チャネルのチャネルＢに隣接した伝送チャネル（つまり、チャネルＡ）のリソースユニット５０６には追加のフィルタリングが行われる。
【０２２８】
図４０（ｂ）は、このような不連続ＰＰＤＵの特定のリソースユニット５０６の非割当を指示するＨＥ−ＳＩＧ−Ｂの構成を示す。図４０（ｂ）を参照すると、ＨＥ−ＳＩＧ−ＢのＲＡフィールドは伝送チャネル（つまり、チャネルＡ）のリソースユニット割当情報を指示する。チャネルＡの各リソースユニットは、ＳＴＡ  Ａ１乃至ＳＴＡ  Ａｎに割り当てられる。ＨＥ−ＳＩＧ−Ｂのユーザ特定フィールドは、それぞれのリソースユニットに対応するユーザフィールドを運ぶ。この際、フィルタリングされるリソースユニット５０６に対応するユーザフィールド４２６にはヌルＳＴＡ  ＩＤが挿入されてもよい。ヌルＳＴＡ  ＩＤの具体的な実施例は、以前の図面の実施例で述べたようである。
【０２２９】
図４１は、不連続ＰＰＤＵにおいて中央２６トーンＲＵ５０２の割当情報をシグナリングする他の実施例を示す図である。上述したように、ＲＡフィールドは、ユーザに割り当てられない特定のチャネルを予め設定されたインデックスを介して指示する。つまり、ＲＡフィールドは２０ＭＨｚチャネルの倍数の帯域幅、つまり、２４２トーン、４８４トーン、または９９６トーンのリソースユニットのヌリングを指示する。このように、非割当チャネルの帯域幅情報がＲＡフィールドを介して指示されると、中央２６トーンＲＵ５０２の割当可否が黙示的に捉えられる。
【０２３０】
まず、図４１（ａ）は、８０ＭＨｚの総帯域幅でＳ４０Ａチャネル（つまり、チャネルＣ）が占有状態の状況を示す。端末は、Ｐ４０チャネル及びＳ４０Ｂチャネル（つまり、チャネルＤ）を含む６０ＭＨｚ帯域でＰＰＤＵを伝送する。この際、チャネルＣに対応するＲＡフィールドは２４２トーンＲＵのヌリングを指示する。図４１（ｂ）は、図４１（ａ）の実施例によって伝送されるＰＰＤＵのＨＥ−ＳＩＧ−Ｂコンテンツチャネル１及びＨＥ−ＳＩＧ−Ｂコンテンツチャネル２の構成を示す。ＨＥ−ＳＩＧ−Ｂコンテンツチャネル１のＲＡフィールドにおいて、２４２トーンＲＵのヌリングが指示されるため、受信者は中央２６トーンＲＵ５０２がユーザに割り当てられることを識別する。よって、ＨＥ−ＳＩＧ−Ｂコンテンツチャネル１は中央２６トーンＲＵ５０２に対応するユーザフィールド４２２を運ぶ。
【０２３１】
一方、図４１（ｃ）は、８０ＭＨｚの総帯域幅でＳ４０チャネルが占有状態の状況を示す。端末は、Ｐ４０チャネルを介してＰＰＤＵを伝送する。この際、チャネルＣ及びチャネルＤに対応するＲＡフィールドは４８４トーンＲＵのヌリングを指示する。図４１（ｄ）は、図４１（ｃ）の実施例によって伝送されるＰＰＤＵのＨＥ−ＳＩＧ−Ｂコンテンツチャネル１及びＨＥ−ＳＩＧ−Ｂコンテンツチャネル２の構成を示す。ＨＥ−ＳＩＧ−Ｂコンテンツチャネル１及びＨＥ−ＳＩＧ−Ｂコンテンツチャネル２のＲＡフィールドにおいて、４８４トーンＲＵのヌリングが指示されるため、受信者は中央２６トーンＲＵ５０２がユーザに割り当てられないことを識別する。つまり、Ｓ４０チャネル全体がユーザに割り当てられないため、中央２６トーンＲＵ５０２も同じく非割当リソースユニットとして設定される。よって、ＨＥ−ＳＩＧ−Ｂコンテンツチャネル１は中央２６トーンＲＵ５０２に対応するユーザフィールド４２２を運ばなくてもよい。
【０２３２】
図４２は、本発明の実施例によって不連続ＰＰＤＵが伝送される際のプリアンブル及びデータの伝送方法を示す図である。図４２（ａ）乃至図４２（ｃ）のそれぞれの実施例では、８０ＭＨｚの総帯域幅でＳ４０Ｂチャネル（つまり、チャネルＤ）が占有状態の状況を仮定する。端末は、Ｐ４０チャネル及びＳ４０Ａチャネル（つまり、チャネルＣ）を含む６０ＭＨｚ帯域でＰＰＤＵを伝送する。
【０２３３】
まず、図４２（ａ）の実施例によると、不連続ＰＰＤＵ伝送時の端末は、非割当チャネルからデータのみならずプリアンブルも伝送しなくてもよい。この際、端末は非割当チャネルからレガシープリアンブルとノンレガシープリアンブルを全て伝送しない。このような場合、該当チャネルから既に伝送されているＯＢＳＳ信号に干渉を与えない長所がある。また、特定のチャネルで伝送を行わなくなると、広帯域ＰＰＤＵであるにもかかわらず伝送パワーの分散量が減るようになり、ＰＰＤＵの受信率が上がる長所がある。しかし、このような方法は、Ｓ２０チャネルが占有状態であればＨＥ−ＳＩＧ−Ｂのシグナリングが複雑になる短所がある。また、ＨＥ−ＳＴＦは全体帯域幅８０ＭＨｚを介してＰＰＤＵが伝送される際、時間軸で繰り返されるパターンを有するが、ＨＥ−ＳＴＦが一部のチャネルで伝送されなくなると、時間軸で繰り返されるパターンを有することが難しくなる。
よって、図４２（ｂ）の実施例によると、不連続ＰＰＤＵ伝送の際、端末は非割当チャネルからデータを伝送しないがプリアンブルは伝送してもよい。この際、端末は非割当チャネルからレガシープリアンブルとノンレガシープリアンブルを全て伝送してもよい。このような場合、該当チャネルから既に伝送されているＯＢＳＳ信号に干渉を与える恐れがあるが、広帯域ＰＰＤＵの伝送の場合、伝送パワーが全体帯域に分散されるためＯＢＳＳ信号に大きな被害を与えなくなる。
【０２３４】
本発明の他の実施例によると、図４２（ｃ）に示したように、端末は非割当チャネルでＨＥ−ＳＴＦ及びＨＥ−ＬＴＦのみ（または、ＨＥ−ＳＴＦのみ）伝送する。つまり、全体帯域で受信が必要ではないレガシープリアンブル、ＨＥ−ＳＩＧ−Ａ及びＨＥ−ＳＩＧ−Ｂの伝送は制限され、全体帯域で受信が必要なＨＥ−ＳＴＦ及びＨＥ−ＬＴＦのみ伝送されるため、ＯＢＳＳ信号に対する干渉を最小化することができる。
【０２３５】
図４３及び図４４は、単一ＳＴＡとＡＰの間にＨＥ  ＭＵ  ＰＰＤＵを利用した伝送が行われる実施例を示す図である。上述したように、ＨＥ  ＭＵ  ＰＰＤＵはＤＬ−ＭＵ伝送だけでなく上りリンク伝送にも使用される。
【０２３６】
図４３は、単一ＳＴＡの上りリンク伝送でＨＥ  ＭＵ  ＰＰＤＵが使用される一実施例を示す図である。本発明の実施例によると、図４３（ａ）に示したように、ＳＴＡは２０ＭＨｚ帯域幅以下のリソースユニット（つまり、狭帯域）を利用して伝送を行う。ＳＴＡは、特定のリソースユニットに伝送パワーを集中することでデータの伝送距離を増加させる。図４３（ｂ）乃至図４３（ｄ）は、このような狭帯域伝送をシグナリングする実施例を示す。
【０２３７】
本発明の一実施例によると、図４３（ｂ）に示したように、狭帯域伝送はＨＥ−ＳＩＧ−Ｂユーザフィールドに挿入されるヌルＳＴＡ  ＩＤを介してシグナリングされる。より詳しくは、ＨＥ−ＳＩＧ−ＡのＲＡフィールドは特定のチャネルにおけるリソースユニット分割形態に関する情報を指示する。例えば、２０ＭＨｚの帯域幅がＯＦＤＭＡ基盤に９つのリソースユニットに分割される場合、図１５（ｃ）に示したように、ＲＡフィールドは「００００００００」をシグナリングする。この際、分割された９つのリソースユニットのうち上りリンクデータ伝送に使用されるリソースユニットに対応するユーザフィールドに、受信者または送信者のＡＩＤが挿入される。逆に、データ伝送が行われない残りのリソースユニットに対応するユーザフィールドにはヌルＳＴＡ  ＩＤが挿入される。
【０２３８】
例えば、９つのリソースユニットのうち３番目の２６トーンＲＵを介してのみデータが伝送される場合、１〜２番目のユーザフィールド及び４〜９番目のユーザフィールドにはヌルＳＴＡ  ＩＤが挿入される。しかし、このようにＤＬ−ＭＵ伝送に基づいて設計されたＨＥ−ＳＩＧ−Ｂのシグナリング構造をそのまま上りリンク狭帯域伝送で使用すると、シグナリングオーバヘッドが大きくなる恐れがある。よって、シグナリングオーバヘッドを減らすために他のシグナリング方法が使用されてもよい。本発明の他の実施例によると、受信者または送信者のＡＩＤが挿入されたユーザフィールド以降のユーザフィールドはシグナリングから除外される。つまり、前記実施例において、１〜２番目のユーザフィールドにはヌルＳＴＡ  ＩＤが挿入され、３番目のユーザフィールドには受信者または送信者のＡＩＤが挿入される。しかし、４〜９番目のユーザフィールドは伝送されなくてもよい。該当ＰＰＤＵを受信した３番目のユーザフィールドにおいて、送信ＳＴＡ情報を獲得した後に追加のユーザフィールドを受信する必要がないためである。
【０２３９】
本発明の他の実施例によると、図４３（ｃ）に示したように、狭帯域伝送のためにＨＥ−ＳＩＧ−ＢのＲＡフィールドに上りリンクリソースユニット割当インデックス値が新たに定義される。より詳しくは、ＨＥ−ＳＩＧ−ＢのＲＡフィールドは、上りリンク伝送が行われる特定２６トーンＲＵ、５２トーンＲＵ及び／または１０６トーンＲＵをインデクシングする。この場合、ＲＡフィールドで指示するリソースユニットに対応する一つのユーザフィールドでのみ運ばれるため、シグナリングオーバヘッドが大きく減るようになる。一実施例によると、上りリンクリソースユニット割当のインデックス値は、ＤＬ−ＭＵ伝送のためのＲＡフィールド構成の未割当（つまり、ＴＢＤ）インデックスのうちで使用される。他の実施例によると、ＲＡフィールド内で上りリンクリソースユニット割当インデックス値が新たに定義される。
【０２４０】
本発明のまた他の実施例によると、狭帯域伝送はＨＥ−ＳＩＧ−Ａの不必要なフィールドを再活用してシグナリングされる。例えば、上りリンク伝送でＨＥ  ＭＵ  ＰＰＤＵが使用される場合、ＨＥ−ＳＩＧ−ＡでＨＥ−ＬＴＦシンボルの個数フィールドとＨＥ−ＳＩＧ−Ｂシンボル個数フィールドは他の用途に使用されてもよい。ＨＥ−ＬＴＦシンボルの個数フィールドは、ＨＥ−ＳＩＧ−Ｂのユーザ特定フィールドのＮＳＴＳフィールドと機能が重複するため、別途のシグナリングを必要としない。また、単一ＳＴＡシグナリングでは、シグナリング情報量が固定されて設計によってシンボル数を固定することができるため、ＨＥ−ＳＩＧ−Ｂシンボルの個数フィールドを介して別途のシンボル数を指示する必要がない。よって、前記フィールドのうち少なくとも一つを利用して上りリンクＨＥ  ＭＵ  ＰＰＤＵのシグナリングを行うことができる。例えば、ＲＡフィールドが指示するリソースユニット割当において、該当ＳＴＡが上りリンクデータを伝送するリソースユニットの位置を前記フィールドのうち少なくとも一つを利用して指示する。この場合、ＨＥ−ＳＩＧ−ＢのＲＡフィールドは従来と同じく設定され、一つのユーザフィールドのみ運ばれるため、シグナリングオーバヘッドが減るようになる。
【０２４１】
一方、本発明のまた他の実施例によると、ＨＥ  ＭＵ  ＰＰＤＵを利用した上りリンク伝送は、狭帯域だけでなく２０ＭＨｚ、４０ＭＨｚ、８０ＭＨｚ、１６０ＭＨｚ（８０＋８０ＭＨｚ）の全体帯域幅を介して行われてもよい。この際、ＨＥ−ＳＩＧ−Ａの帯域幅フィールドはＰＰＤＵの総帯域幅を指示し、ＳＩＧ−Ｂ圧縮フィールドはＨＥ−ＳＩＧ−Ｂフィールドの圧縮モードを指示する。よって、上りリンクＨＥ  ＭＵ  ＰＰＤＵにおいて、ＨＥ−ＳＩＧ−ＢのＲＡフィールドは省略されてもよい。一方、下りリンクＨＥ  ＭＵ  ＰＰＤＵにおいて、ＳＩＧ−Ｂ圧縮フィールドがＨＥ−ＳＩＧ−Ｂフィールドの圧縮モードを指示する場合、ＭＵ−ＭＩＭＯ基盤のユーザ特定情報が指示される。しかし、上りリンクＨＥ  ＭＵ  ＰＰＤＵでＳＩＧ−Ｂ圧縮フィールドがＨＥ−ＳＩＧ−Ｂフィールドの圧縮モードを指示する場合、図４３（ｃ）に示したように、ＯＦＤＭＡ基盤のユーザ特定情報が指示される。
【０２４２】
図４４は、単一ＳＴＡがＡＰに不連続ＰＰＤＵを伝送する際のＨＥ−ＳＩＧ−Ｂの構成方法を示す図である。図４４の実施例では、８０ＭＨｚの総帯域幅でＳ２０チャネルが占有状態の状況を示す。よって、ＳＴＡはＰ２０チャネル及びＳ４０チャネルを含む６０ＭＨｚ帯域にＰＰＤＵを伝送する。
【０２４３】
従来のＨＥ  ＳＵ  ＰＰＤＵフォーマットにおいて、ＨＥ−ＳＩＧ−Ａの帯域幅フィールドは不連続ＰＰＤＵをシグナリングするのに適合していない。よって、ＳＴＡはＨＥ  ＭＵ  ＰＰＤＵフォーマットを利用して不連続ＰＰＤＵの伝送を行う。この際、ＨＥ−ＳＩＧ−Ａの帯域幅フィールドは８０ＭＨｚの総帯域幅でＳ２０チャネルのパンクチャリングを指示する。ＨＥ−ＳＩＧ−Ｂは単一ＳＴＡの情報（つまり、ＳＵ  Ｉｎｆｏ）をＰ２０チャネル及びＳ４０チャネルを介して運ぶ。
【０２４４】
一方、不連続ＰＰＤＵの構成情報が帯域幅フィールドを介してシグナリングされているため、ＨＥ−ＳＩＧ−Ｂの共通ブロックフィールドは省略される。よって、ＳＩＧ−Ｂ圧縮フィールドはＨＥ−ＳＩＧ−Ｂフィールドの圧縮モードを指示する。また、ＨＥ−ＳＩＧ−Ｂのユーザ特定フィールドは一つのユーザフィールドのみを運ぶ。この際、ユーザフィールドには受信者のＡＩＤではなく送信者のＡＩＤが挿入される。ＨＥ  ＭＵ  ＰＰＤＵが上りリンク伝送に使用される場合、該当ＰＰＤＵの受信者はＡＰであることが自明なためである。ＨＥ  ＭＵ  ＰＰＤＵの上りリンク／下りリンクフィールドが上りリンク伝送を指示する場合、ＡＰはユーザフィールドに挿入されたＡＩＤを送信者のＡＩＤと解釈する。
【０２４５】
図４５及び図４６は、本発明の追加の実施例による不連続チャネル割当及びそれに対するシグナリング方法を示す図である。上述したように、本発明の一実施例によると、広帯域ＰＰＤＵは不連続で制限された柔軟なチャネル拡張方法によって伝送される。
図４５は、不連続で制限された柔軟なチャネル拡張方法でＰＰＤＵが伝送される際のＨＥ−ＳＩＧ−Ａ及びＨＥ−ＳＩＧ−Ｂをシグナリングする方法を示す図である。図１９（ｅ）で述べたように、柔軟なチャネル拡張方法は伝送されるＰＰＤＵが占有する帯域がＰ２０チャネルを含む予め設定された中心チャネルを常に含んで構成されるチャネル拡張方法を意味する。図４５の実施例では、Ｐ２０チャネル及びＳ２０チャネルを含むＰ４０チャネルが中心チャネルとして設定されている。但し、前記中心チャネルはＨＥ−ＳＩＧ−Ｂのシグナリングの負担を減らすために選定された帯域幅であって、実施例によってＨＥ−ＳＩＧ−Ｂのシグナリングの負担が加重されなければ、中心チャネルは変更されてもよい。
【０２４６】
まず、図４５（ａ）は、１６０ＭＨｚの総帯域幅でＳ４０Ｂチャネル及びＳ８０チャネルが占有状態の状況を示す。端末は、Ｐ４０チャネル及びＳ４０Ａチャネルを含む６０ＭＨｚ帯域で不連続ＰＰＤＵを伝送する。この際、伝送されるＰＰＤＵのＨＥ−ＳＩＧ−Ａの帯域幅フィールドは１６０ＭＨｚを指示する。ＨＥ−ＳＩＧ−Ｂコンテンツチャネル１はチャネルＡ及びチャネルＣの割当情報（Ａ、Ｃ、９９６Ｎｕｌｌ、９９６Ｎｕｌｌ）を運び、チャネルＡ及びチャネルＣを介して伝送される。ＨＥ−ＳＩＧ−Ｂコンテンツチャネル２はＣＨ  Ｂの割当情報（Ｂ、２４２Ｎｕｌｌ、９９６Ｎｕｌｌ、９９６Ｎｕｌｌ）を運び、チャネルＢを介して伝送される。
【０２４７】
次に、図４５（ｂ）は、１６０ＭＨｚの総帯域幅でＳ４０Ａチャネル及びＳ８０チャネルが占有状態の状況を示す。端末は、Ｐ４０チャネル及びＳ４０Ｂチャネルを含む６０ＭＨｚ帯域で不連続ＰＰＤＵを伝送する。この際、伝送されるＰＰＤＵのＨＥ−ＳＩＧ−Ａの帯域幅フィールドは１６０ＭＨｚを指示する。ＨＥ−ＳＩＧ−Ｂコンテンツチャネル１はチャネルＡの割当情報（Ａ、２４２Ｎｕｌｌ、９９６Ｎｕｌｌ、９９６Ｎｕｌｌ）を運び、チャネルＡを介して伝送される。ＨＥ−ＳＩＧ−Ｂコンテンツチャネル２はＣＨ  Ｂ及びチャネルＤの割当情報（Ｂ、Ｄ、９９６Ｎｕｌｌ、９９６Ｎｕｌｌ）を運び、チャネルＢ及びチャネルＤを介して伝送される。
【０２４８】
次に、図４５（ｃ）は、１６０ＭＨｚの総帯域幅でＰ２０チャネルのみを介してＰＰＤＵが伝送される状況を示す。この際、伝送されるＰＰＤＵのＨＥ−ＳＩＧ−Ａの帯域幅フィールドは１６０ＭＨｚを指示し、ＨＥ−ＳＩＧ−Ｂコンテンツチャネル１はチャネルＡの割当情報（Ａ、２４２Ｎｕｌｌ、９９６Ｎｕｌｌ、９９６Ｎｕｌｌ）を運ぶ。この場合、ＨＥ−ＳＩＧ−Ｂのシグナリングの負担が加重されないため、中心チャネルのうち少なくとも一部を占有しないＰＰＤＵの伝送が可能になる。
【０２４９】
最後に、図４５（ｄ）は、１６０ＭＨｚの総帯域幅でＳ４０Ｂチャネル、Ｓ８０Ａチャネル、Ｓ８０Ｃチャネル及びＳ８０Ｄチャネルが占有状態の状況を示す。端末は、Ｐ４０チャネル、Ｓ４０Ａチャネル及びＳ８０Ｂチャネルを含む８０ＭＨｚ帯域に不連続ＰＰＤＵを伝送する。この際、伝送されるＰＰＤＵのＨＥ−ＳＩＧ−Ａの帯域幅フィールドは１６０ＭＨｚを指示する。ＨＥ−ＳＩＧ−Ｂコンテンツチャネル１はチャネルＡ及びチャネルＣの割当情報（Ａ、Ｃ、２４２Ｎｕｌｌ、４８４Ｎｕｌｌ）を運び、チャネルＡ及びチャネルＣを介して伝送される。ＨＥ−ＳＩＧ−Ｂコンテンツチャネル２はＣＨ  Ｂ及びチャネルＦの割当情報（Ｂ、２４２Ｎｕｌｌ、Ｆ、４８４Ｎｕｌｌ）を運び、チャネルＢ及びチャネルＦを介して伝送される。
【０２５０】
各図面を介して説明されたチャネル割当情報Ａ１、Ａ２、Ａ３、Ａ４において、Ａ１、Ａ２、Ａ３及びＡ４はそれぞれＨＥ−ＳＩＧ−Ｂコンテンツチャネルを介して運ばれる第１ＲＡフィールド、第２ＲＡフィールド、第３ＲＡフィールド、及び第４ＲＡフィールドを示す。このように、本発明の実施例によると、ＨＥ−ＳＩＧ−Ａ及びＨＥ−ＳＩＧ−Ｂの組み合わせを介して多様な不連続ＰＰＤＵをシグナリングされる。
【０２５１】
図４６は、不連続で制限された柔軟なチャネル拡張方法でＰＰＤＵが伝送される際のチャネル割当方法を示す図である。図４６（ａ）は、８０ＭＨｚの総帯域幅における不連続チャネル割当オプションを示し、図４６（ｂ）は１６０ＭＨｚの総帯域幅における不連続チャネル割当オプションを示す。図４６（ｂ）において、Ｐ８０チャネルは図４６（ａ）に示したチャネルのうちいずれか一つで構成される。
【０２５２】
図４６（ｂ）に示したＳ８０チャネルの非割当情報は、上述したようにＨＥ−ＳＩＧ−ＢのＲＡフィールドを介して指示されるか、ユーザフィールドのヌルＳＴＡ  ＩＤを介して指示される。また、図４６（ａ）及び図４６（ｂ）に示した中央２６トーンＲＵの割当可否は、ＨＥ−ＳＩＧ−ＢのＣ２６フィールドを介して指示される。
前記のように無線ＬＡＮ通信を例に挙げて本発明を説明したが、本発明はこれに限らず、セルラー通信など他の通信システムでも同じく適用される。また、本発明の方法、装置及びシステムを特定実施例に関連して説明したが、本発明の構成要素、動作の一部または全部は、汎用ハードウェアアーキテクチャを有するコンピュータシステムを使用して具現される。
【０２５３】
上述した本発明の実施例は多様な手段を介して具現される。例えば、本発明の実施例は、ハードウェア、ファームウェア（ｆｉｒｍｗａｒｅ）、ソフトフェア、またはそれらの組み合わせによって具現される。
【０２５４】
ハードウェアによる具現の場合、本発明の実施例による方法は、一つまたはそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現される。
ファームフェアやソフトウェアによる具現の場合、本発明の実施例による方法は、上述した機能または動作を行うモジュール、手順または関数などの形態で具現される。ソフトウェアコードはメモリに貯蔵されてプロセッサによって具現される。前記メモリはプロセッサの内部または外部に位置し、既に公知の多様な手段によってプロセッサとデータを交換する。
【０２５５】
上述した本発明の説明は例示のためのものであって、本発明が属する技術分野における通常の知識を有する者は、本発明の技術的思想や必須的特徴を変更せずも他の具体的な形態に容易に変形可能であることを理解できるはずである。よって、上述した実施例は全ての面で例示的なものであって、限定的なものではないと解釈すべきである。例えば、単一型として説明されている各構成要素は分散されて実施されてもよく、同じく分散されていると説明されている構成要素も結合された形態で実施されてもよい。
本発明の範囲は上述した詳細な説明よりは後述する特許請求の範囲によって示され、特許請求の範囲の意味及び範囲、そしてその均等概念から導き出される全ての変更または変形された形態が本発明の範囲に含まれると解釈すべきである。
【産業上の利用可能性】
【０２５６】
本発明の多様な実施例はＩＥＥＥ  ８０２．１１システムを中心に説明されたが、その他の多様な形態の移動通信装置、移動通信システムなどに適用される。
【図１】
2020014250.tif 000007
【図２】
2020014250.tif 000008
【図３】
2020014250.tif 000009
【図４】
2020014250.tif 000010
【図５】
2020014250.tif 000011
【図６】
2020014250.tif 000012
【図７】
2020014250.tif 000013
【図８】
2020014250.tif 000014
【図９】
2020014250.tif 000015
【図１０】
2020014250.tif 000016
【図１１】
2020014250.tif 000017
【図１２】
2020014250.tif 000018
【図１３】
2020014250.tif 000019
【図１４】
2020014250.tif 000020
【図１５】
2020014250.tif 000021
【図１６】
2020014250.tif 000022
【図１７】
2020014250.tif 000023
【図１８】
2020014250.tif 000024
【図１９】
2020014250.tif 000025
【図２０】
2020014250.tif 000026
【図２１】
2020014250.tif 000027
【図２２】
2020014250.tif 000028
【図２３】
2020014250.tif 000029
【図２４】
2020014250.tif 000030
【図２５】
2020014250.tif 000031
【図２６】
2020014250.tif 000032
【図２７】
2020014250.tif 000033
【図２８】
2020014250.tif 000034
【図２９】
2020014250.tif 000035
【図３０】
2020014250.tif 000036
【図３１】
2020014250.tif 000037
【図３２】
2020014250.tif 000038
【図３３】
2020014250.tif 000039
【図３４】
2020014250.tif 000040
【図３５】
2020014250.tif 000041
【図３６】
2020014250.tif 000042
【図３７】
2020014250.tif 000043
【図３８】
2020014250.tif 000044
【図３９】
2020014250.tif 000045
【図４０】
2020014250.tif 000046
【図４１】
2020014250.tif 000047
【図４２】
2020014250.tif 000048
【図４３】
2020014250.tif 000049
【図４４】
2020014250.tif 000050
【図４５】
2020014250.tif 000051
【図４６】
2020014250.tif 000052
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
無線通信端末であって、
プロセッサと、
通信部と、を含み、
前記プロセッサは、
前記通信部を介して無線パケットを受信し、
前記受信されたパケットのＨＥ−ＳＩＧ−Ａの帯域幅フィールドを介して指示された総帯域幅情報を獲得し、
前記受信されたパケットのＨＥ−ＳＩＧ−Ａの帯域幅フィールド、及びＨＥ−ＳＩＧ−Ｂのサブフィールドのうちの少なくとも一つを介して非割当リソースユニットの情報を獲得し、
前記総帯域幅情報及び前記非割当リソースユニットの情報に基づいて前記受信したパケットをデコーディングし、
前記パケットが８０ＭＨｚ以上の総帯域幅で伝送される場合、前記非割当リソースユニットの情報は、８０ＭＨｚでの中央２６トーンリソースユニットがユーザに割り当てられたのか否かを指示するＣ２６フィールドの情報を含む無線通信端末。
【請求項２】
前記パケットのＨＥ−ＳＩＧ−Ｂフィールドは、２０ＭＨｚ単位のＨＥ−ＳＩＧ−Ｂコンテンツチャネル１、及びＨＥ−ＳＩＧ−Ｂコンテンツチャネル２で構成され、
前記Ｃ２６フィールドは、前記ＨＥ−ＳＩＧ−Ｂコンテンツチャネル１、及びＨＥ−ＳＩＧ−Ｂコンテンツチャネル２の両方を介して運ばれる請求項１に記載の無線通信端末。
【請求項３】
前記パケットが８０ＭＨｚの総帯域幅で伝送される場合、前記ＨＥ−ＳＩＧ−Ｂコンテンツチャネル１を介して運ばれるＣ２６フィールド、及び前記ＨＥ−ＳＩＧ−Ｂコンテンツチャネル２を介して運ばれるＣ２６フィールドは、全て前記８０ＭＨｚの総帯域幅の中央２６トーンリソースユニットがユーザに割り当てられたのか否かを指示する請求項２に記載の無線通信端末。
【請求項４】
前記Ｃ２６フィールドが前記中央２６トーンリソースユニットの割当を指示する場合、前記中央２６トーンリソースユニットに対応するユーザフィールドは、前記ＨＥ−ＳＩＧ−Ｂコンテンツチャネル１のユーザ特定フィールドを介して運ばれる請求項３に記載の無線通信端末。
【請求項５】
前記パケットが１６０ＭＨｚまたは８０＋８０ＭＨｚの総帯域幅で伝送される場合、前記総帯域幅は第１の８０ＭＨｚ帯域幅及び第２の８０ＭＨｚ帯域幅で構成され、前記ＨＥ−ＳＩＧ−Ｂコンテンツチャネル１を介して運ばれる第１Ｃ２６フィールドは、前記１の８０ＭＨｚ帯域幅の第１中央２６トーンリソースユニットがユーザに割り当てられたのか否かを指示し、前記ＨＥ−ＳＩＧ−Ｂコンテンツチャネル２を介して運ばれる第２Ｃ２６フィールドは、前記２の８０ＭＨｚ帯域幅の第２中央２６トーンリソースユニットがユーザに割り当てられたのか否かを指示する請求項２に記載の無線通信端末。
【請求項６】
前記第１Ｃ２６フィールドが前記第１中央２６トーンリソースユニットの割当を指示する場合、前記第１中央２６トーンリソースユニットに対応するユーザフィールドは、前記ＨＥ−ＳＩＧ−Ｂコンテンツチャネル１のユーザ特定フィールドを介して運ばれ、
前記第２Ｃ２６フィールドが前記第２中央２６トーンリソースユニットの割当を指示する場合、前記第２中央２６トーンリソースユニットに対応するユーザフィールドは、前記ＨＥ−ＳＩＧ−Ｂコンテンツチャネル２のユーザ特定フィールドを介して運ばれる請求項５に記載の無線通信端末。
【請求項７】
無線通信端末の無線通信方法であって、
無線パケットを受信するステップと、
前記受信されたパケットのＨＥ−ＳＩＧ−Ａの帯域幅フィールドを介して指示された総帯域幅情報を獲得するステップと、
前記受信されたパケットのＨＥ−ＳＩＧ−Ａの帯域幅フィールド、及びＨＥ−ＳＩＧ−Ｂのサブフィールドのうちの少なくとも一つを介して非割当リソースユニットの情報を獲得するステップと、
前記総帯域幅情報及び前記非割当リソースユニットの情報に基づいて前記受信したパケットをデコーディングするステップと、
を含み、
前記パケットが８０ＭＨｚ以上の総帯域幅で伝送される場合、前記非割当リソースユニットの情報は、８０ＭＨｚでの中央２６トーンリソースユニットがユーザに割り当てられたのか否かを指示するＣ２６フィールドの情報を含む無線通信方法。
【請求項８】
前記パケットのＨＥ−ＳＩＧ−Ｂフィールドは、２０ＭＨｚ単位のＨＥ−ＳＩＧ−Ｂコンテンツチャネル１、及びＨＥ−ＳＩＧ−Ｂコンテンツチャネル２で構成され、
前記Ｃ２６フィールドは、前記ＨＥ−ＳＩＧ−Ｂコンテンツチャネル１、及びＨＥ−ＳＩＧ−Ｂコンテンツチャネル２の両方を介して運ばれる請求項７に記載の無線通信方法。
【請求項９】
前記パケットが８０ＭＨｚの総帯域幅で伝送される場合、前記ＨＥ−ＳＩＧ−Ｂコンテンツチャネル１を介して運ばれるＣ２６フィールド、及び前記ＨＥ−ＳＩＧ−Ｂコンテンツチャネル２を介して運ばれるＣ２６フィールドは、全て前記８０ＭＨｚの総帯域幅の中央２６トーンリソースユニットがユーザに割り当てられたのか否かを指示する請求項８に記載の無線通信方法。
【請求項１０】
前記Ｃ２６フィールドが前記中央２６トーンリソースユニットの割当を指示する場合、前記中央２６トーンリソースユニットに対応するユーザフィールドは、前記ＨＥ−ＳＩＧ−Ｂコンテンツチャネル１のユーザ特定フィールドを介して運ばれる請求項９に記載の無線通信方法。
【請求項１１】
前記パケットが１６０ＭＨｚまたは８０＋８０ＭＨｚの総帯域幅で伝送される場合、前記総帯域幅は第１の８０ＭＨｚ帯域幅及び第２の８０ＭＨｚ帯域幅で構成され、前記ＨＥ−ＳＩＧ−Ｂコンテンツチャネル１を介して運ばれる第１Ｃ２６フィールドは、前記１の８０ＭＨｚ帯域幅の第１中央２６トーンリソースユニットがユーザに割り当てられたのか否かを指示し、前記ＨＥ−ＳＩＧ−Ｂコンテンツチャネル２を介して運ばれる第２Ｃ２６フィールドは、前記２の８０ＭＨｚ帯域幅の第２中央２６トーンリソースユニットがユーザに割り当てられたのか否かを指示する請求項８に記載の無線通信方法。
【請求項１２】
前記第１Ｃ２６フィールドが前記第１中央２６トーンリソースユニットの割当を指示する場合、前記第１中央２６トーンリソースユニットに対応するユーザフィールドは、前記ＨＥ−ＳＩＧ−Ｂコンテンツチャネル１のユーザ特定フィールドを介して運ばれ、
前記第２Ｃ２６フィールドが前記第２中央２６トーンリソースユニットの割当を指示する場合、前記第２中央２６トーンリソースユニットに対応するユーザフィールドは、前記ＨＥ−ＳＩＧ−Ｂコンテンツチャネル２のユーザ特定フィールドを介して運ばれる請求項１１に記載の無線通信方法。